(57)【特許請求の範囲】
【請求項１】
データセンター、ミドルウェアマシンシステムまたは同様の環境等のコンピューティング環境において使用されるメッセージングアプリケーションプログラムインターフェイス（ＡＰＩ）を提供するためのシステムであって、
１つ以上のアプリケーション環境を実行するための１つ以上のプロセッサノードを含むコンピューティングアプライアンスと、
前記１つ以上のプロセッサノードとその上で実行している前記アプリケーション環境とを接続する通信ファブリックと、
前記通信ファブリックを利用して前記コンピューティングアプライアンス内でのメッセージングを可能にするメッセージバスインプリメンテーションおよびメッセージングＡＰＩとを備え、
前記メッセージバスインプリメンテーションおよびメッセージングＡＰＩは、
送信側における第１のアプリケーション環境に基づいて、メッセージデータを受信側における第２のアプリケーション環境に伝送することを求める要求を、発行できるようにすること、
前記メッセージデータを格納するために前記送信側のメモリ内の空間を割当てること、
前記メッセージデータの場所を示す通知を前記受信側に伝送すること、
前記メッセージデータが前記送信側における前記場所から取出されることを、前記受信側から要求すること、および、
前記メッセージデータを前記送信側から前記受信側に転送することを、可能にするためのものであり、当該転送に応じて、前記メッセージデータを前記第２のアプリケーション環境に与えることと、前記メッセージデータの受取を示す通知を前記第１のアプリケーション環境に与えることとは互いに非同期である、システム。
【請求項２】
前記送信側および前記受信側に位置する、または、前記送信側と前記受信側の間に位置するリモートダイレクトメモリアクセス（ＲＤＭＡ）コンポーネントをさらに備え、
前記メッセージングＡＰＩは、
前記メッセージデータを送信する場合に、前記ＲＤＭＡコンポーネントに対して、前記メッセージデータを書き込むことをスケジュールすること、および、
前記ＲＤＭＡコンポーネントから、前記メッセージデータの受取を示す通知を読み出すことを、前記メッセージデータの書き込みとは独立してスケジュールすることを、可能にするためのものである、請求項１に記載のシステム。
【請求項３】
複数のダイレクトバイトバッファと、前記メッセージバスインプリメンテーションによって制御されるバッファマネージャとをさらに備え、
前記送信側における第１のアプリケーション環境に基づいて、前記メッセージデータを前記受信側における第２のアプリケーション環境に伝送することを求める要求を発行したことを受けて、前記バッファマネージャに基づいて、前記メッセージデータを格納するために、前記ダイレクトバイトバッファ内メモリのバッファを割当てる、請求項１または２に記載のシステム。
【請求項４】
前記メッセージバスインプリメンテーションにある、イベント発生時に前記イベントを収集し前記イベントをアプリケーション層内のアプリケーションに上げるためのコレクタをさらに備える、請求項１〜３のいずれかに記載のシステム。
【請求項５】
前記コンピューティング環境は、データセンターまたはミドルウェアマシンシステムであり、前記１つ以上のアプリケーション環境は、１つ以上のミドルウェア、アプリケーションサーバ、またはデータグリッドであり、前記１つ以上のミドルウェア、アプリケーションサーバ、データグリッド、または同様のアプリケーション環境は、前記メッセージバスインプリメンテーションおよびメッセージングＡＰＩと通信するためにエンドユーザアプリケーションが使用する、コヒーレンスデータグリッドおよび／またはウェブロジックアプリケーションサーバコンポーネントのうちの１つを含む、請求項１〜４のいずれかに記載のシステム。
【請求項６】
通信ファブリックを利用してコンピューティングアプライアンス内でのメッセージングを可能にするメッセージバスインプリメンテーションおよびメッセージングＡＰＩを使用するためのシステムであって、前記通信ファブリックは、１つ以上のプロセッサノードと前記コンピューティングアプライアンス上で実行しているアプリケーション環境とを接続し、前記システムは、
送信側における第１のアプリケーション環境に基づいて、メッセージデータを受信側における第２のアプリケーション環境に伝送することを求める要求を、発行できるようにするための手段と、
前記メッセージデータを格納するために前記送信側のメモリ内の空間を割当て、前記メッセージデータの場所を示す通知を前記受信側に伝送するための手段と、
前記メッセージデータが前記送信側における前記場所から取出されることを、前記受信側から要求するための手段と、
前記メッセージデータを前記送信側から前記受信側に転送するための手段とを備え、当該転送に応じて、前記メッセージデータを前記第２のアプリケーション環境に与えることと、前記メッセージデータの受取を示す通知を前記第１のアプリケーション環境に与えることとは互いに非同期である、システム。
【請求項７】
リモートダイレクトメモリアクセス（ＲＤＭＡ）コンポーネントが、前記送信側および前記受信側に位置し、または、前記送信側と前記受信側の間に位置し、
前記メッセージングＡＰＩは、
前記メッセージデータを送信する場合に、前記ＲＤＭＡコンポーネントに対して、前記メッセージデータを書き込むことをスケジュールすること、および、
前記ＲＤＭＡコンポーネントから、前記メッセージデータの受取を示す通知を読み出すことを、前記メッセージデータの書き込みとは独立してスケジュールすることを、可能にするためのものである、請求項６に記載のシステム。
【請求項８】
前記送信側における第１のアプリケーション環境に基づいて、前記メッセージデータを前記受信側における第２のアプリケーション環境に伝送することを求める要求を発行したことを受けて、バッファマネージャに基づいて、前記メッセージデータを格納するために、ダイレクトバイトバッファ内のメモリのプールを割当てる、請求項６または７に記載のシステム。
【請求項９】
前記メッセージバスインプリメンテーションは、イベント発生時に前記イベントを収集し前記イベントをアプリケーション層内のアプリケーションに上げるためのコレクタをさらに含む、請求項６〜８のいずれか１項に記載のシステム。
【請求項１０】
第１のノードと、
第２のノードと、
前記第１のノードと前記第２のノードを接続する通信ファブリックとを備えるシステムであって、
前記第１のノードは第１のメッセージングアプリケーションプログラムインターフェイス（ＡＰＩ）を有し、
前記第２のノードは第２のメッセージングＡＰＩを有し、
前記第１のメッセージングＡＰＩは、前記第１のノードが、
メッセージデータを前記第２のノードに伝送することを求める要求を発行すること、
前記メッセージデータを格納するために前記第１のノードのメモリ内の空間を割当てること、
前記メッセージデータの場所を示す通知を前記第２のノードに伝送することを、可能にし、
前記第２のメッセージングＡＰＩは、前記第２のノードが、
前記メッセージデータが前記第１のノードの前記場所から取出されることを要求することを可能にし、
前記取出されることが要求されたことに伴って、前記メッセージデータが前記第１のノードから前記第２のノードに転送され、
前記メッセージデータが前記第１のノードから前記第２のノードに転送されることに応じて、前記メッセージデータを前記第２のノードの第２のアプリケーション環境に与えることと、前記メッセージデータの受取を示す通知を前記第１のノードの第１のアプリケーション環境に与えることとが互いに非同期に行われる、システム。
【請求項１１】
データセンター、ミドルウェアマシンシステムまたは同様の環境等のコンピューティング環境において使用されるメッセージングアプリケーションプログラムインターフェイス（ＡＰＩ）を提供するための方法であって、
１つ以上のアプリケーション環境を実行するための１つ以上のプロセッサノードを含むコンピューティングアプライアンスを提供するステップと、
前記１つ以上のプロセッサノードとその上で実行している前記アプリケーション環境とを接続する通信ファブリックを提供するステップと、
前記通信ファブリックを利用して前記コンピューティングアプライアンス内でのメッセージングを可能にするメッセージバスインプリメンテーションおよびメッセージングＡＰＩを提供するステップとを含み、
前記メッセージバスインプリメンテーションおよびメッセージングＡＰＩを提供するステップは、
送信側における第１のアプリケーション環境に基づいて、メッセージデータを受信側における第２のアプリケーション環境に伝送することを求める要求を、発行できるようにすること、
前記メッセージデータを格納するために前記送信側のメモリ内の空間を割当てること、
前記メッセージデータの場所を示す通知を前記受信側に伝送すること、
前記メッセージデータが前記送信側における前記場所から取出されることを、前記受信側から要求すること、および、
前記メッセージデータを前記送信側から前記受信側に転送することを含み、当該転送に応じて、前記メッセージデータを前記第２のアプリケーション環境に与えることと、前記メッセージデータの受取を示す通知を前記第１のアプリケーション環境に与えることとは互いに非同期である、方法。
【請求項１２】
通信ファブリックを利用してコンピューティングアプライアンス内でのメッセージングを可能にするメッセージバスインプリメンテーションおよびメッセージングＡＰＩを使用する方法であって、前記通信ファブリックは、１つ以上のプロセッサノードと前記コンピューティングアプライアンス上で実行しているアプリケーション環境とを接続し、前記方法は、
送信側における第１のアプリケーション環境に基づいて、メッセージデータを受信側における第２のアプリケーション環境に伝送することを求める要求を、発行できるようにすること、
前記メッセージデータを格納するために前記送信側のメモリ内の空間を割当て、前記メッセージデータの場所を示す通知を前記受信側に伝送すること、
前記メッセージデータが前記送信側における前記場所から取出されることを、前記受信側から要求すること、および、
前記メッセージデータを前記送信側から前記受信側に転送することを含み、当該転送に応じて、前記メッセージデータを前記第２のアプリケーション環境に与えることと、前記メッセージデータの受取を示す通知を前記第１のアプリケーション環境に与えることとは互いに非同期である、方法。
【請求項１３】
１つ以上のプロセッサにより実行される命令を含むコンピュータプログラムであって、前記命令は、前記１つ以上のプロセッサに、請求項１１または１２に記載の方法を実行させる、コンピュータプログラム。
【発明の詳細な説明】
【技術分野】
【０００１】
著作権に関する注意
本特許文献の開示の一部には、著作権保護の対象となるものが含まれている。著作権者は、この特許文献または特許開示の何者かによる複製が、特許商標庁の特許ファイルまたは記録にある限り、それに対して異議を唱えないが、そうでなければ、いかなる場合もすべての著作権を留保する。
【０００２】
優先権主張
本願は、２０１１年５月１６日に出願され、「ミドルウェアマシンシステムにおいて使用されるメッセージングＡＰＩを提供するためのシステムおよび方法（SYSTEM AND METHOD FOR PROVIDING A MESSAGING API FOR USE IN A MIDDLEWARE MACHINE SYSTEM）」と題された、米国仮特許出願第６１／４８６，６７２号、２０１１年９月３０日に出願され、「ミドルウェアマシンシステムにおいて使用されるメッセージングＡＰＩを提供するためのシステムおよび方法」と題された、米国仮特許出願第６１／５４１，９６１号、および、２０１２年５月１４日に出願され、「ミドルウェアマシンシステムにおいて使用されるメッセージングＡＰＩを提供するためのシステムおよび方法」と題された、米国仮特許出願第６１／６４６，８２６号に基づく優先権の利益を主張し、上記出願各々を、本明細書に引用により援用する。
【０００３】
発明の分野
本発明は、概して、企業データセンターおよびミドルウェアに関し、特に、企業データセンター、ミドルウェアマシンシステム、または同様の環境において使用される、メッセージングアプリケーションプログラムインターフェイスを提供するための、システムおよび方法に関する。
【背景技術】
【０００４】
背景
オラクル社のエクサデータ（Exadata）およびエクサロジック（Exalogic）コンピュータアプライアンス等の、現代の高性能の企業データセンターおよびミドルウェアマシンシステムは、互いに緊密に連携して働くように設計されたコンピュータハードウェアおよびミドルウェアソフトウェアコンポーネントを組み合わせたものである。たとえば、典型的なエクサロジックアプライアンスは、各々が１つ以上のオペレーティングシステムを実行するプロセッサノードのクラスタ、仮想マシン、アプリケーションサーバ、およびインメモリデータグリッドソフトウェアコンポーネントを、１つ以上のストレージまたは入出力ノードとともに含み、これらはすべて、高速通信ファブリックを通して互いに通信する。
【０００５】
エクサロジックに基づく環境のようなマルチノード環境では、複数のノードおよびその上で実行しているソフトウェアコンポーネント間の通信効率は、システム全体の性能を決める上で重要な要素である。そこで、インフィニバンド（InfiniBand）のような技術を用いて、ノード間の通信ファブリックを提供することができ、それにより、高いデータスループット、低いレイテンシ、クオリティオブサービス、フェイルオーバ、およびスケーラビリティを与える。これらは、本発明の実施の形態を使用し得るコンピューティング環境の種類である。
【発明の概要】
【課題を解決するための手段】
【０００６】
概要
本明細書に開示されるのは、企業データセンターにおいて、ミドルウェアマシンシステムにおいて、または、複数のプロセッサノードをインフィニバンド等の高性能通信ファブリック（または通信機構）とともに含む同様の環境において、使用される、メッセージバスコンポーネントまたはそのバージョン（本明細書ではインプリメンテーションと呼ぶ）、およびメッセージングアプリケーションプログラムインターフェイスを提供するための、システムおよび方法である。ある実施の形態に従い、上記メッセージングアプリケーションプログラムインターフェイスは、非同期のメッセージング、低いレイテンシ、および高いデータスループット等の特徴を可能にするとともに、インメモリデータグリッド、アプリケーションサーバ、およびその他のミドルウェアコンポーネントの使用をサポートする。
【図面の簡単な説明】
【０００７】
【図１】ある実施の形態に従う、インフィニバンド等の通信ファブリックを介して互いに通信する複数のプロセッサノードを含む、エクサロジックアプライアンス等の企業データセンターまたはミドルウェアマシンシステムを示す。
【図２】ある実施の形態に従う、エクサロジックアプライアンス等の企業データセンターまたはミドルウェアマシンシステムに対して使用される、メッセージバスコンポーネント／インプリメンテーションおよびメッセージングアプリケーションプログラムインターフェイスを提供するためのシステムを示す。
【図３】ある実施の形態に従う、メッセージングアプリケーションプログラムインターフェイスの使用を示す。
【図４】ある実施の形態に従う、リモートダイレクトメモリアクセスを含む、メッセージバスコンポーネント／インプリメンテーションおよびメッセージングアプリケーションプログラムインターフェイスの使用を示す。
【図５】ある実施の形態に従う、エクサロジックアプライアンス等の企業データセンターまたはミドルウェアマシンシステムに対し、メッセージバスコンポーネント／インプリメンテーションおよびメッセージングアプリケーションプログラムインターフェイスを提供し使用する方法を示す。
【発明を実施するための形態】
【０００８】
詳細な説明
上記のように、オラクル社のエクサデータおよびエクサロジックアプライアンス等の高性能の企業データセンターおよびミドルウェアマシンシステムは、互いに緊密に連携して働くように設計されたハードウェアおよびミドルウェアソフトウェアコンポーネントを組み合わせたものである。たとえば、典型的なエクサロジックアプライアンスは、各々が１つ以上のオペレーティングシステムを実行するプロセッサノードのクラスタ、仮想マシン、アプリケーションサーバ、およびインメモリデータグリッドソフトウェアコンポーネントを、１つ以上のストレージまたは入出力（Ｉ／Ｏ）ノードとともに、含み得る。これらはすべて、インフィニバンドを通して互いに通信する。
【０００９】
このような環境におけるユーザビリティおよび性能双方をさらに改善するために、本明細書に開示されるのは、企業データセンター、ミドルウェアマシンシステム、または同様の環境において使用される、メッセージバスコンポーネントまたはそのバージョン（本明細書ではインプリメンテーションと呼ぶ）、およびメッセージングアプリケーションプログラムインターフェイス（application program interface）（ＡＰＩ）を提供するための、システムおよび方法である。ある実施の形態に従い、メッセージングＡＰＩは、インメモリデータグリッドコンポーネント（たとえばオラクルコヒーレンス（Oracle Coherence））、アプリケーションサーバコンポーネント（たとえばオラクルウェブロジック（Oracle WebLogic））、およびその他のミドルウェアコンポーネントの使用をサポートし、かつその性能を高める。
【００１０】
一般的に説明すると、エクサロジック環境は、１つ以上のエクサロジックアプライアンスを含む。各エクサロジックアプライアンスは、たとえばＳＰＡＲＣ、Ｘ８６またはその他のマイクロプロセッサを利用して、さまざまな異なるラック構成で提供できる、企業レベルのコンピュータシステムである。典型的なエクサロジック構成は、ホットスワップ可能な複数のプロセッサノードと、高性能ディスクストレージサブシステムとを含み、これらは、各ノード内のソフトウェア、入出力（Ｉ／Ｏ）、およびその他のコンポーネント間での通信を可能にし、特定のアプライアンス内の異なるノード間の通信を可能にし、かつ、２つ以上の異なるアプライアンスに分散したノード間の通信を可能にする、高帯域幅のインフィニバンドファブリック（または通信機構）と接続される。
【００１１】
エクサロジック構成は、十分な冗長性を有し単一障害点のないものとなるように設計される。インフィニバンド等の通信ファブリックは、極めて高速でデータスループットが高い、ハードウェアコンポーネント間の相互接続を提供することに加え、スケーリング、アプリケーションの分離、および順応性も可能にする。特定のエクサロジック環境を有するコンポーネントはすべて、１つのアプライアンスの中にあるもの、および、同じ環境の一部を形成する複数のアプライアンスの中にあるものを含めて、本質的に、１つの高性能コンピュータシステムのように見え、協力して動作する。
【００１２】
本明細書ではエクサバス（Exabus）と呼ぶ、ある実施の形態に従い、メッセージバスインプリメンテーションおよびメッセージングＡＰＩ（本明細書ではメッセージバス（MessageBus）と呼ぶ）を提供することができる。メッセージングＡＰＩの実施の形態は、汎用メッセージングインターフェイスとして用いることができ、特に、たとえばコヒーレンスまたはウェブロジックコンポーネントを組み合わせて、エクサロジック環境の一部として使用される場合に、有用である。
【００１３】
図１は、ある実施の形態に従う、インフィニバンド等の通信ファブリックを介して互いに通信する複数のプロセッサノードを含む、エクサロジックアプライアンス等の企業データセンターまたはミドルウェアマシンシステムを示す。
【００１４】
図１に示されるように、典型的なエクサロジックアプライアンス１００は、プロセッサノード、Ｉ／Ｏノード、または高性能ディスクサブシステム等の、複数のラックコンポーネント１０２、１０３、１０４、１０５を含む。典型的に、各エクサロジックプロセッサノード１０６は、コンピュータハードウェア１０７（たとえば、高性能大型メモリ、ネットワーキングＩ／Ｏ、およびファームウェアを有する複数の６４ビットプロセッサ）と、インフィニバンド接続性を提供するインフィニバンドサブシステム１０８とを含む。また、各プロセッサノードはソフトウェア環境１１２をサポートする。このソフトウェア環境には、組織の特定の要求に応じて、さまざまな異なるアプリケーションサーバインスタンスまたはその他のソフトウェアコンポーネントを与えることができる。
【００１５】
たとえば、図１に示されるように、ある実施の形態に従うと、第１のアプリケーションサーバインスタンス１１４は、仮想マシン１１６（たとえばホットスポット（Hotspot））と、オペレーティングシステム１２０（たとえばリナックス（Linux）（登録商標））と、仮想化レイヤ１２４（たとえばジェイロキット（JRockit））と、アプリケーションサーバ１２８（たとえばウェブロジック）とを含み得る。第２のアプリケーションサーバインスタンス１１５は、異なる仮想マシン１１８（たとえばOracle VM）と、異なるオペレーティングシステム１２２（たとえばソラリス（Solaris））と、異なる仮想化レイヤおよびツール１２６（たとえばオラクル仮想アセンブリビルダ（Oracle Virtual Assembly Builder）（ＯＶＡＢ））と、示されている例では、インメモリデータグリッドレイヤ１３０（たとえばコヒーレンス）およびアプリケーションサーバ１３２（たとえばウェブロジック）双方とを、含み得る。
【００１６】
図１に示される、特定の種類および配置のサーバインスタンスおよびソフトウェアコンポーネントは、例示のために与えられたものである。組織の特定の要求に応じて、他の実施の形態に従い、異なる種類および配置のサーバインスタンスおよびソフトウェアコンポーネントを用いることができる。
【００１７】
ある実施の形態に従い、エクサロジック環境内のアプリケーションサーバインスタンスは各々、エクサロジック統合スイート（suite）および／またはエクサバスならびにこれが提供するメッセージバスインプリメンテーションおよびメッセージングＡＰＩ等の、統合コンポーネント１４０を用いて、互いに通信、自身のハードウェアまたはプロセッサノードと通信、および、他のハードウェアまたはプロセッサノードと通信することができる。ある実施の形態に従い、エクサバスはまた、以下で詳細に説明するように、インフィニバンドおよびリモートダイレクトメモリアクセス（Remote Direct Memory Access）（ＲＤＭＡ）に対するサポートを含み、高いデータスループット、およびノードとその上で実行しているコンポーネントとの間の低いレイテンシを求めて、最適化できる。
【００１８】
図２は、ある実施の形態に従う、エクサロジックアプライアンス等の企業データセンターまたはミドルウェアマシンシステムに対して使用される、メッセージバスインプリメンテーションおよびメッセージングＡＰＩを提供するためのシステムを示す。
【００１９】
図２に示されるように、エクサロジックアプライアンス内の、各々のまたは選択されたプロセッサノード１４８は、エクサバス環境とともに、コンピュータハードウェア１５０を含み得る。このエクサバス環境は、さらに図２に示されるように、エクサバスインフィニバンドコンポーネント／インプリメンテーション１５２と、エクサバスＲＤＭＡコンポーネント／インプリメンテーション１５４と、エクサバスＡＰＩ１６０とを含み得る。
【００２０】
ある実施の形態に従い、エクサバスＡＰＩを拡張していくつかの変形体を含むようにしてもよく、こうした変形体は、たとえばメッセージバスＡＰＩ１６２およびソケットダイレクトプロトコル（Sockets Direct Protocol）（ＳＤＰ）ＡＰＩ１６３等であり、これを選択することにより、組織の特定の要求に対する最善の対応が可能である。ある実施の形態に従い、メッセージバスＡＰＩを拡張していくつかの変形体を含むようにすることもでき、こうした変形体は、たとえばネイティブメッセージバスインプリメンテーション１６４または別のメッセージバスインプリメンテーション１６６であり、これも、選択することにより、組織の特定の要求に対する最善の対応が可能である。このエクサバス環境は、そのＡＰＩとともに、ハードウェアノード、ミドルウェアコンポーネント、およびその上で実行しているアプリケーションが、特定のアプライアンス内に位置しているまたは複数のアプライアンスに分散しているコンポーネントおよびアプリケーションを含めて、インフィニバンド等の通信ファブリックを介し、互いに効率的に通信できるようにする。
【００２１】
たとえば、図２に示される実施の形態に従い、インメモリデータグリッドコンポーネント（たとえばコヒーレンス）１７０、アプリケーションサーバコンポーネント（たとえばウェブロジック）１７２、およびその上で実行しているアプリケーションは、エクサバスを用いて、互いに通信することができ、かつ、他のノードならびに他のソフトウェアコンポーネントおよびアプリケーションと通信することができる。別の例として、ウェブロジックアプリケーションサーバコンポーネントは、最上部、たとえばコヒーレンス１７８で実行することができ、コヒーレンスの機能を用いてエクサバスにアクセスすることによって他のアプリケーションと通信することができる。
【００２２】
さらに図２に示されるように、ある実施の形態に従い、他のトランザクション処理システム（たとえばタキシード（Tuxedo））１７４、および他のアプリケーションたとえばリナックスまたはソラリスアプリケーション１７６も同様に、エクサバスを用い、適宜、伝送制御プロトコル／インターネットプロトコル（Transmission Control Protocol/Internet Protocol）（ＴＣＰ／ＩＰ）１５６、イーサネット・オーバ・インフィニバンド（Ethernet over InfiniBand）（ＥｏＩＢ）１５７、およびＩＰ・オーバ・インフィニバンド（IP over InfiniBand）（ＩＰｏＩＢ）１６８コンポーネント等のさらに他のコンポーネントを使用することを含めて、互いに通信することができ、かつ、他のプロセッサノードならびに他のソフトウェアコンポーネントおよびアプリケーションと通信することができる。
【００２３】
ＡＰＩのコンポーネントを含む、図２に示されるさまざまなエクサバスコンポーネントの種類および配置、ならびに、これらＡＰＩのコンポーネントを使用するインメモリデータグリッドおよびアプリケーションサーバコンポーネントの種類および配置は、例示のために示される。他の実施の形態に従い、これとは異なるエクサバス構成、ならびに、コンポーネントの種類および配置を、組織の特定の要求に応じて使用してもよい。
【００２４】
図３は、ある実施の形態に従う、メッセージングＡＰＩの使用を示す。図３に示されるように、送信側２００（たとえばクライアントとして機能する送信ノード）は、インフィニバンドコンポーネント／インプリメンテーション２０１と、ＲＤＭＡコンポーネント／インプリメンテーション２０２と、ネイティブメッセージバスコンポーネント／インプリメンテーション２０８と、メッセージバスＡＰＩ２０９とを有する、エクサバス環境を含む。
【００２５】
ある実施の形態に従い、ネイティブメッセージバスインプリメンテーションは、イベント発生時にこのイベントを収集しこれらのイベントをアプリケーション層に上げる（surface）コレクタ２１０を含む。ある実施の形態に従い、このコレクタは、メッセージバス内に、アプリケーション環境（たとえばコヒーレンス）がこのバスを使用するときに、自動的に導入できる。Ｊａｖａ仮想マシン（Java Virtual Machine）（ＪＶＭ）等の仮想マシン２１１は、ダイレクトバイトバッファ２１２の形態のシステムメモリを管理するバッファマネージャ２１３を含み、このバッファは、インフィニバンドを介してノード間またはコンポーネント間で伝送（すなわち送信または受信）すべきメッセージおよびメッセージデータを格納するために使用される。バッファマネージャは、ネイティブメッセージバスインプリメンテーションの制御のもと、ダイレクトバイトバッファ内のメモリの領域（バッファ）を割当てることができる。
【００２６】
図３に示されるように、インメモリデータグリッドまたはアプリケーションサーバ２０４コンポーネント等のミドルウェアコンポーネントは、メッセージバスを用いて他のミドルウェアコンポーネントと通信することができる。同様に、（送信）アプリケーション２０６は、ミドルウェアコンポーネントを用いて、他のアプリケーションとの通信を、メッセージまたはメッセージデータを受信側２２０（たとえばサーバとして機能する受信ノード）の別の（受信）ミドルウェアコンポーネントおよびアプリケーション２２６に送信することによって、行なうことができる。これらのシナリオ各々において、メッセージバスはこれらによって使用されてもよいが、メッセージバス自体は、送信／受信ミドルウェアコンポーネント（またはアプリケーション）を認識していない。
【００２７】
さらに図３に示されるように、受信側も同様に、インフィニバンドコンポーネント／インプリメンテーション２２１と、ＲＤＭＡコンポーネント／インプリメンテーション２２２と、ネイティブメッセージバスコンポーネント／インプリメンテーション２２８と、メッセージバスＡＰＩ２２９と、コレクタ２３０と、仮想マシン２３１（たとえばＪＶＭ）と、ダイレクトバイトバッファ２３２と、バッファマネージャ２３３とを有するエクサバス環境を含み得る。
【００２８】
組織の特定の要求に応じて、送信側および受信側は、同じプロセッサノード上にあってもよく、同じエクサロジックアプライアンス内の異なるプロセッサノードにあってもよく、または、互いに異なるエクサロジックアプライアンスにおけるプロセッサノードにあってもよい。図３では送信側および受信側と示されているが、これらの名称は説明のために与えられていることは明白であろう。ある実施の形態に従い、送信側もメッセージを受信側から受信することができ、受信側もメッセージを送信側に送信することができ、したがって、送信ノードおよび受信ノードならびに送信アプリケーションおよび受信アプリケーションは、正確には互いにピア（peer）同士であるとみなし得る。
【００２９】
ある実施の形態に従い、メッセージバスは、インターフェイスとして上層に上げる（surface）ことができ、ファクトリクラス（一実施形態ではデポ（Depot）クラス）を介して取得できる。これは、このバスを利用するミドルウェアコンポーネントまたはアプリケーションが、下層のバスインプリメンテーションと関わる必要がないことを意味する。たとえば、図３に示されるように、送信ノードおよび受信ノード双方におけるそれぞれのアプリケーションは、１つ以上のインメモリデータグリッド、アプリケーションサーバまたはその他のミドルウェアコンポーネントを介して、メッセージバスＡＰＩと通信するが、（エンドユーザ）アプリケーションは、下層の、使用中の特定のメッセージングインプリメンテーションおよびメッセージングＡＰＩと、関わる必要はない。たとえば、図３はネイティブメッセージバスインプリメンテーションおよびメッセージバスＡＰＩの使用を示しているが、他の実施の形態に従い、異なるメッセージングインプリメンテーションおよびＡＰＩ、たとえばＳＤＰ  ＡＰＩまたは別のメッセージバスインプリメンテーションを、使用してもよく、このとき、エンドユーザアプリケーションを再度プログラミングして下層の新たなインプリメンテーションを利用する必要はない。
【００３０】
たとえば、コヒーレンスに基づく環境において、コヒーレンス自体はバスインプリメンテーションを認識する必要はない。ある実施の形態に従い、バスインプリメンテーションの選択を、コヒーレンスにおいて、各コヒーレンスノード（すなわちこれはコヒーレンスの構成の一部）のエンドポイント名（ＵＲＬ）を介して、表わすことができる。たとえば、ＴＣＰに基づくバスを用いて実行しているとき、構成されたエンドポイントは、tmb://192.168.1.1:8000かもしれないが、ネイティブメッセージバス上で実行しているとき、構成されたエンドポイントは、imb://192.168.1.1:8000であろう。この例において、このエンドポイント名の最初の部分は、プロトコルおよびインプリメンテーション双方を識別する。このデータは、アプリケーション（すなわちこの例ではコヒーレンス）によって解釈されないのであるが、単純に、解明のためにバスデポ（Depot）に送られる。これに応じて、デポは、適切なバスインプリメンテーションを選択するであろう。同様に、コヒーレンスエンドユーザアプリケーションは、インフィニバンドを介したメッセージまたはメッセージデータの伝送に下層のメッセージバスＡＰＩが用いられるか否かを認識しないであろう。その代りに、コヒーレンス環境が、使用されているトランスポートインターフェイスを認識し、コヒーレンスエンドユーザアプリケーションに代わってトランスポートインターフェイスと通信することができる。エンドユーザアプリケーションは、引続きメッセージの順序を認識し、これらのメッセージが特定の受信者に届くとその通知を受けるが、さもなければ、そのメッセージが高速で処理されることのみを認識するであろう。メッセージバスＡＰＩをさらに拡張することにより、他のソフトウェアコンポーネント、たとえばウェブロジックまたはその他のミドルウェアコンポーネントの、特定の要求に応えることができる。
【００３１】
ある実施の形態に従い、メッセージバスインプリメンテーションは、コールバックを利用して、到着するメッセージを上層に上げる（surface）。このため、受信アプリケーションは、特定のスレッド上の到着メッセージデータを認識することができるが、他の技術と同様スレッドポーリングを必要としない。これにより、インフィニバンドの低いレイテンシという利点を上層のアプリケーション層に提供することも可能であり、かつ、メッセージバスＡＰＩが同期通信および非同期通信双方をサポートすることも可能であり、確認された伝送を上層のアプリケーション層に報告することができる。
【００３２】
ある実施の形態に従い、仮想マシン（たとえばＪＶＭ）の機能を拡張することにより、各仮想マシンが、インフィニバンドを通して、自身のピアのメモリとの間で直接読取および書込ができるように、かつ、そのダイレクトバイトバッファをインフィニバンドサブシステムに登録できるように、することができる。これらの予め登録されたバッファは、エクサバスバッファマネージャによって管理することができる。ある実施の形態に従い、Ｊａｖａ（登録商標）ダイレクトバイトバッファクラスをＪＶＭ内で拡張することにより、ダイレクトバイトバッファが、自動的に、自身に関連するメモリを、インフィニバンドサブシステムに登録することができる。これは、ＲＤＭＡに基づくアクセスに使用できる。
【００３３】
実行時に、（送信）アプリケーションが、（メッセージ、要求などの形態の）メッセージデータを別のノードおよび／または（受信）アプリケーションに送信しようとするとき２４０、その下層のミドルウェアコンポーネント（たとえばコヒーレンス）は、一組のバーブ（verb）を用いて、ローカルメッセージバスＡＰＩおよびインフィニバンドインプリメンテーションと通信することができる２４２。このようなバーブ（verb）の例は、たとえば、メッセージをピアに送信（Send）、メッセージをピアから受信（Receive）、ピアのメモリ空間から読取（Read）、ピアのメモリ空間に書込（Write）、を含む。他の実施の形態に従い、さらに他の種類のバーブ（verb）をサポートすることができる。
【００３４】
たとえば、送信アプリケーションが、メッセージを受信アプリケーションに書込もうとする場合（典型的な大型のメッセージのサイズは５０Ｍｂであろう）、送信側のバッファマネージャに対し、メッセージデータ２４５のための十分なメモリ空間の割当２４４を要求２４３できる。これは、ある実施の形態では、インフィニバンドサブシステムにローカルに登録された拡張ダイレクトバイトバッファ内の１つ以上のメモリバッファであってもよい。次に、送信側は、このメッセージをダイレクトバイトバッファに書込んで、メッセージバスＡＰＩに対し、このメッセージを宛先のピアに送信するよう要求することができる。任意で、Ｊａｖａ（登録商標）オブジェクト等の受取２５２を送信側に戻してもよく、そうすることにより、最終的に、メッセージの伝送が成功したことが送信側に通知されるであろう。
【００３５】
さらに図３に示されるように、メッセージデータがローカルメモリに書込まれると、ネイティブメッセージバスインプリメンテーションは、小さな通知を生成し２４８、この通知を受信側に伝える２５３。この通知には、送信すべきデータが記載され、メッセージデータがローカルに格納されているメモリ内の場所が示される。
【００３６】
受信側（受信）アプリケーションでは、送信側からの通知を受信すると、受信インフィニバンドサブシステムが、バッファマネージャに、相応にメモリ空間を割当てる２５７よう指示２５５した後、ＲＤＭＡ読取動作２５９を用いて、メッセージを、（送信側の）メモリ空間からのその（受信側の）メモリ空間にプルする２６０、２６１、２６３。この動作が完了すると、受信側のローカルメモリ空間には、メッセージデータのコピー２６６がある。次に、受信側は、自身の受取を（送信）アプリケーションに与えることを、送信側に通知する。同時に、受信側は、上記受取の送信と非同期で、メッセージデータを、Ｊａｖａ（登録商標）空間を通して、プッシュすることができる２７４、２７６、２７８。
【００３７】
ある実施の形態に従い、メッセージデータの格納時に使用するために作られたメモリバッファを、後の使用のために保持しメッセージバスを介して上層に上げることができる。こうすれば、バッファの登録および登録抹消を頻繁に行なう必要はない。
【００３８】
上記機能はインフィニバンドに関連して説明されているが、他の実施の形態に従うと、メッセージバスＡＰＩは、インフィニバンドを利用するまたはインフィニバンドに依存する必要はなく、たとえばＡＰＩのＪａｖａ（登録商標）もしくはＨＴＴＰバージョンまたはその他の通信ファブリックに対応することにより、同様の非同期機能を提供することができる。
【００３９】
図４は、ある実施の形態に従う、リモートダイレクトメモリアクセスを含む、メッセージバスインプリメンテーションおよびメッセージングアプリケーションプログラムインターフェイスの使用を示す。図４に示されるように、メッセージングバスＲＤＭＡレイヤは、クライアント（送信側）２８０とサーバ（受信側）２８２との間を媒介する役割を果たすことができる。ある実施の形態に従い、送信側は送信動作を実行する２８４。その結果、受信側に対するＲＤＭＡ書込動作２８６が、メモリ割当て（割当）２８８とともに行なわれる。その後、送信側はリターンする。次に、受信側は、ＲＤＭＡ読取動作を行ない２９０、メッセージをＪａｖａに戻す２９２。その後、受信側は、送信側に、ＲＤＭＡ書込を通知し２９４、送信側に与える受取を通知する２９６。
【００４０】
なお、ＲＤＭＡ書込動作がスケジュールされると、送信側は直ちにリターンする。バックグラウンドでは、受信側が、別のスレッドで書込を受信し、ＲＤＭＡ読取をスケジュールし、リターンする。このため、ＲＤＭＡ動作は、双方が処理できるメモリコピー動作であると考えることができる。たとえば、ＲＤＭＡ読取動作は実際、送信側から受信側へのメモリコピー動作であるが、これは受信側から開始される。
【００４１】
図５は、ある実施の形態に従う、エクサロジックアプライアンス等の企業データセンターまたはミドルウェアマシンシステムに対し、メッセージバスインプリメンテーションおよびメッセージングアプリケーションプログラムインターフェイスを提供し使用する方法を示す。
【００４２】
図５に示されるように、ステップ３０２で、インフィニバンドまたは同様の通信ファブリックを介して通信する、複数のコンピューティングおよび／またはＩ／Ｏノードを含む、データセンター環境またはミドルウェアマシンシステムが、提供される（たとえばエクサロジックアプライアンス）。
【００４３】
ステップ３０４で、アプリケーション環境（たとえばコヒーレンスアプリケーション）が使用する、インフィニバンドインプリメンテーションおよびアプリケーションプログラムインターフェイスを含む、メッセージバスコンポーネントが、提供される。
【００４４】
ステップ３０６で、第１のアプリケーション環境（たとえば送信ノード、送信側）は、メッセージデータを第２のアプリケーション環境（たとえば受信ノード、受信側）に伝送することを求める要求を発行する。
【００４５】
ステップ３０８で、メッセージデータを格納するために、送信ノードのメモリ（たとえばダイレクトバイトバッファ）内の空間が割当てられ、通知が、メッセージデータの場所とともに、（たとえばＲＤＭＡを用いて）受信ノードに送られる。
【００４６】
ステップ３１０で、受信ノードにおいて、特定されたメモリ場所にあるメッセージデータを送信ノードから取出すことを求める要求が、インフィニバンドインプリメンテーションを介して発行される。
【００４７】
ステップ３１２で、メッセージデータ転送の結果が、送信側に対して受取を送信するのと非同期で、上層のアプリケーション環境に伝送される。
【００４８】
本発明は、１つ以上のプロセッサ、メモリ、および／または本開示の教示に従いプログラムされたコンピュータ読取可能な記憶媒体を含む、従来の汎用または専用デジタルコンピュータ、コンピューティングデバイス、マシン、またはマイクロプロセッサを１つ以上用いて、適宜実現し得る。適切なソフトウェアコーディングは、熟練したプログラマが本開示の教示に基づいて容易に準備できる。これはソフトウェア技術の当業者には明らかであろう。
【００４９】
実施の形態によっては、本発明は、本発明のプロセスのうちいずれかを実行するためにコンピュータをプログラムするのに使用できる命令が格納された非一時的な記憶媒体または（１つまたは複数の）コンピュータ読取可能な記憶媒体であるコンピュータプログラムプロダクトを含む。この記憶媒体は、フロッピーディスク（登録商標）、光ディスク、ＤＶＤ、ＣＤ−ＲＯＭ、マイクロドライブ、および光磁気ディスクを含む、任意の種類のディスク、ＲＯＭ、ＲＡＭ、ＥＰＲＯＭ、ＥＥＰＲＯＭ、ＤＲＡＭ、ＶＲＡＭ、フラッシュメモリデバイス、磁気もしくは光カード、ナノシステム（分子メモリＩＣを含む）、または、命令および／またはデータを記憶するのに適した任意の種類の媒体もしくはデバイスを含み得るものの、これらに限定されない。
【００５０】
本発明に関するこれまでの記載は例示および説明を目的として提供されている。すべてを網羅するまたは本発明を開示された形態そのものに限定することは意図されていない。当業者には数多くの変更および変形が明らかであろう。実施の形態は、本発明の原理およびその実際の応用を最もうまく説明することによって当業者が本発明のさまざまな実施の形態および意図している特定の用途に適したさまざまな変形を理解できるようにするために、選択され説明されている。本発明の範囲は、以下の特許請求の範囲およびその均等物によって定められることが意図されている。
【００５１】
以下の付録は、ある実施の形態に従いメッセージングＡＰＩを実現するための、ソフトウェアパッケージ、クラス、およびその他の情報を提供する。すべてのパッケージについてのクラス階層ページに加えて、各パッケージについての階層が存在する。各階層ページは、クラスのリストおよびインターフェイスのリストを含む。クラスは、java.lang.Objectで始まる継承構造によって組織化される。インターフェイスは、java.lang.Objectを継承しない。インデックスは、すべてのクラス、インターフェイス、コンストラクタ、方法、およびフィールドのアルファベット順のリストを含む。
【付録】
【００５２】
Packages:
com.oracle.common.base
com.oracle.common.collections
com.oracle.common.internal.io
com.oracle.common.internal.net
com.oracle.common.internal.net.socketbus
com.oracle.common.internal.net.ssl
com.oracle.common.internal.security
com.oracle.common.io
com.oracle.common.net
com.oracle.common.net.exabus
com.oracle.common.net.exabus.spi
com.oracle.common.net.exabus.util
com.oracle.common.util
Classes:
AbstractBufferManager
AbstractSocketBus
AbstractSocketBus.BusState
AbstractSocketBus.ConnectionState
AbstractSocketBus.HandshakePhase
AbstractStableIterator
Associated
Associator
Bandwidth
Bandwidth.Magnitude
Bandwidth.Rate
Binary
BufferedSocketBus
BufferManager
BufferManagers
Buffers
BufferSequence
BufferSequenceInputStream
BufferSequenceOutputStream
Bus
ChainedIterator
CheckedBufferManager
Collector
Converter
ConverterCollections
ConverterCollections.AbstractConverterEntry
ConverterCollections.ConverterCollection
ConverterCollections.ConverterComparator
ConverterCollections.ConverterEntry
ConverterCollections.ConverterEntrySet
ConverterCollections.ConverterEnumerator
ConverterCollections.ConverterList
ConverterCollections.ConverterListIterator
ConverterCollections.ConverterMap
ConverterCollections.ConverterSet
ConverterCollections.ConverterSortedMap
ConverterCollections.ConverterSortedSet
DaemonThreadFactory
DemultiplexedSocketProvider
Depot
Disposable
Driver
Duration
Duration.Magnitude
EndPoint
Event
Event.Type
Factory
Hasher
HashSelectionService
HashSelectionService.ServiceFactory
Holder
IdentityHasher
InetAddressComparator
InetAddressHasher
InetSocketAddress32
InetSocketAddressComparator
InetSocketAddressHasher
InetSocketProvider
InputStreaming
MemoryBus
MemorySize
MemorySize.Magnitude
MessageBus
MessageBusTest
MessageBusTest.DemultiplexingCollector
MessageBusTest.EchoBus
MessageBusTest.EchoBus.EchoDriver
MessageBusTest.EventProcessor
MessageBusTest.Receipt
MessageBusTest.SkipStream
MessageBusTest.StampedEvent
MessageBusTest.Transmitter
MultiBufferMessageEvent
MultiBufferSequence
MultiplexedSocketProvider
MultiplexedSocketProvider.DefaultDependencies
MultiplexedSocketProvider.Dependencies
MultiplexedSocketProvider.MultiplexedChannel
MultiplexedSocketProvider.MultiplexedSelector
MultiplexedSocketProvider.MultiplexedSelectorProvider
MultiplexedSocketProvider.MultiplexedServerSocketChannel
MultiplexedSocketProvider.MultiplexedSocket
MultiplexedSocketProvider.MultiplexedSocketChannel
MultiplexedSocketProvider.WellKnownSubPorts
MultiProviderSelectionService
NaturalAssociator
NaturalHasher
PeerX509TrustManager
PeerX509TrustManagerFactory
Predicate
ResumableSelectionService
ResumableSelectionService.ServiceFactory
RunnableSelectionService
SafeSelectionHandler
SdpSocketProvider
SecurityProvider
SegmentedBufferManager
SegmentedBufferManager.BufferAllocator
SelectionService
SelectionService.Handler
SelectionServices
SharedBuffer
SharedBuffer.Disposer
SimpleDepot
SimpleDepot.DefaultDependencies
SimpleDepot.Dependencies
SimpleEvent
SimpleHolder
SingleBufferMessageEvent
SingleBufferSequence
SocketBusDriver
SocketBusDriver.DefaultDependencies
SocketBusDriver.Dependencies
SocketMessageBus
SocketProvider
Sockets
SocketSettings
SSLSelectorProvider
SSLServerSocket
SSLServerSocketChannel
SSLSocket
SSLSocketChannel
SSLSocketProvider
SSLSocketProvider.DefaultDependencies
SSLSocketProvider.Dependencies
TcpSocketProvider
ThreadLocalRandom
UnmodifiableSetCollection
UrlEndPoint
VolatileHolder
WrapperBufferManager
WrapperSelector
WrapperSelector.WrapperSelectableChannel
WrapperSelector.WrapperSelectionKey
WrapperServerSocket
WrapperServerSocketChannel
WrapperSocket
WrapperSocketChannel
Package Hierarchy:
com.oracle.common.base, com.oracle.common.collections, com.oracle.common.internal.io, com.oracle.common.internal.net, com.oracle.common.internal.net.socketbus, com.oracle.common.internal.net.ssl, com.oracle.common.internal.security, com.oracle.common.io, com.oracle.common.net, com.oracle.common.net.exabus, com.oracle.common.net.exabus.spi, com.oracle.common.net.exabus.util, com.oracle.common.util
Class Hierarchy:
java.lang.Object
com.oracle.common.internal.io.AbstractBufferManager (implements com.oracle.common.io.BufferManager)
java.nio.channels.spi.AbstractInterruptibleChannel (implements java.nio.channels.Channel, java.nio.channels.InterruptibleChannel)
java.nio.channels.SelectableChannel (implements java.nio.channels.Channel)
java.nio.channels.spi.AbstractSelectableChannel
java.nio.channels.ServerSocketChannel
com.oracle.common.internal.net.MultiplexedSocketProvider.MultiplexedServerSocketChannel (implements com.oracle.common.internal.net.MultiplexedSocketProvider.MultiplexedChannel)
com.oracle.common.internal.net.DemultiplexedSocketProvider.DemultiplexedServerSocketChannel
com.oracle.common.internal.net.WrapperServerSocketChannel (implements com.oracle.common.internal.net.WrapperSelector.WrapperSelectableChannel)
com.oracle.common.internal.net.MultiplexedSocketProvider.ListenChannel (implements com.oracle.common.internal.net.MultiplexedSocketProvider.MultiplexedChannel)
com.oracle.common.internal.net.ssl.SSLServerSocketChannel
java.nio.channels.SocketChannel (implements java.nio.channels.ByteChannel, java.nio.channels.GatheringByteChannel, java.nio.channels.ScatteringByteChannel)
com.oracle.common.internal.net.WrapperSocketChannel (implements com.oracle.common.internal.net.WrapperSelector.WrapperSelectableChannel)
com.oracle.common.internal.net.MultiplexedSocketProvider.MultiplexedSocketChannel (implements com.oracle.common.internal.net.MultiplexedSocketProvider.MultiplexedChannel)
com.oracle.common.internal.net.DemultiplexedSocketProvider.DemultiplexedSocketChannel
com.oracle.common.internal.net.ssl.SSLSocketChannel
com.oracle.common.internal.net.socketbus.AbstractSocketBus (implements com.oracle.common.net.exabus.Bus)
com.oracle.common.internal.net.socketbus.BufferedSocketBus
com.oracle.common.internal.net.socketbus.SocketMessageBus (implements com.oracle.common.net.exabus.MessageBus)
com.oracle.common.internal.net.socketbus.AbstractSocketBus.Connection (implements java.nio.channels.GatheringByteChannel, java.nio.channels.ScatteringByteChannel, com.oracle.common.net.SelectionService.Handler)
com.oracle.common.internal.net.socketbus.BufferedSocketBus.BufferedConnection
com.oracle.common.internal.net.socketbus.SocketMessageBus.MessageConnection
com.oracle.common.collections.AbstractStableIterator<T> (implements java.util.Enumeration<E>, java.util.Iterator<E>)
com.oracle.common.collections.ChainedIterator<T>
com.oracle.common.io.Bandwidth
com.oracle.common.internal.net.socketbus.BufferedSocketBus.BufferedConnection.WriteBatch
com.oracle.common.io.BufferManagers
com.oracle.common.io.Buffers
com.oracle.common.internal.io.CheckedBufferManager (implements com.oracle.common.io.BufferManager)
com.oracle.common.collections.ConverterCollections
com.oracle.common.collections.ConverterCollections.AbstractConverterEntry<FK,TK,FV,TV> (implements java.util.Map.Entry<K,V>, java.io.Serializable)
com.oracle.common.collections.ConverterCollections.ConverterEntry<FK,TK,FV,TV>
com.oracle.common.collections.ConverterCollections.ConverterEntrySet.ConverterEntry
com.oracle.common.collections.ConverterCollections.ConverterCollection<F,T> (implements java.util.Collection<E>, java.io.Serializable)
com.oracle.common.collections.ConverterCollections.ConverterList<F,T> (implements java.util.List<E>, java.io.Serializable)
com.oracle.common.collections.ConverterCollections.ConverterSet<F,T> (implements java.io.Serializable, java.util.Set<E>)
com.oracle.common.collections.ConverterCollections.ConverterSortedSet<F,T> (implements java.io.Serializable, java.util.SortedSet<E>)
com.oracle.common.internal.net.WrapperSelector.KeySet
com.oracle.common.collections.ConverterCollections.ConverterComparator<F,T> (implements java.util.Comparator<T>, java.io.Serializable)
com.oracle.common.collections.ConverterCollections.ConverterEntrySet<FK,TK,FV,TV> (implements java.io.Serializable, java.util.Set<E>)
com.oracle.common.collections.ConverterCollections.ConverterEntrySet.ConverterIterator (implements java.util.Iterator<E>)
com.oracle.common.collections.ConverterCollections.ConverterEnumerator<F,T> (implements java.util.Enumeration<E>, java.util.Iterator<E>)
com.oracle.common.collections.ConverterCollections.ConverterListIterator<F,T> (implements java.util.ListIterator<E>)
com.oracle.common.collections.ConverterCollections.ConverterMap<FK,TK,FV,TV> (implements java.util.Map<K,V>, java.io.Serializable)
com.oracle.common.collections.ConverterCollections.ConverterSortedMap<FK,TK,FV,TV> (implements java.io.Serializable, java.util.SortedMap<K,V>)
com.oracle.common.util.DaemonThreadFactory (implements java.util.concurrent.ThreadFactory)
java.util.Dictionary<K,V>
java.util.Hashtable<K,V> (implements java.lang.Cloneable, java.util.Map<K,V>, java.io.Serializable)
java.util.Properties
java.security.Provider
com.oracle.common.internal.security.SecurityProvider
com.oracle.common.util.Duration
com.oracle.common.internal.net.HashSelectionService (implements com.oracle.common.net.SelectionService)
com.oracle.common.internal.net.HashSelectionService.ServiceFactory (implements com.oracle.common.base.Factory<T>)
com.oracle.common.base.IdentityHasher<V> (implements com.oracle.common.base.Hasher<V>)
com.oracle.common.net.InetAddressComparator (implements java.util.Comparator<T>)
com.oracle.common.net.InetAddressHasher (implements com.oracle.common.base.Hasher<V>)
com.oracle.common.net.InetSocketAddressComparator (implements java.util.Comparator<T>)
com.oracle.common.net.InetSocketAddressHasher (implements com.oracle.common.base.Hasher<V>)
com.oracle.common.net.InetSocketProvider (implements com.oracle.common.net.SocketProvider)
com.oracle.common.internal.net.DemultiplexedSocketProvider
com.oracle.common.net.SdpSocketProvider
com.oracle.common.net.TcpSocketProvider
java.io.InputStream (implements java.io.Closeable)
com.oracle.common.io.BufferSequenceInputStream (implements java.io.DataInput)
com.oracle.common.io.MemorySize
com.oracle.common.net.exabus.util.MessageBusTest
com.oracle.common.net.exabus.util.MessageBusTest.DemultiplexingCollector (implements com.oracle.common.base.Collector<V>)
com.oracle.common.net.exabus.util.MessageBusTest.EchoBus (implements com.oracle.common.net.exabus.MessageBus)
com.oracle.common.net.exabus.util.MessageBusTest.EchoBus.EchoDriver (implements com.oracle.common.net.exabus.spi.Driver)
com.oracle.common.net.exabus.util.MessageBusTest.Receipt
com.oracle.common.net.exabus.util.MessageBusTest.StampedEvent (implements com.oracle.common.net.exabus.Event)
com.oracle.common.io.MultiBufferSequence (implements com.oracle.common.io.BufferSequence)
com.oracle.common.internal.net.socketbus.MultiBufferMessageEvent (implements com.oracle.common.net.exabus.Event)
com.oracle.common.internal.net.MultiplexedSocketProvider (implements com.oracle.common.net.SocketProvider)
com.oracle.common.internal.net.MultiplexedSocketProvider.DefaultDependencies (implements com.oracle.common.internal.net.MultiplexedSocketProvider.Dependencies)
com.oracle.common.internal.net.MultiProviderSelectionService (implements com.oracle.common.net.SelectionService)
com.oracle.common.base.NaturalAssociator (implements com.oracle.common.base.Associator)
com.oracle.common.base.NaturalHasher<V> (implements com.oracle.common.base.Hasher<V>)
java.io.OutputStream (implements java.io.Closeable, java.io.Flushable)
com.oracle.common.io.BufferSequenceOutputStream (implements java.io.DataOutput)
com.oracle.common.net.exabus.util.MessageBusTest.SkipStream
com.oracle.common.internal.security.PeerX509TrustManager (implements javax.net.ssl.X509TrustManager)
com.oracle.common.internal.net.ResumableSelectionService.ServiceFactory (implements com.oracle.common.base.Factory<T>)
com.oracle.common.internal.net.RunnableSelectionService (implements java.lang.Runnable, com.oracle.common.net.SelectionService)
com.oracle.common.internal.net.ResumableSelectionService
com.oracle.common.net.SafeSelectionHandler<C> (implements com.oracle.common.net.SelectionService.Handler)
com.oracle.common.internal.net.socketbus.AbstractSocketBus.AcceptHandler
com.oracle.common.internal.net.socketbus.AbstractSocketBus.HandshakeHandler
com.oracle.common.internal.net.MultiplexedSocketProvider.Listener
com.oracle.common.internal.net.MultiplexedSocketProvider.Listener.Switcher (implements java.lang.Runnable)
com.oracle.common.internal.io.SegmentedBufferManager (implements com.oracle.common.io.BufferManager, com.oracle.common.base.Disposable)
java.nio.channels.SelectionKey
com.oracle.common.internal.net.WrapperSelector.WrapperSelectionKey
com.oracle.common.internal.net.MultiplexedSocketProvider.MultiplexedSocketChannel.SocketSelectionKey
com.oracle.common.internal.net.ssl.SSLSocketChannel.SSLSelectionKey
com.oracle.common.net.SelectionServices
java.nio.channels.Selector
java.nio.channels.spi.AbstractSelector
com.oracle.common.internal.net.WrapperSelector
com.oracle.common.internal.net.MultiplexedSocketProvider.MultiplexedSelector
java.nio.channels.spi.SelectorProvider
com.oracle.common.internal.net.MultiplexedSocketProvider.MultiplexedSelectorProvider
com.oracle.common.internal.net.ssl.SSLSelectorProvider
java.net.ServerSocket
com.oracle.common.internal.net.WrapperServerSocket
com.oracle.common.internal.net.ssl.SSLServerSocket
com.oracle.common.internal.net.socketbus.SharedBuffer (implements com.oracle.common.base.Disposable, com.oracle.common.base.Holder<V>)
com.oracle.common.internal.net.socketbus.SharedBuffer.Segment (implements com.oracle.common.base.Disposable, com.oracle.common.base.Holder<V>)
com.oracle.common.net.exabus.util.SimpleDepot (implements com.oracle.common.net.exabus.Depot)
com.oracle.common.net.exabus.util.SimpleDepot.DefaultDependencies (implements com.oracle.common.net.exabus.util.SimpleDepot.Dependencies)
com.oracle.common.net.exabus.util.SimpleEvent (implements com.oracle.common.net.exabus.Event)
com.oracle.common.base.SimpleHolder<V> (implements com.oracle.common.base.Holder<V>)
com.oracle.common.io.SingleBufferSequence (implements com.oracle.common.io.BufferSequence)
com.oracle.common.internal.net.socketbus.SingleBufferMessageEvent (implements com.oracle.common.net.exabus.Event)
java.net.Socket
com.oracle.common.internal.net.WrapperSocket
com.oracle.common.internal.net.DemultiplexedSocketProvider.DemultiplexedSocket
com.oracle.common.internal.net.MultiplexedSocketProvider.MultiplexedSocket
com.oracle.common.internal.net.ssl.SSLSocket
java.net.SocketAddress (implements java.io.Serializable)
com.oracle.common.net.InetSocketAddress32
com.oracle.common.internal.net.socketbus.SocketBusDriver (implements com.oracle.common.net.exabus.spi.Driver)
com.oracle.common.internal.net.socketbus.SocketBusDriver.DefaultDependencies (implements com.oracle.common.internal.net.socketbus.SocketBusDriver.Dependencies)
com.oracle.common.internal.net.socketbus.SocketMessageBus.MessageConnection.ReadBatch (implements com.oracle.common.base.Disposable)
com.oracle.common.internal.net.socketbus.SocketMessageBus.MessageConnection.ReadBatch.SharedBufferDisposer (implements com.oracle.common.internal.net.socketbus.SharedBuffer.Disposer)
com.oracle.common.internal.net.socketbus.SocketMessageBus.MessageConnection.ReadBatch.TaskEvent (implements com.oracle.common.net.exabus.Event)
com.oracle.common.net.Sockets
com.oracle.common.net.SocketSettings (implements java.net.SocketOptions)
com.oracle.common.net.SSLSocketProvider (implements com.oracle.common.net.SocketProvider)
com.oracle.common.net.SSLSocketProvider.DefaultDependencies (implements com.oracle.common.net.SSLSocketProvider.Dependencies)
java.lang.Thread (implements java.lang.Runnable)
com.oracle.common.net.exabus.util.MessageBusTest.EventProcessor (implements java.lang.Runnable)
com.oracle.common.net.exabus.util.MessageBusTest.Transmitter
com.oracle.common.util.ThreadLocalRandom
javax.net.ssl.TrustManagerFactorySpi
com.oracle.common.internal.security.PeerX509TrustManagerFactory
com.oracle.common.collections.UnmodifiableSetCollection<E> (implements java.util.Set<E>)
com.oracle.common.net.exabus.util.UrlEndPoint (implements com.oracle.common.net.exabus.EndPoint)
com.oracle.common.base.VolatileHolder<V> (implements com.oracle.common.base.Holder<V>)
com.oracle.common.internal.io.WrapperBufferManager (implements com.oracle.common.io.BufferManager)
Interface Hierarchy:
com.oracle.common.base.Associated
com.oracle.common.base.Associator
com.oracle.common.base.Binary
com.oracle.common.net.exabus.Bus
com.oracle.common.net.exabus.MemoryBus
com.oracle.common.net.exabus.MessageBus
com.oracle.common.base.Collector<V>
com.oracle.common.base.Converter<F,T>
com.oracle.common.net.exabus.Depot
com.oracle.common.base.Disposable
com.oracle.common.io.BufferManager
com.oracle.common.io.BufferSequence
com.oracle.common.net.exabus.Event
com.oracle.common.net.exabus.spi.Driver
com.oracle.common.net.exabus.EndPoint
com.oracle.common.base.Factory<T>
com.oracle.common.base.Hasher<V>
com.oracle.common.base.Holder<V>
com.oracle.common.io.InputStreaming
com.oracle.common.internal.net.MultiplexedSocketProvider.Dependencies
com.oracle.common.internal.net.MultiplexedSocketProvider.MultiplexedChannel
com.oracle.common.base.Predicate<T>
com.oracle.common.internal.io.SegmentedBufferManager.BufferAllocator
com.oracle.common.net.SelectionService
com.oracle.common.net.SelectionService.Handler
com.oracle.common.internal.net.socketbus.SharedBuffer.Disposer
com.oracle.common.net.exabus.util.SimpleDepot.Dependencies
com.oracle.common.internal.net.socketbus.SocketBusDriver.Dependencies
com.oracle.common.net.SocketProvider
com.oracle.common.net.SSLSocketProvider.Dependencies
com.oracle.common.internal.net.WrapperSelector.WrapperSelectableChannel
Enum Hierarchy:
java.lang.Object
java.lang.Enum<E> (implements java.lang.Comparable<T>, java.io.Serializable)
com.oracle.common.net.exabus.Event.Type
com.oracle.common.internal.net.socketbus.AbstractSocketBus.ConnectionState
com.oracle.common.internal.net.socketbus.AbstractSocketBus.HandshakePhase
com.oracle.common.internal.net.socketbus.AbstractSocketBus.BusState
com.oracle.common.io.MemorySize.Magnitude
com.oracle.common.io.Bandwidth.Magnitude
com.oracle.common.io.Bandwidth.Rate
com.oracle.common.util.Duration.Magnitude
com.oracle.common.internal.net.MultiplexedSocketProvider.WellKnownSubPorts
Class Index:
AbstractBufferManager - Class in com.oracle.common.internal.io
AbstractBufferManager provides a skeletal implementation of the BufferManager interface.
AbstractBufferManager() - Constructor for class com.oracle.common.internal.io.AbstractBufferManager
AbstractSocketBus - Class in com.oracle.common.internal.net.socketbus
AbstractSocketBus provides a common base class for Socket based Bus implementations.
AbstractSocketBus(SocketBusDriver, UrlEndPoint) - Constructor for class com.oracle.common.internal.net.socketbus.AbstractSocketBus
Create an AbstractSocketBus around a ServerSocketChannel
AbstractSocketBus.AcceptHandler - Class in com.oracle.common.internal.net.socketbus
AcceptHandler accepts new client connections.
AbstractSocketBus.AcceptHandler(ServerSocketChannel) - Constructor for class com.oracle.common.internal.net.socketbus.AbstractSocketBus.AcceptHandler
Construct an AcceptHandler for the bus.
AbstractSocketBus.BusState - Enum in com.oracle.common.internal.net.socketbus
BusState represents the various states a Bus may be in.
AbstractSocketBus.Connection - Class in com.oracle.common.internal.net.socketbus
Connection contains the state associated with the connection to each connected peer.
AbstractSocketBus.Connection(UrlEndPoint) - Constructor for class com.oracle.common.internal.net.socketbus.AbstractSocketBus.Connection
Construct a Connection for the specified EndPoint.
AbstractSocketBus.ConnectionState - Enum in com.oracle.common.internal.net.socketbus
ConnectionState represents the state of the underlying Connection.
AbstractSocketBus.HandshakeHandler - Class in com.oracle.common.internal.net.socketbus
HandshakeHandler handles the initial transmissions on a SocketChannel as two buses handshake.
AbstractSocketBus.HandshakeHandler(SocketChannel, AbstractSocketBus.Connection) - Constructor for class com.oracle.common.internal.net.socketbus.AbstractSocketBus.HandshakeHandler
Construct a HandshakeHandler for the give SocketChannel.
AbstractSocketBus.HandshakePhase - Enum in com.oracle.common.internal.net.socketbus
HandshakePhase represents the state of the handshake protocol.
AbstractStableIterator<T> - Class in com.oracle.common.collections
An abstract Iterator implementation that is stable between the AbstractStableIterator.hasNext() and AbstractStableIterator.next() methods, and between the AbstractStableIterator.next() and AbstractStableIterator.remove() methods.
AbstractStableIterator() - Constructor for class com.oracle.common.collections.AbstractStableIterator
Default constructor.
accept() - Method in class com.oracle.common.internal.net.DemultiplexedSocketProvider.DemultiplexedServerSocketChannel
accept() - Method in class com.oracle.common.internal.net.MultiplexedSocketProvider.ListenChannel
accept() - Method in class com.oracle.common.internal.net.MultiplexedSocketProvider.Listener.Switcher
Accept the chanel and queue it to the appropriate MultiplexedServerSocketChannel
accept() - Method in class com.oracle.common.internal.net.MultiplexedSocketProvider.MultiplexedServerSocketChannel
accept() - Method in class com.oracle.common.internal.net.ssl.SSLServerSocket
accept() - Method in class com.oracle.common.internal.net.ssl.SSLServerSocketChannel
accept() - Method in class com.oracle.common.internal.net.WrapperServerSocket
accept() - Method in class com.oracle.common.internal.net.WrapperServerSocketChannel
acquire(int) - Method in class com.oracle.common.internal.io.CheckedBufferManager
Acquire a free ByteBuffer.
acquire(int) - Method in class com.oracle.common.internal.io.SegmentedBufferManager
acquire(int) - Method in class com.oracle.common.internal.io.WrapperBufferManager
acquire(int) - Method in interface com.oracle.common.io.BufferManager
Acquire a free ByteBuffer.
acquirePref(int) - Method in class com.oracle.common.internal.io.AbstractBufferManager
Acquire a free ByteBuffer, of any size.
acquirePref(int) - Method in class com.oracle.common.internal.io.CheckedBufferManager
Acquire a free ByteBuffer, of any size.
acquirePref(int) - Method in class com.oracle.common.internal.io.SegmentedBufferManager
acquirePref(int) - Method in class com.oracle.common.internal.io.WrapperBufferManager
acquirePref(int) - Method in interface com.oracle.common.io.BufferManager
Acquire a free ByteBuffer, of any size.
acquireSum(int) - Method in class com.oracle.common.internal.io.AbstractBufferManager
Acquire a free ByteBuffer, of any size.
acquireSum(int) - Method in class com.oracle.common.internal.io.CheckedBufferManager
Acquire a free ByteBuffer, of any size.
acquireSum(int) - Method in class com.oracle.common.internal.io.SegmentedBufferManager
acquireSum(int) - Method in class com.oracle.common.internal.io.WrapperBufferManager
acquireSum(int) - Method in interface com.oracle.common.io.BufferManager
Acquire a free ByteBuffer, of any size.
add(V) - Method in interface com.oracle.common.base.Collector
Notify the collector of a item of interest.
add(T) - Method in class com.oracle.common.collections.ConverterCollections.ConverterCollection
add(Map.Entry<TK, TV>) - Method in class com.oracle.common.collections.ConverterCollections.ConverterEntrySet
add(int, T) - Method in class com.oracle.common.collections.ConverterCollections.ConverterList
add(T) - Method in class com.oracle.common.collections.ConverterCollections.ConverterListIterator
add(E) - Method in class com.oracle.common.collections.UnmodifiableSetCollection
add(SocketChannel) - Method in class com.oracle.common.internal.net.MultiplexedSocketProvider.MultiplexedServerSocketChannel
Add an SocketChannel to the accept queue
add(Event) - Method in class com.oracle.common.net.exabus.util.MessageBusTest.DemultiplexingCollector
Notify the collector of a item of interest.
add(Event) - Method in class com.oracle.common.net.exabus.util.MessageBusTest.EventProcessor
Add an event for the processor to handle.
addAll(Collection<? extends T>) - Method in class com.oracle.common.collections.ConverterCollections.ConverterCollection
addAll(Collection<? extends Map.Entry<TK, TV>>) - Method in class com.oracle.common.collections.ConverterCollections.ConverterEntrySet
addAll(int, Collection<? extends T>) - Method in class com.oracle.common.collections.ConverterCollections.ConverterList
addAll(Collection<? extends E>) - Method in class com.oracle.common.collections.UnmodifiableSetCollection
addEvent(Event) - Method in class com.oracle.common.internal.net.socketbus.AbstractSocketBus
Add the specified Event to the Event Collector.
addFlushable(AbstractSocketBus.Connection) - Method in class com.oracle.common.internal.net.socketbus.AbstractSocketBus
Add a Connection to the set of connections awaiting a flush.
addPendingKey(SelectionKey) - Method in class com.oracle.common.internal.net.MultiplexedSocketProvider.MultiplexedSelector
Add the ready SelectionKey to the pending set.
addReceipt(Object) - Method in class com.oracle.common.internal.net.socketbus.AbstractSocketBus.Connection
Track a receipt associated with this peer.
addWriter() - Method in class com.oracle.common.internal.net.socketbus.BufferedSocketBus.BufferedConnection.WriteBatch
Add a thread to the set of concurrent writers.
advance() - Method in class com.oracle.common.collections.AbstractStableIterator
Advance to the next object.
advance() - Method in class com.oracle.common.collections.ChainedIterator
Advance to the next object.
advance(ByteBuffer[], int, int) - Method in class com.oracle.common.internal.net.ssl.SSLSocketChannel
Identify the distance to the next buffer which has available space.
ALGORITHM - Static variable in class com.oracle.common.internal.security.PeerX509TrustManager
The alogorithm used by this TrustManager.
allocate(int) - Method in interface com.oracle.common.internal.io.SegmentedBufferManager.BufferAllocator
Allocate and return buffer of the specified size.
append(ByteBuffer, boolean) - Method in class com.oracle.common.internal.net.socketbus.BufferedSocketBus.BufferedConnection.WriteBatch
Append the specified ByteBuffer to the batch.
append(BufferSequence) - Method in class com.oracle.common.internal.net.socketbus.BufferedSocketBus.BufferedConnection.WriteBatch
Append the specified BufferSequence to the batch.
append(BufferedSocketBus.BufferedConnection.WriteBatch) - Method in class com.oracle.common.internal.net.socketbus.BufferedSocketBus.BufferedConnection.WriteBatch
Append the specified WriteBatch to this WriteBatch
applyDriverProperties(String, Properties, SocketBusDriver.DefaultDependencies) - Static method in class com.oracle.common.net.exabus.util.MessageBusTest
Configure a SocketBusDriver from the provided propeties.
as(Bandwidth.Magnitude) - Method in class com.oracle.common.io.Bandwidth
Obtain the Bandwidth as a value in the specified Bandwidth.Magnitude.
as(Bandwidth.Rate) - Method in class com.oracle.common.io.Bandwidth
Obtain the Bandwidth as a value in the specified Bandwidth.Rate.
as(MemorySize.Magnitude) - Method in class com.oracle.common.io.MemorySize
Obtain the MemorySize as a value in the specified MemorySize.Magnitude.
as(Duration.Magnitude) - Method in class com.oracle.common.util.Duration
Obtains the Duration in the specified Duration.Magnitude (rounded down).
Associated - Interface in com.oracle.common.base
The Associated interface facilitates the creation of a very generic equivalence relation between different objects and allows to group them based on the equality of the "association key" object returned by the Associated.getAssociatedKey() method.
Associator - Interface in com.oracle.common.base
The Associator interface facilitates the creation of a very generic equivalence relation between different objects and allows to group them based on the equality of the "association key" object returned by the Associator.getAssociatedKey(java.lang.Object) method.
attach() - Method in class com.oracle.common.internal.net.socketbus.SharedBuffer
Increment the reference count.
available() - Method in class com.oracle.common.io.BufferSequenceInputStream
available() - Method in interface com.oracle.common.io.InputStreaming
Returns the number of bytes that can be read (or skipped over) from this input stream without causing a blocking I/O condition to occur.
Bandwidth - Class in com.oracle.common.io
A Bandwidth represents an amount of memory (measured in bits) being transfered per second.
Bandwidth(String) - Constructor for class com.oracle.common.io.Bandwidth
Construct a Bandwidth by parsing the specified String.
Bandwidth(double, Bandwidth.Rate) - Constructor for class com.oracle.common.io.Bandwidth
Construct a Bandwidth given a specified units and Bandwidth.Rate.
Bandwidth(int, Bandwidth.Rate) - Constructor for class com.oracle.common.io.Bandwidth
Construct a Bandwidth given a specified units and Bandwidth.Rate.
Bandwidth(long, Bandwidth.Rate) - Constructor for class com.oracle.common.io.Bandwidth
Construct a Bandwidth give a specified number of bytes.
Bandwidth.Magnitude - Enum in com.oracle.common.io
A Bandwidth.Magnitude of Bandwidth.
Bandwidth.Rate - Enum in com.oracle.common.io
A Bandwidth.Rate of a Bandwidth per second.
Binary - Interface in com.oracle.common.base
A thread-safe immutable binary object.
bind(SocketAddress) - Method in class com.oracle.common.internal.net.DemultiplexedSocketProvider.DemultiplexedSocket
bind(SocketAddress) - Method in class com.oracle.common.internal.net.MultiplexedSocketProvider.MultiplexedSocket
bind(SocketAddress) - Method in class com.oracle.common.internal.net.WrapperServerSocket
bind(SocketAddress, int) - Method in class com.oracle.common.internal.net.WrapperServerSocket
bind(SocketAddress) - Method in class com.oracle.common.internal.net.WrapperSocket
BUF_MIN_SIZE - Static variable in class com.oracle.common.internal.io.SegmentedBufferManager
The absolute minimum ByteBuffer size supported by this implementation.
BufferedSocketBus - Class in com.oracle.common.internal.net.socketbus
BufferedSocketBus adds write buffering to the AbstractSocketBus.
BufferedSocketBus(SocketBusDriver, UrlEndPoint) - Constructor for class com.oracle.common.internal.net.socketbus.BufferedSocketBus
Construct a BufferedSocketMessageBus.
BufferedSocketBus.BufferedConnection - Class in com.oracle.common.internal.net.socketbus
BufferedConnection implements a reliable stream connection with I/O offloading.
BufferedSocketBus.BufferedConnection(UrlEndPoint) - Constructor for class com.oracle.common.internal.net.socketbus.BufferedSocketBus.BufferedConnection
Create a BufferedConnection for the specified peer.
BufferedSocketBus.BufferedConnection.WriteBatch - Class in com.oracle.common.internal.net.socketbus
WriteBatch is used to encapsulate an array of ByteBuffers which are to be written to the connection.
BufferedSocketBus.BufferedConnection.WriteBatch() - Constructor for class com.oracle.common.internal.net.socketbus.BufferedSocketBus.BufferedConnection.WriteBatch
BufferManager - Interface in com.oracle.common.io
BufferManager defines a mechanism for efficient buffer re-use.
BufferManagers - Class in com.oracle.common.io
BufferManagers provides access to pre-defined system-wide managers.
BufferManagers() - Constructor for class com.oracle.common.io.BufferManagers
Buffers - Class in com.oracle.common.io
Buffers contains a number of Buffer related helpers.
Buffers() - Constructor for class com.oracle.common.io.Buffers
BufferSequence - Interface in com.oracle.common.io
BufferSequence represents a series of ByteBuffers.
BufferSequenceInputStream - Class in com.oracle.common.io
An InputStream implementation on top of a BufferSequence.
BufferSequenceInputStream(BufferSequence) - Constructor for class com.oracle.common.io.BufferSequenceInputStream
Construct a BufferSequenceInputStream over a BufferSequence object.
BufferSequenceOutputStream - Class in com.oracle.common.io
BufferSequenceOutputStream is an implementation of an OutputStream which which produces a BufferSequence.
BufferSequenceOutputStream(BufferManager) - Constructor for class com.oracle.common.io.BufferSequenceOutputStream
Construct a BufferSequenceOutputStream.
BufferSequenceOutputStream(BufferManager, int) - Constructor for class com.oracle.common.io.BufferSequenceOutputStream
Construct a BufferSequenceOutputStream.
Bus - Interface in com.oracle.common.net.exabus
A Bus represents a communication mechanism that allows the exchange of information between multiple peers, called EndPoints.
calculateSegmentSizes(int, int) - Static method in class
com.oracle.common.internal.io.SegmentedBufferManager
Creates an array with the sizes of each segment based on the cbBufferMin and the growth factor.
cancel() - Method in class com.oracle.common.internal.net.ssl.SSLSocketChannel.SSLSelectionKey
cancel() - Method in class com.oracle.common.internal.net.WrapperSelector.WrapperSelectionKey
ChainedIterator<T> - Class in com.oracle.common.collections
Provide an Iterator which iterates over the contents of multiple Iterators.
ChainedIterator(Iterator<T>, Iterator<T>) - Constructor for class com.oracle.common.collections.ChainedIterator
Construct an enumerator that will first enumerate the first Iterator and then will enumerate the second Iterator as if they were together a single Iterator.
ChainedIterator(Iterator<T>[]) - Constructor for class com.oracle.common.collections.ChainedIterator
Construct an enumerator that will first enumerate the Iterators passed in the array as if they were together a single enumerator.
channel() - Method in class com.oracle.common.internal.net.MultiplexedSocketProvider.MultiplexedSocketChannel.SocketSelectionKey
channel() - Method in class com.oracle.common.internal.net.ssl.SSLSocketChannel.SSLSelectionKey
channel() - Method in class com.oracle.common.internal.net.WrapperSelector.WrapperSelectionKey
checkClientTrusted(X509Certificate[], String) - Method in class com.oracle.common.internal.security.PeerX509TrustManager
Determine if the leaf certificate in the given certificate chain is contained in the trusted peer key store.
CheckedBufferManager - Class in com.oracle.common.internal.io
CheckedBufferManager is a BufferManager wrapper which adds on safety checks to detect improper re-use of ByteBuffers.
CheckedBufferManager(BufferManager) - Constructor for class com.oracle.common.internal.io.CheckedBufferManager
Construct a CheckedBufferManager around the specified manager.
checkPeerTrusted(X509Certificate[], String) - Method in class com.oracle.common.internal.security.PeerX509TrustManager
Determine if the leaf certificate in the given certificate chain is contained in the trusted peer key store.
checkServerTrusted(X509Certificate[], String) - Method in class com.oracle.common.internal.security.PeerX509TrustManager
Determine if the leaf certificate in the given certificate chain is contained in the trusted peer key store.
clear() - Method in class com.oracle.common.collections.ConverterCollections.ConverterCollection
clear() - Method in class com.oracle.common.collections.ConverterCollections.ConverterEntrySet
clear() - Method in class com.oracle.common.collections.ConverterCollections.ConverterMap
clear() - Method in class com.oracle.common.collections.UnmodifiableSetCollection
close(InetSocketAddress32) - Method in class com.oracle.common.internal.net.MultiplexedSocketProvider
Stop listening for connections on the specified address.
close() - Method in class com.oracle.common.internal.net.MultiplexedSocketProvider.MultiplexedSocket
close() - Method in class com.oracle.common.internal.net.socketbus.AbstractSocketBus
Close the bus, preventing any further data exchanges.
close() - Method in class com.oracle.common.internal.net.socketbus.AbstractSocketBus.Connection
close(Throwable) - Method in class com.oracle.common.internal.net.socketbus.AbstractSocketBus.HandshakeHandler
Close the HandshakeHandler's channel.
close() - Method in class com.oracle.common.internal.net.WrapperServerSocket
close() - Method in class com.oracle.common.internal.net.WrapperSocket
close() - Method in class com.oracle.common.io.BufferSequenceInputStream
close() - Method in class com.oracle.common.io.BufferSequenceOutputStream
close() - Method in interface com.oracle.common.io.InputStreaming
Close the InputStream and release any system resources associated with it.
close() - Method in interface com.oracle.common.net.exabus.Bus
Close the bus, preventing any further data exchanges.
close() - Method in class com.oracle.common.net.exabus.util.MessageBusTest.EchoBus
closeOutbound() - Method in class com.oracle.common.internal.net.ssl.SSLSocketChannel
Called to terminate to accept termination of the end of the connection.
Collector<V> - Interface in com.oracle.common.base
A Collector is mechanism for receiving items.
com.oracle.common.base - package com.oracle.common.base
com.oracle.common.collections - package com.oracle.common.collections
com.oracle.common.internal.io - package com.oracle.common.internal.io
com.oracle.common.internal.net - package com.oracle.common.internal.net
com.oracle.common.internal.net.socketbus - package com.oracle.common.internal.net.socketbus
com.oracle.common.internal.net.ssl - package com.oracle.common.internal.net.ssl
com.oracle.common.internal.security - package com.oracle.common.internal.security
com.oracle.common.io - package com.oracle.common.io
com.oracle.common.net - package com.oracle.common.net
com.oracle.common.net.exabus - package com.oracle.common.net.exabus
com.oracle.common.net.exabus.spi - package com.oracle.common.net.exabus.spi
com.oracle.common.net.exabus.util - package com.oracle.common.net.exabus.util
com.oracle.common.util - package com.oracle.common.util
comparator() - Method in class com.oracle.common.collections.ConverterCollections.ConverterSortedMap
comparator() - Method in class com.oracle.common.collections.ConverterCollections.ConverterSortedSet
compare(T, T) - Method in class com.oracle.common.collections.ConverterCollections.ConverterComparator
compare(InetAddress, InetAddress) - Method in class com.oracle.common.net.InetAddressComparator
compare(SocketAddress, SocketAddress) - Method in class com.oracle.common.net.InetSocketAddressComparator
compareAndSwap(EndPoint, long, long, long, Holder<Long>, Object) - Method in interface com.oracle.common.net.exabus.MemoryBus
Request an atomic compare and swap (CAS) operation on an eight byte word in the peer's memory.
computeLength(ByteBuffer[], int, int) - Static method in class com.oracle.common.io.MultiBufferSequence
Return the number of remaning bytes in the supplied ByteBuffer array.
computePort(int, int) - Static method in class com.oracle.common.internal.net.MultiplexedSocketProvider
Compute the 32 bit port from the specified base and sub port
configure(ServerSocket, SocketOptions) - Static method in class com.oracle.common.net.Sockets
Apply the specified options to a socket.
configure(Socket, SocketOptions) - Static method in class com.oracle.common.net.Sockets
Apply the specified options to a socket.
configure(DatagramSocket, SocketOptions) - Static method in class com.oracle.common.net.Sockets
Apply the specified options to a socket.
configure(MulticastSocket, SocketOptions) - Method in class com.oracle.common.net.Sockets
Apply the specified options to a socket.
configureSocket(Socket) - Method in class com.oracle.common.internal.net.socketbus.AbstractSocketBus
Configure the specified Socket
configureSocket(ServerSocket) - Method in class com.oracle.common.internal.net.socketbus.AbstractSocketBus
Configure the specified ServerSocket
connect(SocketAddress) - Method in class com.oracle.common.internal.net.DemultiplexedSocketProvider.DemultiplexedSocket
connect(SocketAddress, int) - Method in class com.oracle.common.internal.net.DemultiplexedSocketProvider.DemultiplexedSocket
connect(SocketAddress) - Method in class com.oracle.common.internal.net.DemultiplexedSocketProvider.DemultiplexedSocketChannel
connect(SocketAddress) - Method in class com.oracle.common.internal.net.MultiplexedSocketProvider.MultiplexedSocket
connect(SocketAddress, int) - Method in class com.oracle.common.internal.net.MultiplexedSocketProvider.MultiplexedSocket
connect(SocketAddress) - Method in class com.oracle.common.internal.net.MultiplexedSocketProvider.MultiplexedSocketChannel
connect(EndPoint) - Method in class com.oracle.common.internal.net.socketbus.AbstractSocketBus
Connect this bus to an EndPoint.
connect(SocketAddress, int) - Method in class com.oracle.common.internal.net.ssl.SSLSocket
connect(SocketAddress) - Method in class com.oracle.common.internal.net.WrapperSocket
connect(SocketAddress, int) - Method in class com.oracle.common.internal.net.WrapperSocket
connect(SocketAddress) - Method in class com.oracle.common.internal.net.WrapperSocketChannel
connect(EndPoint) - Method in interface com.oracle.common.net.exabus.Bus
Connect this bus to an EndPoint.
connect(EndPoint) - Method in class com.oracle.common.net.exabus.util.MessageBusTest.EchoBus
contains(Object) - Method in class com.oracle.common.collections.ConverterCollections.ConverterCollection
contains(Object) - Method in class com.oracle.common.collections.ConverterCollections.ConverterEntrySet
contains(Object) - Method in class com.oracle.common.collections.UnmodifiableSetCollection
containsAll(Collection<?>) - Method in class com.oracle.common.collections.ConverterCollections.ConverterCollection
containsAll(Collection<?>) - Method in class com.oracle.common.collections.ConverterCollections.ConverterEntrySet
containsAll(Collection<?>) - Method in class com.oracle.common.collections.UnmodifiableSetCollection
containsKey(Object) - Method in class com.oracle.common.collections.ConverterCollections.ConverterMap
containsValue(Object) - Method in class com.oracle.common.collections.ConverterCollections.ConverterMap
continueProtocol() - Method in class com.oracle.common.internal.net.ssl.SSLSocketChannel
Continue the protocol by waking up the selector.
convert(F) - Method in interface com.oracle.common.base.Converter
Convert the passed object to another object.
convert(long, Bandwidth.Rate, Bandwidth.Rate) - Static method in enum com.oracle.common.io.Bandwidth.Rate
Convert a number of units of the specified Bandwidth.Rate to another Bandwidth.Rate.
convertArray(Object[], Converter<F, T>) - Static method in class com.oracle.common.collections.ConverterCollections
Convert the contents of the passed array.
convertArray(Object[], Converter<F, T>, Object[]) - Static method in class com.oracle.common.collections.ConverterCollections
Convert the contents of the passed source array into an array with the component type of the passed destination array, using the destination array itself if it is large enough, and placing a null in the first unused element of the destination array if it is larger than the source array.
Converter<F,T> - Interface in com.oracle.common.base
Provide for "pluggable" object conversions.
ConverterCollections - Class in com.oracle.common.collections
A collection of Collection implementation classes that use the Converter interface to convert the items stored in underlying collection objects.
ConverterCollections() - Constructor for class com.oracle.common.collections.ConverterCollections
ConverterCollections.AbstractConverterEntry<FK,TK,FV,TV> - Class in com.oracle.common.collections
An abstract Map Entry that lazily converts the key and value.
ConverterCollections.AbstractConverterEntry(Map.Entry<FK, FV>) - Constructor for class com.oracle.common.collections.ConverterCollections.AbstractConverterEntry
Constructor.
ConverterCollections.ConverterCollection<F,T> - Class in com.oracle.common.collections
A Converter Collection views an underlying Collection through a Converter.
ConverterCollections.ConverterCollection(Collection<F>, Converter<F, T>, Converter<T, F>) - Constructor for class com.oracle.common.collections.ConverterCollections.ConverterCollection
Constructor.
ConverterCollections.ConverterComparator<F,T> - Class in com.oracle.common.collections
A Comparator that Converts the elements before comparing them.
ConverterCollections.ConverterComparator(Comparator<? super F>, Converter<T, F>) - Constructor for class com.oracle.common.collections.ConverterCollections.ConverterComparator
Constructor.
ConverterCollections.ConverterEntry<FK,TK,FV,TV> - Class in com.oracle.common.collections
A Map Entry that lazily converts the key and value.
ConverterCollections.ConverterEntry(Map.Entry<FK, FV>, Converter<FK, TK>, Converter<FV, TV>, Converter<TV, FV>) - Constructor for class com.oracle.common.collections.ConverterCollections.ConverterEntry
Constructor.
ConverterCollections.ConverterEntrySet<FK,TK,FV,TV> - Class in com.oracle.common.collections
A Converter Entry Set views an underlying Entry Set through a set of key and value Converters.
ConverterCollections.ConverterEntrySet(Collection<Map.Entry<FK, FV>>, Converter<FK, TK>, Converter<TK, FK>, Converter<FV, TV>, Converter<TV, FV>) - Constructor for class com.oracle.common.collections.ConverterCollections.ConverterEntrySet
Constructor.
ConverterCollections.ConverterEntrySet.ConverterEntry - Class in com.oracle.common.collections
A Map Entry that lazily converts the key and value.
ConverterCollections.ConverterEntrySet.ConverterEntry(Map.Entry<FK, FV>) - Constructor for class com.oracle.common.collections.ConverterCollections.ConverterEntrySet.ConverterEntry
Constructor.
ConverterCollections.ConverterEntrySet.ConverterIterator - Class in com.oracle.common.collections
A Map Entry Iterator that converts the key and value types.
ConverterCollections.ConverterEntrySet.ConverterIterator(Iterator<Map.Entry<FK, FV>>) - Constructor for class com.oracle.common.collections.ConverterCollections.ConverterEntrySet.ConverterIterator
Constructor.
ConverterCollections.ConverterEnumerator<F,T> - Class in com.oracle.common.collections
Provide an implementation of an enumerator which converts each of the items which it enumerates.
ConverterCollections.ConverterEnumerator(Enumeration<F>, Converter<F, T>) - Constructor for class com.oracle.common.collections.ConverterCollections.ConverterEnumerator
Construct the Converter enumerator based on an Enumeration.
ConverterCollections.ConverterEnumerator(Iterator<F>, Converter<F, T>) - Constructor for class com.oracle.common.collections.ConverterCollections.ConverterEnumerator
Construct the Converter enumerator based on an Iterator.
ConverterCollections.ConverterEnumerator(Object[], Converter<F, T>) - Constructor for class com.oracle.common.collections.ConverterCollections.ConverterEnumerator
Construct the Converter enumerator based on an array of objects.
ConverterCollections.ConverterList<F,T> - Class in com.oracle.common.collections
A Converter List views an underlying List through a Converter.
ConverterCollections.ConverterList(List<F>, Converter<F, T>, Converter<T, F>) - Constructor for class com.oracle.common.collections.ConverterCollections.ConverterList
Constructor.
ConverterCollections.ConverterListIterator<F,T> - Class in com.oracle.common.collections
A Converter ListIterator views an underlying ListIterator through a Converter.
ConverterCollections.ConverterListIterator(ListIterator<F>, Converter<F, T>, Converter<T, F>) - Constructor for class com.oracle.common.collections.ConverterCollections.ConverterListIterator
Constructor.
ConverterCollections.ConverterMap<FK,TK,FV,TV> - Class in com.oracle.common.collections
A Converter Map views an underlying Map through a set of key and value Converters.
ConverterCollections.ConverterMap(Map<FK, FV>, Converter<FK, TK>, Converter<TK, FK>, Converter<FV, TV>, Converter<TV, FV>) - Constructor for class com.oracle.common.collections.ConverterCollections.ConverterMap
Constructor.
ConverterCollections.ConverterSet<F,T> - Class in com.oracle.common.collections
A Converter Set views an underlying Set through a Converter.
ConverterCollections.ConverterSet(Set<F>, Converter<F, T>, Converter<T, F>) - Constructor for class com.oracle.common.collections.ConverterCollections.ConverterSet
Constructor.
ConverterCollections.ConverterSortedMap<FK,TK,FV,TV> - Class in com.oracle.common.collections
A Converter SortedMap views an underlying SortedMap through a set of key and value Converters.
ConverterCollections.ConverterSortedMap(SortedMap<FK, FV>, Converter<FK, TK>, Converter<TK, FK>, Converter<FV, TV>, Converter<TV, FV>) - Constructor for class com.oracle.common.collections.ConverterCollections.ConverterSortedMap
Constructor.
ConverterCollections.ConverterSortedSet<F,T> - Class in com.oracle.common.collections
A Converter SortedSet views an underlying SortedSet through a Converter.
ConverterCollections.ConverterSortedSet(SortedSet<F>, Converter<F, T>, Converter<T, F>) - Constructor for class com.oracle.common.collections.ConverterCollections.ConverterSortedSet
Constructor.
copyDependencies(MultiplexedSocketProvider.Dependencies) - Method in class com.oracle.common.internal.net.MultiplexedSocketProvider
Produce a copy of the specified Dependencies object.
copyDependencies(SocketBusDriver.Dependencies) - Method in class com.oracle.common.internal.net.socketbus.SocketBusDriver
Produce a shallow copy of the supplied dependencies.
copyDependencies(SimpleDepot.Dependencies) - Method in class com.oracle.common.net.exabus.util.SimpleDepot
Produce a shallow copy of the supplied dependencies.
copyDependencies(SSLSocketProvider.Dependencies) - Method in class com.oracle.common.net.SSLSocketProvider
Produce a shallow copy of the supplied dependencies.
create() - Method in interface com.oracle.common.base.Factory
Create a new instance.
create() - Method in class com.oracle.common.internal.net.HashSelectionService.ServiceFactory
Create a new instance.
create() - Method in class com.oracle.common.internal.net.ResumableSelectionService.ServiceFactory
Create a new instance.
createBus(EndPoint) - Method in class com.oracle.common.internal.net.socketbus.SocketBusDriver
Create a new Bus bound to the specified local EndPoint.
createBus(EndPoint) - Method in interface com.oracle.common.net.exabus.spi.Driver
Create a new Bus bound to the specified local EndPoint.
createBus(EndPoint) - Method in class com.oracle.common.net.exabus.util.MessageBusTest.EchoBus.EchoDriver
createMemoryBus(EndPoint) - Method in interface com.oracle.common.net.exabus.Depot
Create a new MemoryBus bound to the specified local EndPoint.
createMemoryBus(EndPoint) - Method in class com.oracle.common.net.exabus.util.SimpleDepot
Create a new MemoryBus bound to the specified local EndPoint.
createMessageBus(EndPoint) - Method in interface com.oracle.common.net.exabus.Depot
Create a new MessageBus bound to the specified local EndPoint.
createMessageBus(EndPoint) - Method in class com.oracle.common.net.exabus.util.SimpleDepot
Create a new MessageBus bound to the specified local EndPoint.
createServerSocket() - Method in class com.oracle.common.internal.net.DemultiplexedSocketProvider.DemultiplexedServerSocketChannel
createServerSocket() - Method in class com.oracle.common.internal.net.MultiplexedSocketProvider.MultiplexedServerSocketChannel
createUnresolved(String, int) - Static method in class com.oracle.common.net.InetSocketAddress32
Creates an unresolved socket address from a hostname and a port number.
DaemonThreadFactory - Class in com.oracle.common.util
DaemonThreadFactory is a ThreadFactory which produces daemon threads.
DaemonThreadFactory() - Constructor for class com.oracle.common.util.DaemonThreadFactory
Construct a new DaemonThreadFactory.
DaemonThreadFactory(String) - Constructor for class com.oracle.common.util.DaemonThreadFactory
Construct a new DaemonThreadFactory.
decrypt(ByteBuffer[], int, int) - Method in class com.oracle.common.internal.net.ssl.SSLSocketChannel
Decrypt from the incomming network buffer into the supplied buffers.
DEFAULT_BUF_MIN_SIZE - Static variable in class com.oracle.common.internal.io.SegmentedBufferManager
The default size of the smallest ByteBuffer.
DEFAULT_BUFFER_MANAGER - Static variable in class com.oracle.common.internal.net.socketbus.SocketBusDriver.DefaultDependencies
Default BufferManager.
DEFAULT_OPTIONS - Static variable in class com.oracle.common.internal.net.socketbus.SocketBusDriver.DefaultDependencies
Default SocketOptions.
DEFAULT_SEGMENT_COUNT - Static variable in class com.oracle.common.internal.io.SegmentedBufferManager
The default number of segments.
DEFAULT_STATS_FREQUENCY - Static variable in class com.oracle.common.internal.io.SegmentedBufferManager
The default release frequency at which to records statistics.
delayProtocol(int, int, int) - Method in class com.oracle.common.internal.net.ssl.SSLSocketChannel
Delay the protocol waiting to do the specified operation.
delegate() - Method in class com.oracle.common.internal.net.MultiplexedSocketProvider.MultiplexedSocketChannel
Return the delegate channel
DemultiplexedSocketProvider - Class in com.oracle.common.internal.net
DemultiplexedSocketProvider is a bridge Socket provider that allows to use MultiplexedSocketProvider without converting the socket addresses into InetSocketAddres32.
DemultiplexedSocketProvider(MultiplexedSocketProvider, int) - Constructor for class com.oracle.common.internal.net.DemultiplexedSocketProvider
Construct a DemultiplexedSocketProvider
DemultiplexedSocketProvider.DemultiplexedServerSocketChannel - Class in com.oracle.common.internal.net
DemultiplexedServerSocketChannel extends MultiplexedServerSocketChannel so that it can covert all the SocketAddresses into InetSocketAddress32
DemultiplexedSocketProvider.DemultiplexedServerSocketChannel(MultiplexedSocketProvider) - Constructor for class com.oracle.common.internal.net.DemultiplexedSocketProvider.DemultiplexedServerSocketChannel
Create a DemultiplexedServerSocketChannel
DemultiplexedSocketProvider.DemultiplexedSocket - Class in com.oracle.common.internal.net
DemultiplexedSocketChannel extends MultiplexedSocketChannel so that it can convert all the SocketAddresses into InetSocketAddress32
DemultiplexedSocketProvider.DemultiplexedSocket(Socket, SocketChannel) - Constructor for class com.oracle.common.internal.net.DemultiplexedSocketProvider.DemultiplexedSocket
Create a DemultiplexedSocket.
DemultiplexedSocketProvider.DemultiplexedSocketChannel - Class in com.oracle.common.internal.net
DemultiplexedSocketChannel extends MultiplexedSocketChannel so that it can convert all the SocketAddresses into InetSocketAddress32
DemultiplexedSocketProvider.DemultiplexedSocketChannel(MultiplexedSocketProvider.MultiplexedSocketChannel) - Constructor for class com.oracle.common.internal.net.DemultiplexedSocketProvider.DemultiplexedSocketChannel
Create a DemultiplexedSocketChannel
DemultiplexedSocketProvider.DemultiplexedSocketChannel(MultiplexedSocketProvider) - Constructor for class com.oracle.common.internal.net.DemultiplexedSocketProvider.DemultiplexedSocketChannel
Create a DemultiplexedSocketChannel
Depot - Interface in com.oracle.common.net.exabus
A Depot serves as a factory for creating EndPoints and Buses.
deregister(int) - Method in class com.oracle.common.internal.net.MultiplexedSocketProvider.Listener
Deregister an acceptor.
detach() - Method in class com.oracle.common.internal.net.socketbus.SharedBuffer
Decrement the reference count, releaseing the buffer if the count reaches zero.
disconnect(EndPoint) - Method in class com.oracle.common.internal.net.socketbus.AbstractSocketBus
Disconnect an EndPoint from this bus.
disconnect(EndPoint) - Method in interface com.oracle.common.net.exabus.Bus
Disconnect an EndPoint from this bus.
disconnect(EndPoint) - Method in class com.oracle.common.net.exabus.util.MessageBusTest.EchoBus
Disposable - Interface in com.oracle.common.base
The Disposable interface is used for life-cycle management of resources.
dispose() - Method in interface com.oracle.common.base.Disposable
Invoked when all resources owned by the implementor can safely be released.
dispose() - Method in class com.oracle.common.internal.io.CheckedBufferManager
Invoked when all resources owned by the implementor can safely be released.
dispose() - Method in class com.oracle.common.internal.io.SegmentedBufferManager
dispose() - Method in class com.oracle.common.internal.io.WrapperBufferManager
dispose() - Method in class com.oracle.common.internal.net.socketbus.MultiBufferMessageEvent
Invoked when all resources owned by the implementor can safely be released.
dispose() - Method in class com.oracle.common.internal.net.socketbus.SharedBuffer
Decrement the SharedBuffer's reference count, once it reaches zero the shared buffer will be released to the manager.
dispose(ByteBuffer) - Method in interface com.oracle.common.internal.net.socketbus.SharedBuffer.Disposer
Dispose byte buffer
dispose() - Method in class com.oracle.common.internal.net.socketbus.SharedBuffer.Segment
Decrement the reference count of the SharedBuffer associated with this Segment.
dispose() - Method in class com.oracle.common.internal.net.socketbus.SingleBufferMessageEvent
Invoked when all resources owned by the implementor can safely be released.
dispose() - Method in class com.oracle.common.internal.net.socketbus.SocketMessageBus.MessageConnection.ReadBatch
Invoked when all resources owned by the implementor can safely be released.
dispose(ByteBuffer) - Method in class com.oracle.common.internal.net.socketbus.SocketMessageBus.MessageConnection.ReadBatch.SharedBufferDisposer
dispose() - Method in class com.oracle.common.internal.net.socketbus.SocketMessageBus.MessageConnection.ReadBatch.TaskEvent
dispose() - Method in class com.oracle.common.io.MultiBufferSequence
Invoked when all resources owned by the implementor can safely be released.
dispose() - Method in class com.oracle.common.io.SingleBufferSequence
Invoked when all resources owned by the implementor can safely be released.
dispose() - Method in interface com.oracle.common.net.exabus.Event
Dispose of the event, releasing any resources associated with it.
dispose() - Method in class com.oracle.common.net.exabus.util.MessageBusTest.StampedEvent
dispose() - Method in class com.oracle.common.net.exabus.util.SimpleEvent
Dispose of the event, releasing any resources associated with it.
drainClearBuffer(ByteBuffer[], int, int) - Method in class com.oracle.common.internal.net.ssl.SSLSocketChannel
Drain as much of the clear-text buffer into the supplied buffers The caller must hold the read monitor.
Driver - Interface in com.oracle.common.net.exabus.spi
A Driver represents a distinct bus implementation.
Duration - Class in com.oracle.common.util
A Duration represents an amount of time, with nanosecond accuracy.
Duration(Duration) - Constructor for class com.oracle.common.util.Duration
Construct a Duration given another Duration.
Duration(long) - Constructor for class com.oracle.common.util.Duration
Construct a Duration give a specified number of nano seconds.
Duration(String) - Constructor for class com.oracle.common.util.Duration
Construct a Duration by parsing the specified String.
Duration(double, Duration.Magnitude) - Constructor for class com.oracle.common.util.Duration
Construct a Duration given a specified amount of a Duration.Magnitude.
Duration(int, Duration.Magnitude) - Constructor for class com.oracle.common.util.Duration
Construct a Duration given a specified amount of a Duration.Magnitude.
Duration(String, Duration.Magnitude) - Constructor for class com.oracle.common.util.Duration
Construct a Duration by parsing the specified String.
Duration.Magnitude - Enum in com.oracle.common.util
The Duration.Magnitude of the Duration.
emitEvent(Event) - Method in class com.oracle.common.internal.net.socketbus.AbstractSocketBus
Emit the specified Event to the Event Collector.
encrypt(ByteBuffer[], int, int) - Method in class com.oracle.common.internal.net.ssl.SSLSocketChannel
Encrypt the supplied contents, storing them in the outgoing buffer.
EndPoint - Interface in com.oracle.common.net.exabus
EndPoint provides an opaque representation of an address for a Bus.
endProtocol() - Method in class com.oracle.common.internal.net.ssl.SSLSocketChannel
Update the SelectionKeys once the handshake protocol has completed.
engineGetTrustManagers() - Method in class com.oracle.common.internal.security.PeerX509TrustManagerFactory
Return one trust manager for each type of trust material.
engineInit(KeyStore) - Method in class com.oracle.common.internal.security.PeerX509TrustManagerFactory
Initialize this factory with a source of certificate authorities and related trust material.
engineInit(ManagerFactoryParameters) - Method in class com.oracle.common.internal.security.PeerX509TrustManagerFactory
Initialize this factory with a source of provider-specific key material.
ensureAdditionalBufferCapacity(int) - Method in class com.oracle.common.internal.net.socketbus.BufferedSocketBus.BufferedConnection.WriteBatch
Ensure the buffer array has enough capacity to add the specified number of buffers.
ensureAdditionalRecycleCapacity(int) - Method in class com.oracle.common.internal.net.socketbus.BufferedSocketBus.BufferedConnection.WriteBatch
Ensure the recycle buffer array has enough capacity to add the specified number of buffers.
ensureArgument(Object, String) - Static method in class com.oracle.common.internal.net.socketbus.SocketBusDriver.DefaultDependencies
Ensure that the specified object is non-null
ensureArgument(Object, String) - Static method in class com.oracle.common.net.exabus.util.SimpleDepot.DefaultDependencies
Ensure that the specified object is non-null.
ensureArgument(Object, String) - Static method in class com.oracle.common.net.SSLSocketProvider.DefaultDependencies
Ensure that the specified object is non-null
ensureBufferList() - Method in class com.oracle.common.io.BufferSequenceOutputStream
Return the buffer list, creating it if necessary.
ensureCapacity(long) - Method in class com.oracle.common.internal.net.socketbus.SocketMessageBus.MessageConnection.ReadBatch
Ensure that m_aBuffer has sufficient writable capacity.
ensureCompatibility(ByteBuffer) - Method in class com.oracle.common.internal.io.AbstractBufferManager
Ensure that the specified buffer is compatible with this manager.
ensureConnection(EndPoint) - Method in class com.oracle.common.internal.net.socketbus.AbstractSocketBus
Return the bus connection for the specified EndPoint.
ensureIOException(Exception) - Static method in class com.oracle.common.net.SdpSocketProvider
Return an IOException for the specified Exception
ensureOpen() - Method in class com.oracle.common.internal.net.MultiplexedSocketProvider.MultiplexedSelector
Ensure that the Selector is open.
ensureRegistration() - Static method in class com.oracle.common.internal.security.SecurityProvider
Ensure that an instance of this provider has been registered with the system.
ensureSessionValidity(SSLSession, Socket) - Method in class com.oracle.common.net.SSLSocketProvider
Ensure that supplied session is acceptable.
ensureThread() - Method in class com.oracle.common.internal.net.ResumableSelectionService
Ensure that there is a service thread running.
ensureValid() - Method in class com.oracle.common.internal.net.socketbus.AbstractSocketBus.Connection
Ensure that the connection is usable.
entrySet() - Method in class com.oracle.common.collections.ConverterCollections.ConverterMap
EPHEMERAL_SUB_PORT_START - Static variable in class com.oracle.common.internal.net.MultiplexedSocketProvider
The start of the ephemeral sub-port range.
equals(V, V) - Method in interface com.oracle.common.base.Hasher
Compare two objects for equality.
equals(V, V) - Method in class com.oracle.common.base.IdentityHasher
Compare two objects for equality.
equals(V, V) - Method in class com.oracle.common.base.NaturalHasher
Compare two objects for equality.
equals(Object) - Method in class com.oracle.common.collections.ConverterCollections.AbstractConverterEntry
equals(Object) - Method in class com.oracle.common.collections.ConverterCollections.ConverterCollection
Compares the specified object with this collection for equality.
equals(Object) - Method in class com.oracle.common.collections.ConverterCollections.ConverterEntrySet
equals(Object) - Method in class com.oracle.common.collections.ConverterCollections.ConverterList
Compares the specified object with this collection for equality.
equals(Object) - Method in class com.oracle.common.collections.ConverterCollections.ConverterMap
equals(Object) - Method in class com.oracle.common.collections.ConverterCollections.ConverterSet
Compares the specified object with this collection for equality.
equals(Object) - Method in class com.oracle.common.collections.UnmodifiableSetCollection
equals(Object) - Method in class com.oracle.common.internal.net.MultiplexedSocketProvider.MultiplexedSelectorProvider
equals(Object) - Method in class com.oracle.common.internal.net.ssl.SSLSelectorProvider
equals(Object) - Method in class com.oracle.common.io.Bandwidth
equals(BufferSequence, BufferSequence) - Static method in class com.oracle.common.io.Buffers
Compare two BufferSequences for byte sequence equality.
equals(Object) - Method in class com.oracle.common.io.MemorySize
equals(Object) - Method in interface com.oracle.common.net.exabus.EndPoint
Return true iff the specified object in an EndPoint representing the same bus as this EndPoint.
equals(Object) - Method in class com.oracle.common.net.exabus.util.UrlEndPoint
Return true iff the specified object in an EndPoint representing the same bus as this EndPoint.
equals(InetAddress, InetAddress) - Method in class com.oracle.common.net.InetAddressHasher
Compare two objects for equality.
equals(Object) - Method in class com.oracle.common.net.InetSocketAddress32
Compares this object against the specified object.
equals(SocketAddress, SocketAddress) - Method in class com.oracle.common.net.InetSocketAddressHasher
Compare two objects for equality.
equals(Object) - Method in class com.oracle.common.util.Duration
evaluate(T) - Method in interface com.oracle.common.base.Predicate
Return true iff the specified object satisfies the predicate.
Event - Interface in com.oracle.common.net.exabus
An Event indicates that a special condition has occurred on a Bus.
Event.Type - Enum in com.oracle.common.net.exabus
Enumeration of event types.
FACTOR - Variable in enum com.oracle.common.util.Duration.Magnitude
The number of nanoseconds in a single unit of this magnitude.
Factory<T> - Interface in com.oracle.common.base
The Factory interface provides a means of producing objects of a given type.
fillClearBuffer() - Method in class com.oracle.common.internal.net.ssl.SSLSocketChannel
Fill the clear-text buffer by decrypting any buffered encrypted data.
finishConnect() - Method in class com.oracle.common.internal.net.MultiplexedSocketProvider.MultiplexedSocketChannel
finishConnect() - Method in class com.oracle.common.internal.net.WrapperSocketChannel
first() - Method in class com.oracle.common.collections.ConverterCollections.ConverterSortedSet
firstKey() - Method in class com.oracle.common.collections.ConverterCollections.ConverterSortedMap
flush() - Method in interface com.oracle.common.base.Collector
Request processing of any added values.
flush() - Method in class com.oracle.common.internal.net.socketbus.AbstractSocketBus.Connection
Flush the connection.
flush() - Method in class com.oracle.common.internal.net.socketbus.AbstractSocketBus
Ensure that any buffered asynchronous operations are dispatched.
flush() - Method in class com.oracle.common.internal.net.socketbus.BufferedSocketBus.BufferedConnection
Send any scheduled BufferSequences.
flush(boolean) - Method in class com.oracle.common.internal.net.socketbus.BufferedSocketBus.BufferedConnection
Send any scheduled BufferSequences.
flush() - Method in class com.oracle.common.io.BufferSequenceOutputStream
flush() - Method in interface com.oracle.common.net.exabus.Bus
Ensure that any buffered asynchronous operations are dispatched.
flush() - Method in class com.oracle.common.net.exabus.util.MessageBusTest.DemultiplexingCollector
Request processing of any added values.
flush() - Method in class com.oracle.common.net.exabus.util.MessageBusTest.EchoBus
flushEvents() - Method in class com.oracle.common.internal.net.socketbus.AbstractSocketBus
Flush the event collector.
fromBits(long) - Method in enum com.oracle.common.io.Bandwidth.Rate
Convert the specified number of bits to units of this Bandwidth.Rate.
fromSuffix(String) - Static method in enum com.oracle.common.io.Bandwidth.Magnitude
Determine the Bandwidth.Magnitude given the specified suffix.
fromSuffix(String) - Static method in enum com.oracle.common.io.Bandwidth.Rate
Determine the Bandwidth.Rate given the specified suffix.
fromSuffix(String) - Static method in enum com.oracle.common.io.MemorySize.Magnitude
Determine the MemorySize.Magnitude given the specified suffix.
fromSuffix(String) - Static method in enum com.oracle.common.util.Duration.Magnitude
Determine the Duration.Magnitude given the specified suffix.
get() - Method in interface com.oracle.common.base.Holder
Return the held object.
get() - Method in class com.oracle.common.base.SimpleHolder
Return the held object.
get() - Method in class com.oracle.common.base.VolatileHolder
Return the held object.
get(int) - Method in class com.oracle.common.collections.ConverterCollections.ConverterList
get(Object) - Method in class com.oracle.common.collections.ConverterCollections.ConverterMap
get() - Method in class com.oracle.common.internal.net.socketbus.SharedBuffer
Return the held object.
get() - Method in class com.oracle.common.internal.net.socketbus.SharedBuffer.Segment
Return the held object.
get(int) - Method in class com.oracle.common.net.SocketSettings
Return the specified option.
get() - Static method in class com.oracle.common.util.ThreadLocalRandom
Get the Random instance object associated with this thread.
getAcceptedIssuers() - Method in class com.oracle.common.internal.security.PeerX509TrustManager
Return an array of certificate authority certificates which are trusted for authenticating peers.
getAddress() - Method in class com.oracle.common.net.exabus.util.UrlEndPoint
Return the SocketAddress represented by this EndPoint.
getAddress() - Method in class com.oracle.common.net.InetSocketAddress32
Gets the InetAddress.
getAddressString(Socket) - Method in class com.oracle.common.internal.net.MultiplexedSocketProvider
Return the string form of of the socket's address, suitable for resolving via SocketProvider.resolveAddress(java.lang.String), on a remote host.
getAddressString(ServerSocket) - Method in class com.oracle.common.internal.net.MultiplexedSocketProvider
Return the string form of of the server's address, suitable for resolving via SocketProvider.resolveAddress(java.lang.String), on a remote host.
getAddressString(Socket) - Method in class com.oracle.common.net.InetSocketProvider
Return the string form of of the socket's address, suitable for resolving via SocketProvider.resolveAddress(java.lang.String), on a remote host.
getAddressString(ServerSocket) - Method in class com.oracle.common.net.InetSocketProvider
Return the string form of of the server's address, suitable for resolving via SocketProvider.resolveAddress(java.lang.String), on a remote host.
getAddressString(Socket) - Method in interface com.oracle.common.net.SocketProvider
Return the string form of of the socket's address, suitable for resolving via SocketProvider.resolveAddress(java.lang.String), on a remote host.
getAddressString(ServerSocket) - Method in interface com.oracle.common.net.SocketProvider
Return the string form of of the server's address, suitable for resolving via SocketProvider.resolveAddress(java.lang.String), on a remote host.
getAddressString(Socket) - Method in class com.oracle.common.net.SSLSocketProvider
Return the string form of of the socket's address, suitable for resolving via SocketProvider.resolveAddress(java.lang.String), on a remote host.
getAddressString(ServerSocket) - Method in class com.oracle.common.net.SSLSocketProvider
Return the string form of of the server's address, suitable for resolving via SocketProvider.resolveAddress(java.lang.String), on a remote host.
getAndAdd(EndPoint, long, long, Holder<Long>, Object) - Method in interface com.oracle.common.net.exabus.MemoryBus
Request an atomic increment on an eight byte word on the peer.
getAssociatedKey() - Method in interface com.oracle.common.base.Associated
Determine the host key (or base) object to which this object is associated.
getAssociatedKey(Object) - Method in interface com.oracle.common.base.Associator
Determine the host key (or base) object to which the specified object is associated.
getAssociatedKey(Object) - Method in class com.oracle.common.base.NaturalAssociator
Determine the host key (or base) object to which the specified object is associated.
getAutoFlushThreshold() - Method in class com.oracle.common.internal.net.socketbus.BufferedSocketBus.BufferedConnection
Return the threshold at which a send/signal operation should perform an auto-flush of the unflushed write batch.
getAutoFlushThreshold() - Method in class com.oracle.common.internal.net.socketbus.SocketBusDriver.DefaultDependencies
Threshold at which a send/signal operation should perform an auto-flush of the unflushed write batch.
getAutoFlushThreshold() - Method in interface com.oracle.common.internal.net.socketbus.SocketBusDriver.Dependencies
Threshold at which a send/signal operation should perform an auto-flush of the unflushed write batch.
getBacklog() - Method in class com.oracle.common.internal.net.MultiplexedSocketProvider.DefaultDependencies
getBacklog() - Method in interface com.oracle.common.internal.net.MultiplexedSocketProvider.Dependencies
Return the backlog setting for the underlying SocketProvider.
getBacklogExcessiveThreshold() - Method in class com.oracle.common.internal.net.socketbus.BufferedSocketBus.BufferedConnection
Return the threshold at which to declare backlog
getBasePort(int) - Static method in class com.oracle.common.internal.net.MultiplexedSocketProvider
Return the base (transport) port for a given 32b port.
getBuffer(int) - Method in interface com.oracle.common.io.BufferSequence
Return the ByteBuffer for a given index.
getBuffer() - Method in class com.oracle.common.io.BufferSequenceOutputStream
Return the current ByteBuffer with some remaining capacity.
getBuffer(int) - Method in class com.oracle.common.io.MultiBufferSequence
Return the ByteBuffer for a given index.
getBuffer(int) - Method in class com.oracle.common.io.SingleBufferSequence
Return the ByteBuffer for a given index.
getBufferCount() - Method in interface com.oracle.common.io.BufferSequence
Return the number of ByteBuffers contained in the sequence.
getBufferCount() - Method in class com.oracle.common.io.MultiBufferSequence
Return the number of ByteBuffers contained in the sequence.
getBufferCount() - Method in class com.oracle.common.io.SingleBufferSequence
Return the number of ByteBuffers contained in the sequence.
getBufferManager() - Method in class com.oracle.common.internal.net.socketbus.SocketBusDriver.DefaultDependencies
Return the BufferManager to use in creating temporary buffers.
getBufferManager() - Method in interface com.oracle.common.internal.net.socketbus.SocketBusDriver.Dependencies
Return the BufferManager to use in creating temporary buffers.
getBuffers() - Method in interface com.oracle.common.io.BufferSequence
Return an array of ByteBuffers representing the sequence.
getBuffers(int, int, ByteBuffer[], int) - Method in interface com.oracle.common.io.BufferSequence
Copy ByteBuffer duplicates into the supplied array.
getBuffers() - Method in class com.oracle.common.io.MultiBufferSequence
Return an array of ByteBuffers representing the sequence.
getBuffers(int, int, ByteBuffer[], int) - Method in class com.oracle.common.io.MultiBufferSequence
Copy ByteBuffer duplicates into the supplied array.
getBuffers() - Method in class com.oracle.common.io.SingleBufferSequence
Return an array of ByteBuffers representing the sequence.
getBuffers(int, int, ByteBuffer[], int) - Method in class com.oracle.common.io.SingleBufferSequence
Copy ByteBuffer duplicates into the supplied array.
getBufferTemp() - Method in class com.oracle.common.io.BufferSequenceInputStream
Return the stream's reusable buffer.
getBufferTemp() - Method in class com.oracle.common.io.BufferSequenceOutputStream
Return the stream's reusable buffer.
getBus() - Method in class com.oracle.common.net.exabus.util.MessageBusTest.EventProcessor
Return the MessageBus used by this processor.
getByteBuffer() - Method in class com.oracle.common.io.BufferSequenceInputStream
Obtain the ByteBuffer that this InputStream is based on.
getByteCount() - Method in class com.oracle.common.io.MemorySize
Obtain the number of bytes represented by the MemorySize.
getByteCount() - Method in enum com.oracle.common.io.MemorySize.Magnitude
Determine the number of bytes in a single unit of this MemorySize.Magnitude For example, a kilobyte has 1024 bytes.
getBytesIn() - Method in class com.oracle.common.net.exabus.util.MessageBusTest.EventProcessor
Return the number of bytes received.
getBytesOut() - Method in class com.oracle.common.net.exabus.util.MessageBusTest.EventProcessor
Return the number of bytes sent.
getBytesOut() - Method in class com.oracle.common.net.exabus.util.MessageBusTest.Transmitter
Return the number of bytes sent.
getCanonicalName() - Method in interface com.oracle.common.net.exabus.EndPoint
Return the string representation of the EndPoint.
getCanonicalName() - Method in class com.oracle.common.net.exabus.util.UrlEndPoint
Return the string representation of the EndPoint.
getCapacity(EndPoint) - Method in interface com.oracle.common.net.exabus.MemoryBus
Return the capacity of a peer's hosted memory in bytes.
getChannel() - Method in class com.oracle.common.internal.net.DemultiplexedSocketProvider.DemultiplexedServerSocketChannel
getChannel() - Method in class com.oracle.common.internal.net.DemultiplexedSocketProvider.DemultiplexedSocket
getChannel() - Method in class com.oracle.common.internal.net.MultiplexedSocketProvider.MultiplexedServerSocketChannel
getChannel() - Method in class com.oracle.common.internal.net.MultiplexedSocketProvider.MultiplexedSocket
getChannel() - Method in class com.oracle.common.internal.net.WrapperServerSocket
getChannel() - Method in class com.oracle.common.internal.net.WrapperSocket
getChannel() - Method in class com.oracle.common.net.SafeSelectionHandler
Return the associated channel.
getCollection() - Method in class com.oracle.common.collections.ConverterCollections.ConverterCollection
Return the underlying Collection.
getCollection(Collection<F>, Converter<F, T>, Converter<T, F>) - Static method in class com.oracle.common.collections.ConverterCollections
Returns an instance of Collection that uses a Converter to view an underlying Collection.
getCommonName(Principal) - Method in class com.oracle.common.internal.security.PeerX509TrustManager
Return the common name of the given principal
getConcurrentWriters() - Method in class com.oracle.common.internal.net.socketbus.BufferedSocketBus.BufferedConnection
Return the number of concurrently executing writers.
getConcurrentWriters() - Method in class com.oracle.common.internal.net.socketbus.BufferedSocketBus.BufferedConnection.WriteBatch
Return the number of concurrently executing writers.
getConcurrentWriters() - Method in class com.oracle.common.internal.net.socketbus.SocketMessageBus.MessageConnection
getConnectionCount() - Method in class com.oracle.common.net.exabus.util.MessageBusTest.EventProcessor
Return the number of connections.
getContent() - Method in class com.oracle.common.internal.net.socketbus.MultiBufferMessageEvent
Obtain the content associated with this event.
getContent() - Method in class com.oracle.common.internal.net.socketbus.SingleBufferMessageEvent
Obtain the content associated with this event.
getContent() - Method in class com.oracle.common.internal.net.socketbus.SocketMessageBus.MessageConnection.ReadBatch.TaskEvent
getContent() - Method in interface com.oracle.common.net.exabus.Event
Obtain the content associated with this event.
getContent() - Method in class com.oracle.common.net.exabus.util.MessageBusTest.StampedEvent
getContent() - Method in class com.oracle.common.net.exabus.util.SimpleEvent
Obtain the content associated with this event.
getConverterDown() - Method in class com.oracle.common.collections.ConverterCollections.ConverterCollection
Return the Converter used to pass values down to the underlying Collection.
getConverterDown() - Method in class com.oracle.common.collections.ConverterCollections.ConverterListIterator
Return the Converter used to pass values down to the underlying ListIterator.
getConverterKeyDown() - Method in class com.oracle.common.collections.ConverterCollections.ConverterEntrySet
Return the Converter used to pass keys down to the underlying Entry Set.
getConverterKeyDown() - Method in class com.oracle.common.collections.ConverterCollections.ConverterMap
Return the Converter used to pass keys down to the underlying Map.
getConverterKeyUp() - Method in class com.oracle.common.collections.ConverterCollections.AbstractConverterEntry
Return the Converter to view the underlying Entry's key through.
getConverterKeyUp() - Method in class com.oracle.common.collections.ConverterCollections.ConverterEntry
Return the Converter to view the underlying Entry's key through.
getConverterKeyUp() - Method in class com.oracle.common.collections.ConverterCollections.ConverterEntrySet.ConverterEntry
Return the Converter to view the underlying Entry's key through.
getConverterKeyUp() - Method in class com.oracle.common.collections.ConverterCollections.ConverterEntrySet
Return the Converter used to view the underlying Entry Set's keys through.
getConverterKeyUp() - Method in class com.oracle.common.collections.ConverterCollections.ConverterMap
Return the Converter used to view the underlying Map's keys through.
getConverterUp() - Method in class com.oracle.common.collections.ConverterCollections.ConverterCollection
Return the Converter used to view the underlying Collection's values through.
getConverterUp() - Method in class com.oracle.common.collections.ConverterCollections.ConverterListIterator
Return the Converter used to view the underlying ListIterator's values through.
getConverterValueDown() - Method in class com.oracle.common.collections.ConverterCollections.AbstractConverterEntry
Return the Converter used to change value in the underlying Entry.
getConverterValueDown() - Method in class com.oracle.common.collections.ConverterCollections.ConverterEntry
Return the Converter used to change value in the underlying Entry.
getConverterValueDown() - Method in class com.oracle.common.collections.ConverterCollections.ConverterEntrySet.ConverterEntry
Return the Converter used to change value in the underlying Entry.
getConverterValueDown() - Method in class com.oracle.common.collections.ConverterCollections.ConverterEntrySet
Return the Converter used to pass values down to the underlying Entry Set.
getConverterValueDown() - Method in class com.oracle.common.collections.ConverterCollections.ConverterMap
Return the Converter used to pass values down to the underlying Map.
getConverterValueUp() - Method in class com.oracle.common.collections.ConverterCollections.AbstractConverterEntry
Return the Converter to view the underlying Entry's value through.
getConverterValueUp() - Method in class com.oracle.common.collections.ConverterCollections.ConverterEntry
Return the Converter to view the underlying Entry's value through.
getConverterValueUp() - Method in class com.oracle.common.collections.ConverterCollections.ConverterEntrySet.ConverterEntry
Return the Converter to view the underlying Entry's value through.
getConverterValueUp() - Method in class com.oracle.common.collections.ConverterCollections.ConverterEntrySet
Return the Converter used to view the underlying Entry Set's values through.
getConverterValueUp() - Method in class com.oracle.common.collections.ConverterCollections.ConverterMap
Return the Converter used to view the underlying Map's values through.
getDataReadyOps() - Method in class com.oracle.common.internal.net.ssl.SSLSocketChannel.SSLSelectionKey
Return the SelectionKey ops which apply to the SSLSelectableChannel but not necessarily to the delegate channel.
getDefaultMemoryBusEndPoint() - Method in class com.oracle.common.net.exabus.util.SimpleDepot.DefaultDependencies
Return the default MessageBus EndPoint name.
getDefaultMemoryBusEndPoint() - Method in interface com.oracle.common.net.exabus.util.SimpleDepot.Dependencies
Return the default MessageBus EndPoint name.
getDefaultMemoryBusEndPoint() - Method in class com.oracle.common.net.exabus.util.SimpleDepot
Return the default local MemoryBus EndPoint.
getDefaultMessageBusEndPoint() - Method in class com.oracle.common.net.exabus.util.SimpleDepot.DefaultDependencies
Return the default MessageBus EndPoint name.
getDefaultMessageBusEndPoint() - Method in interface com.oracle.common.net.exabus.util.SimpleDepot.Dependencies
Return the default MessageBus EndPoint name.
getDefaultMessageBusEndPoint() - Method in class com.oracle.common.net.exabus.util.SimpleDepot
Return the default local MessageBus EndPoint.
getDefaultService() - Static method in class com.oracle.common.net.SelectionServices
Return A singleton instance of a SelectionService which is suitable for managing a large number of SelectableChannels efficiently.
getDelegate() - Method in class com.oracle.common.internal.net.DemultiplexedSocketProvider
Return the delegate SocketProvider.
getDelegate() - Method in class com.oracle.common.internal.net.MultiplexedSocketProvider
Return the SocketProvider which this provider delegates to, or null if this is a root provider.
getDelegate() - Method in class com.oracle.common.internal.net.WrapperSelector
Return the Selector to which this selector delegates.
getDelegate() - Method in class com.oracle.common.net.SdpSocketProvider
getDelegate() - Method in interface com.oracle.common.net.SocketProvider
Return the SocketProvider which this provider delegates to, or null if this is a root provider.
getDelegate() - Method in class com.oracle.common.net.SSLSocketProvider
Return the SocketProvider which this provider delegates to, or null if this is a root provider.
getDelegate() - Method in class com.oracle.common.net.TcpSocketProvider
getDelegateProvider() - Method in class com.oracle.common.internal.net.MultiplexedSocketProvider.DefaultDependencies
getDelegateProvider() - Method in interface com.oracle.common.internal.net.MultiplexedSocketProvider.Dependencies
Return the underlying SocketProvider to use.
getDelegateSocketProvider() - Method in class com.oracle.common.net.SSLSocketProvider.DefaultDependencies
Return the SocketProvider to use in producing the underling sockets which will be wrapped with SSL.
getDelegateSocketProvider() - Method in interface com.oracle.common.net.SSLSocketProvider.Dependencies
Return the SocketProvider to use in producing the underling sockets which will be wrapped with SSL.
getDependencies() - Method in class com.oracle.common.internal.net.MultiplexedSocketProvider
Return the provider's dependencies.
getDependencies() - Method in class com.oracle.common.internal.net.socketbus.SocketBusDriver
Return the driver's Dependencies.
getDependencies() - Method in class com.oracle.common.net.exabus.util.SimpleDepot
Return the Depot's dependencies.
getDependencies() - Method in class com.oracle.common.net.SSLSocketProvider
Return the SocketProvider's dependencies.
getDepot() - Method in class com.oracle.common.internal.net.socketbus.SocketBusDriver
Return the depot associated with this driver.
getDepot() - Method in interface com.oracle.common.net.exabus.spi.Driver
Return the depot associated with this driver.
getDepot() - Method in class com.oracle.common.net.exabus.util.MessageBusTest.EchoBus.EchoDriver
getDescription() - Method in enum com.oracle.common.io.Bandwidth.Magnitude
Obtain the name of the Bandwidth.Magnitude.
getDescription() - Method in enum com.oracle.common.io.Bandwidth.Rate
Determine the name of the Bandwidth.Rate.
getDescription() - Method in enum com.oracle.common.io.MemorySize.Magnitude
Obtain the name of the MemorySize.Magnitude For example, a kilobyte has the description "kilobyte".
getDirectManager() - Static method in class com.oracle.common.io.BufferManagers
Return the direct ByteBuffer based BufferManager.
getDirectWriteThreadThreshold() - Method in class com.oracle.common.internal.net.socketbus.SocketBusDriver.DefaultDependencies
getDirectWriteThreadThreshold() - Method in interface com.oracle.common.internal.net.socketbus.SocketBusDriver.Dependencies
Return the maximum number of threads which should concurrently attempt direct writes.
getDrivers() - Method in class com.oracle.common.net.exabus.util.SimpleDepot.DefaultDependencies
Return the Drivers to use in this Depot.
getDrivers() - Method in interface com.oracle.common.net.exabus.util.SimpleDepot.Dependencies
Return the Drivers to use in this Depot.
getEmptyBufferArray() - Static method in class com.oracle.common.io.Buffers
Return the empty ByteBuffer array singleton.
getEmptyBufferSequence() - Static method in class com.oracle.common.io.Buffers
Return the empty BufferSequence singleton.
getEnabledCipherSuites() - Method in class com.oracle.common.net.SSLSocketProvider.DefaultDependencies
Return the set of enabled SSL cipher suites.
getEnabledCipherSuites() - Method in interface com.oracle.common.net.SSLSocketProvider.Dependencies
Return the set of enabled SSL cipher suites.
getEndPoint() - Method in class com.oracle.common.internal.net.socketbus.MultiBufferMessageEvent
Return the EndPoint associated with the event, if any.
getEndPoint() - Method in class com.oracle.common.internal.net.socketbus.SingleBufferMessageEvent
Return the EndPoint associated with the event, if any.
getEndPoint() - Method in class com.oracle.common.internal.net.socketbus.SocketMessageBus.MessageConnection.ReadBatch.TaskEvent
getEndPoint() - Method in interface com.oracle.common.net.exabus.Event
Return the EndPoint associated with the event, if any.
getEndPoint() - Method in class com.oracle.common.net.exabus.util.MessageBusTest.StampedEvent
getEndPoint() - Method in class com.oracle.common.net.exabus.util.SimpleEvent
Return the EndPoint associated with the event, if any.
getEntry() - Method in class com.oracle.common.collections.ConverterCollections.AbstractConverterEntry
Return the underlying Map.Entry.
getEntry(Map.Entry<FK, FV>, Converter<FK, TK>, Converter<FV, TV>, Converter<TV, FV>) - Static method in class com.oracle.common.collections.ConverterCollections
Returns an instance of a MapEntry that uses Converters to retrieve the Entry's data.
getEntrySet() - Method in class com.oracle.common.collections.ConverterCollections.ConverterEntrySet
Return the underlying Entry Set.
getEntrySet(Collection<Map.Entry<FK, FV>>, Converter<FK, TK>, Converter<TK, FK>, Converter<FV, TV>, Converter<TV, FV>) - Static method in class com.oracle.common.collections.ConverterCollections
Returns a Converter instance of a Set that holds Entry objects for a ConverterMap.
getEventCollector() - Method in class com.oracle.common.internal.net.socketbus.AbstractSocketBus
Obtain the registered event collector.
getEventCollector() - Method in interface com.oracle.common.net.exabus.Bus
Obtain the registered event collector.
getEventCollector() - Method in class com.oracle.common.net.exabus.util.MessageBusTest.EchoBus
getExecutor() - Method in class com.oracle.common.net.SSLSocketProvider.DefaultDependencies
Return the Executor to use in offloading delegated tasks.
getExecutor() - Method in interface com.oracle.common.net.SSLSocketProvider.Dependencies
Return the Executor to use in offloading delegated tasks.
getFactor() - Method in enum com.oracle.common.io.Bandwidth.Magnitude
Obtain the factor of the Bandwidth.Magnitude.
getFactor() - Method in enum com.oracle.common.util.Duration.Magnitude
Determine the factor of the Duration.Magnitude relative to the number of nanoseconds.
getForceAckThreshold() - Method in class com.oracle.common.internal.net.socketbus.BufferedSocketBus.BufferedConnection
Return the threshold at which forced acks of pending receipts is requested from the peer.
getGarbage() - Method in class com.oracle.common.net.exabus.util.MessageBusTest.Receipt
getHeapManager() - Static method in class com.oracle.common.io.BufferManagers
Return the heap ByteBuffer based BufferManager.
getHostName() - Method in class com.oracle.common.net.InetSocketAddress32
Gets the hostname.
getHostnameVerifier() - Method in class com.oracle.common.net.SSLSocketProvider.DefaultDependencies
Return the SSL HostnameVerifier to be used to verify hostnames once an SSL session has been established.
getHostnameVerifier() - Method in interface com.oracle.common.net.SSLSocketProvider.Dependencies
Return the SSL HostnameVerifier to be used to verify hostnames once an SSL session has been established.
getIdentificationTimeoutMillis() - Method in class com.oracle.common.internal.net.MultiplexedSocketProvider.DefaultDependencies
Return the number of milliseconds an accepted connection has to provide a multiplexed protocol header before it is considered to be a standard (non-multiplexed) connection.
getIdentificationTimeoutMillis() - Method in interface com.oracle.common.internal.net.MultiplexedSocketProvider.Dependencies
Return the number of milliseconds an accepted connection has to provide a multiplexed protocol header before it is considered to be a standard (non-multiplexed) connection.
getIdleTimeout() - Method in class com.oracle.common.internal.net.RunnableSelectionService
Return the duration the RunnableSelectionService.run() method should block with no registered keys before returning.
getInetAddress() - Method in class com.oracle.common.internal.net.WrapperServerSocket
getInetAddress() - Method in class com.oracle.common.internal.net.WrapperSocket
getInfiniBusDriver() - Method in class com.oracle.common.net.exabus.util.SimpleDepot.DefaultDependencies
Instantiate an InfiniBusDriver.
getInputStream() - Method in class com.oracle.common.internal.net.WrapperSocket
getIterator() - Method in class com.oracle.common.collections.ConverterCollections.ConverterEntrySet.ConverterIterator
Return the underlying Iterator.
getIterator(Iterator<F>, Converter<F, T>) - Static method in class com.oracle.common.collections.ConverterCollections
Returns an instance of Iterator that uses a Converter to view an underlying Iterator.
getKeepAlive() - Method in class com.oracle.common.internal.net.WrapperSocket
getKey() - Method in class com.oracle.common.collections.ConverterCollections.AbstractConverterEntry
getKeyString(SelectionKey) - Method in class com.oracle.common.internal.net.WrapperSelector.WrapperSelectionKey
Return a description of the SelectionKey.
getLength() - Method in class com.oracle.common.internal.net.socketbus.BufferedSocketBus.BufferedConnection.WriteBatch
Return the number of bytes remaining in the batch.
getLength() - Method in interface com.oracle.common.io.BufferSequence
Return the byte length of the sequence.
getLength() - Method in class com.oracle.common.io.MultiBufferSequence
Return the byte length of the sequence.
getLength() - Method in class com.oracle.common.io.SingleBufferSequence
Return the byte length of the sequence.
getList() - Method in class com.oracle.common.collections.ConverterCollections.ConverterList
Return the underlying List.
getList(List<F>, Converter<F, T>, Converter<T, F>) - Static method in class com.oracle.common.collections.ConverterCollections
Returns a Converter instance of List.
getListIterator() - Method in class com.oracle.common.collections.ConverterCollections.ConverterListIterator
Return the underlying ListIterator.
getListIterator(ListIterator<F>, Converter<F, T>, Converter<T, F>) - Static method in class com.oracle.common.collections.ConverterCollections
Returns a Converter instance of ListIterator.
getLocalAddress() - Method in class com.oracle.common.internal.net.WrapperSocket
getLocalBacklogEvents() - Method in class com.oracle.common.net.exabus.util.MessageBusTest.EventProcessor
Return the number of local backlog events received.
getLocalBacklogMillis() - Method in class com.oracle.common.net.exabus.util.MessageBusTest.EventProcessor
Return the total duration of local backlogs.
getLocalEndPoint() - Method in class com.oracle.common.internal.net.socketbus.AbstractSocketBus
Return the EndPoint this bus is bound to.
getLocalEndPoint() - Method in interface com.oracle.common.net.exabus.Bus
Return the EndPoint this bus is bound to.
getLocalEndPoint() - Method in class com.oracle.common.net.exabus.util.MessageBusTest.EchoBus
getLocalPort() - Method in class com.oracle.common.internal.net.DemultiplexedSocketProvider.DemultiplexedSocket
getLocalPort() - Method in class com.oracle.common.internal.net.MultiplexedSocketProvider.MultiplexedSocket
getLocalPort() - Method in class com.oracle.common.internal.net.WrapperServerSocket
getLocalPort() - Method in class com.oracle.common.internal.net.WrapperSocket
getLocalSegment(long, long) - Method in interface com.oracle.common.net.exabus.MemoryBus
Return a read-only BufferSequence representing a segment of the locally hosted memory.
getLocalSocketAddress() - Method in class com.oracle.common.internal.net.DemultiplexedSocketProvider.DemultiplexedSocket
getLocalSocketAddress() - Method in class com.oracle.common.internal.net.MultiplexedSocketProvider.MultiplexedSocket
getLocalSocketAddress() - Method in class com.oracle.common.internal.net.WrapperServerSocket
getLocalSocketAddress() - Method in class com.oracle.common.internal.net.WrapperSocket
getLogger() - Method in class com.oracle.common.internal.net.MultiplexedSocketProvider.DefaultDependencies
Return the Logger to use.
getLogger() - Method in interface com.oracle.common.internal.net.MultiplexedSocketProvider.Dependencies
Return the Logger to use.
getLogger() - Method in class com.oracle.common.internal.net.socketbus.AbstractSocketBus
Return the bus's logger.
getLogger() - Method in class com.oracle.common.internal.net.socketbus.SocketBusDriver.DefaultDependencies
Return the Logger to use.
getLogger() - Method in interface com.oracle.common.internal.net.socketbus.SocketBusDriver.Dependencies
Return the Logger to use.
getLogger() - Method in class com.oracle.common.net.exabus.util.SimpleDepot.DefaultDependencies
Return the Logger to use.
getLogger() - Method in interface com.oracle.common.net.exabus.util.SimpleDepot.Dependencies
Return the Logger to use.
getLogger() - Method in class com.oracle.common.net.SSLSocketProvider.DefaultDependencies
Return the Logger to use.
getLogger() - Method in interface com.oracle.common.net.SSLSocketProvider.Dependencies
Return the Logger to use.
getMap() - Method in class com.oracle.common.collections.ConverterCollections.ConverterMap
Return the underlying Map.
getMap(Map<FK, FV>, Converter<FK, TK>, Converter<TK, FK>, Converter<FV, TV>, Converter<TV, FV>) - Static method in class com.oracle.common.collections.ConverterCollections
Returns a Converter instance of Map.
getMaximumProtocolVersion() - Method in class com.oracle.common.internal.net.socketbus.AbstractSocketBus
Return maximum protocol version understood by this implementation.
getMaximumReceiptDelayMillis() - Method in class com.oracle.common.internal.net.socketbus.SocketBusDriver.DefaultDependencies
Max time after which the receipt acks will be sent to the peer.
getMaximumReceiptDelayMillis() - Method in interface com.oracle.common.internal.net.socketbus.SocketBusDriver.Dependencies
Max time after which the receipt acks will be sent to the peer.
getMaximumUnitSize() - Method in class com.oracle.common.internal.io.AbstractBufferManager
Return the maximum allocation size.
getMemoryBusProtocol() - Method in class com.oracle.common.internal.net.socketbus.SocketBusDriver.DefaultDependencies
Return the MemoryBus protocol prefix.
getMemoryBusProtocol() - Method in interface com.oracle.common.internal.net.socketbus.SocketBusDriver.Dependencies
Return the MemoryBus protocol prefix.
getMessage(int, long, long) - Static method in class com.oracle.common.net.exabus.util.MessageBusTest
Construct a message.
getMessageBusProtocol() - Method in class com.oracle.common.internal.net.socketbus.SocketBusDriver.DefaultDependencies
Return the MessageBus protocol prefix.
getMessageBusProtocol() - Method in interface com.oracle.common.internal.net.socketbus.SocketBusDriver.Dependencies
Return the MessageBus protocol prefix.
getMessagesIn() - Method in class com.oracle.common.net.exabus.util.MessageBusTest.EventProcessor
Return the number of messages received.
getMessagesOut() - Method in class com.oracle.common.net.exabus.util.MessageBusTest.EventProcessor
Return the number of Messages sent.
getMessagesOut() - Method in class com.oracle.common.net.exabus.util.MessageBusTest.Transmitter
Return the number of Messages sent.
getMinimumProtocolVersion() - Method in class com.oracle.common.internal.net.socketbus.AbstractSocketBus
Return minimum protocol version understood by this implementation.
getMinimumUnitSize() - Method in class com.oracle.common.internal.io.AbstractBufferManager
Return the minimum allocation size.
getMultiplexedSocketAddress(SocketAddress) - Method in class com.oracle.common.internal.net.DemultiplexedSocketProvider
Helper method to convert InetSocketAddress to InetSockeAddress32 for use by MultiplexedSocketProvider
getNanos() - Method in class com.oracle.common.util.Duration
Obtains the number of nano seconds in the Duration.
getNetworkDirectManager() - Static method in class com.oracle.common.io.BufferManagers
Return the network optimized direct ByteBuffer based BufferManager.
getOOBInline() - Method in class com.oracle.common.internal.net.WrapperSocket
getOption(int) - Method in class com.oracle.common.net.SocketSettings
getOutputStream() - Method in class com.oracle.common.internal.net.WrapperSocket
getPacketSize() - Method in class com.oracle.common.internal.net.socketbus.AbstractSocketBus.Connection
Return the packet size for this connection.
getPeer() - Method in class com.oracle.common.internal.net.socketbus.AbstractSocketBus.Connection
Return the peer associated with this connection.
getPeers() - Method in class com.oracle.common.net.exabus.util.MessageBusTest.EventProcessor
Return the set of peers this processor is configured to transmit to
getPort() - Method in class com.oracle.common.internal.net.DemultiplexedSocketProvider.DemultiplexedSocket
getPort() - Method in class com.oracle.common.internal.net.MultiplexedSocketProvider.MultiplexedSocket
getPort() - Method in class com.oracle.common.internal.net.WrapperSocket
getPort() - Method in class com.oracle.common.net.InetSocketAddress32
Gets the port number.
getPreferredUnitSize() - Method in class com.oracle.common.internal.io.AbstractBufferManager
Return the preferred unit size.
getPrevious() - Method in class com.oracle.common.collections.AbstractStableIterator
Obtain the previous object provided by the Iterator.
getProtocol() - Method in class com.oracle.common.net.exabus.util.UrlEndPoint
Return the protocol represented by this EndPoint.
getProtocolIdentifier() - Method in class com.oracle.common.internal.net.socketbus.AbstractSocketBus
Return the protocol identifier.
getProtocolName() - Method in class com.oracle.common.internal.net.socketbus.AbstractSocketBus
Return the protocol name.
getProtocolName() - Method in class com.oracle.common.internal.net.socketbus.SocketMessageBus
Return the protocol name.
getProtocolReadyOps() - Method in class com.oracle.common.internal.net.ssl.SSLSocketChannel.SSLSelectionKey
Return the SelectionKey operations which are ready on the SSLSelectableChannel protocol but not necessarily to the delegate channel.
getReadThrottleThreshold() - Method in class com.oracle.common.internal.net.socketbus.SocketMessageBus.MessageConnection
Return the threshold at which to stop reading additional data from the socket, based on the number of undisposed bytes in the event queue.
getReceiptNanos() - Method in class com.oracle.common.net.exabus.util.MessageBusTest.EventProcessor
Return the cumulative receipts time.
getReceiptRequestThreshold() - Method in class com.oracle.common.internal.net.socketbus.SocketBusDriver.DefaultDependencies
Threshold at which to request an immediate receipt from the peer.
getReceiptRequestThreshold() - Method in interface com.oracle.common.internal.net.socketbus.SocketBusDriver.Dependencies
Threshold at which to request an immediate receipt from the peer.
getReceiptSamples() - Method in class com.oracle.common.net.exabus.util.MessageBusTest.EventProcessor
Return the number of receipt samples
getReceiptsIn() - Method in class com.oracle.common.net.exabus.util.MessageBusTest.EventProcessor
Return the number of returned receipts.
getReceiveBufferSize() - Method in class com.oracle.common.internal.net.socketbus.AbstractSocketBus.Connection
Return the receive buffer size for the underlying socket.
getReceiveBufferSize() - Method in class com.oracle.common.internal.net.WrapperServerSocket
getReceiveBufferSize() - Method in class com.oracle.common.internal.net.WrapperSocket
getReceivedBytes() - Method in class com.oracle.common.net.exabus.util.MessageBusTest.DemultiplexingCollector
Return the total number of received bytes.
getRegisteredConnections() - Method in class com.oracle.common.internal.net.socketbus.AbstractSocketBus
Return a collection containing all the currently registered connections.
getRemoteBacklogEvents() - Method in class com.oracle.common.net.exabus.util.MessageBusTest.EventProcessor
Return the number of remote backlog events received.
getRemoteBacklogMillis() - Method in class com.oracle.common.net.exabus.util.MessageBusTest.Transmitter
Return the total number of milliseconds for which the transmitter was blocked.
getRemoteSocketAddress() - Method in class com.oracle.common.internal.net.DemultiplexedSocketProvider.DemultiplexedSocket
getRemoteSocketAddress() - Method in class com.oracle.common.internal.net.MultiplexedSocketProvider.MultiplexedSocket
getRemoteSocketAddress() - Method in class com.oracle.common.internal.net.WrapperSocket
getResidualBitMask() - Method in enum com.oracle.common.io.MemorySize.Magnitude
Obtain the bit mask that when applied will return the fractional (right-most) bits that are below this MemorySize.Magnitude unit.
getResponseNanos() - Method in class com.oracle.common.net.exabus.util.MessageBusTest.EventProcessor
Return the cumulative response time.
getResponsesIn() - Method in class com.oracle.common.net.exabus.util.MessageBusTest.EventProcessor
Return the number of received responses.
getReuseAddress() - Method in class com.oracle.common.internal.net.WrapperServerSocket
getReuseAddress() - Method in class com.oracle.common.internal.net.WrapperSocket
getSafeBuffer() - Method in class com.oracle.common.io.SingleBufferSequence
Return a view of the ByteBuffer which has it's position and limit set to their original values.
getSegment(int, int) - Method in class com.oracle.common.internal.net.socketbus.SharedBuffer
Return a segment of the shared buffer.
getSegment() - Method in class com.oracle.common.internal.net.socketbus.SharedBuffer
Return a segment of the shared buffer covering its current position to limit.
getSelectionService() - Method in class com.oracle.common.internal.net.MultiplexedSocketProvider.DefaultDependencies
getSelectionService() - Method in interface com.oracle.common.internal.net.MultiplexedSocketProvider.Dependencies
Return the SelectionService to utilize for processing IO.
getSelectionService(SelectableChannel) - Method in class com.oracle.common.internal.net.MultiProviderSelectionService
getSelectionService() - Method in class com.oracle.common.internal.net.socketbus.AbstractSocketBus
Return the SelectionService for this Bus.
getSelectionService() - Method in class com.oracle.common.internal.net.socketbus.SocketBusDriver.DefaultDependencies
Return the SelectionService used to run this driver.
getSelectionService() - Method in interface com.oracle.common.internal.net.socketbus.SocketBusDriver.Dependencies
Return the SelectionService used to run this driver.
getSendBufferSize() - Method in class com.oracle.common.internal.net.socketbus.AbstractSocketBus.Connection
Return the send buffer size for the underlying socket.
getSendBufferSize() - Method in class com.oracle.common.internal.net.WrapperSocket
getSet(Set<F>, Converter<F, T>, Converter<T, F>) - Static method in class com.oracle.common.collections.ConverterCollections
Returns an instance of Set that uses a Converter to view an underlying Set.
getSocketAddressHasher() - Method in class com.oracle.common.internal.net.socketbus.SocketBusDriver.DefaultDependencies
Return the SocketAddress Hasher to use in comparing SocketAddresses.
getSocketAddressHasher() - Method in interface com.oracle.common.internal.net.socketbus.SocketBusDriver.Dependencies
Return the SocketAddress Hasher to use in comparing SocketAddresses.
getSocketDriver() - Method in class com.oracle.common.internal.net.socketbus.AbstractSocketBus
Return the SocketDriver for this bus.
getSocketOptions() - Method in class com.oracle.common.internal.net.socketbus.SocketBusDriver.DefaultDependencies
Return the SocketOptions to utilize in this driver.
getSocketOptions() - Method in interface com.oracle.common.internal.net.socketbus.SocketBusDriver.Dependencies
Return the SocketOptions to utilize in this driver.
getSocketProvider() - Method in class com.oracle.common.internal.net.socketbus.SocketBusDriver.DefaultDependencies
Return the SocketProvider to use in producing sockets for this driver.
getSocketProvider() - Method in interface com.oracle.common.internal.net.socketbus.SocketBusDriver.Dependencies
Return the SocketProvider to use in producing sockets for this driver.
getSocketProvider() - Method in class com.oracle.common.internal.net.ssl.SSLServerSocketChannel
Return the SocketProvider which produced this socket.
getSocketProvider() - Method in class com.oracle.common.internal.net.ssl.SSLSocketChannel
Return the SocketProvider which produced this socket.
getSocketReconnectDelayMillis() - Method in class com.oracle.common.internal.net.socketbus.SocketBusDriver.DefaultDependencies
Reconnect interval for the Connection
getSocketReconnectDelayMillis() - Method in interface com.oracle.common.internal.net.socketbus.SocketBusDriver.Dependencies
Reconnect interval for the Connection
getSoLinger() - Method in class com.oracle.common.internal.net.WrapperSocket
getSortedMap() - Method in class com.oracle.common.collections.ConverterCollections.ConverterSortedMap
Return the underlying SortedMap.
getSortedMap(SortedMap<FK, FV>, Converter<FK, TK>, Converter<TK, FK>, Converter<FV, TV>, Converter<TV, FV>) - Static method in class com.oracle.common.collections.ConverterCollections
Returns a Converter instance of SortedMap.
getSortedSet() - Method in class com.oracle.common.collections.ConverterCollections.ConverterSortedSet
Return the underlying SortedSet.
getSortedSet(SortedSet<F>, Converter<F, T>, Converter<T, F>) - Static method in class com.oracle.common.collections.ConverterCollections
Returns an instance of SortedSet that uses a Converter to view an underlying SortedSet.
getSoTimeout() - Method in class com.oracle.common.internal.net.WrapperServerSocket
getSoTimeout() - Method in class com.oracle.common.internal.net.WrapperSocket
getSSLContext() - Method in class com.oracle.common.net.SSLSocketProvider.DefaultDependencies
Return the SSLContext representing the SSL implementation and configuration.
getSSLContext() - Method in interface com.oracle.common.net.SSLSocketProvider.Dependencies
Return the SSLContext representing the SSL implementation and configuration.
getSSLParameters() - Method in class com.oracle.common.net.SSLSocketProvider.DefaultDependencies
Return a copy of the SSLParameters used by the SSLSocketProvider.
getSSLParameters() - Method in interface com.oracle.common.net.SSLSocketProvider.Dependencies
Return a copy of the SSLParameters used by the SSLSocketProvider.
getSubPort(int) - Static method in class com.oracle.common.internal.net.MultiplexedSocketProvider
Return the sub-port for a given 32b port.
getSubPort() - Method in enum com.oracle.common.internal.net.MultiplexedSocketProvider.WellKnownSubPorts
getSuffix() - Method in enum com.oracle.common.io.Bandwidth.Magnitude
Obtain the suffix of the Bandwidth.Magnitude.
getSuffix() - Method in enum com.oracle.common.io.Bandwidth.Rate
Obtain the suffix that identifies the Bandwidth.Rate.
getSuffix() - Method in enum com.oracle.common.io.MemorySize.Magnitude
Obtain the suffix of the MemorySize.Magnitude.
getSuffix() - Method in enum com.oracle.common.util.Duration.Magnitude
Obtain the default for the Duration.Magnitude.
getTcpNoDelay() - Method in class com.oracle.common.internal.net.WrapperSocket
getTimestampNanos() - Method in class com.oracle.common.net.exabus.util.MessageBusTest.Receipt
getTimestampNanos() - Method in class com.oracle.common.net.exabus.util.MessageBusTest.StampedEvent
getTrafficClass() - Method in class com.oracle.common.internal.net.WrapperSocket
getTransportAddress(InetSocketAddress32) - Static method in class com.oracle.common.internal.net.MultiplexedSocketProvider
Return the underlying transport address for the specified address.
getType() - Method in class com.oracle.common.internal.net.socketbus.MultiBufferMessageEvent
Determine the event type.
getType() - Method in class com.oracle.common.internal.net.socketbus.SingleBufferMessageEvent
Determine the event type.
getType() - Method in class com.oracle.common.internal.net.socketbus.SocketMessageBus.MessageConnection.ReadBatch.TaskEvent
getType() - Method in interface com.oracle.common.net.exabus.Event
Determine the event type.
getType() - Method in class com.oracle.common.net.exabus.util.MessageBusTest.StampedEvent
getType() - Method in class com.oracle.common.net.exabus.util.SimpleEvent
Determine the event type.
getValue() - Method in class com.oracle.common.collections.ConverterCollections.AbstractConverterEntry
hashCode(V) - Method in interface com.oracle.common.base.Hasher
Return a hash for the specified object.
hashCode(V) - Method in class com.oracle.common.base.IdentityHasher
Return a hash for the specified object.
hashCode(V) - Method in class com.oracle.common.base.NaturalHasher
Return a hash for the specified object.
hashCode() - Method in class com.oracle.common.collections.ConverterCollections.AbstractConverterEntry
hashCode() - Method in class com.oracle.common.collections.ConverterCollections.ConverterEntrySet
hashCode() - Method in class com.oracle.common.collections.ConverterCollections.ConverterList
hashCode() - Method in class com.oracle.common.collections.ConverterCollections.ConverterMap
hashCode() - Method in class com.oracle.common.collections.ConverterCollections.ConverterSet
hashCode() - Method in class com.oracle.common.collections.UnmodifiableSetCollection
hashCode() - Method in class com.oracle.common.internal.net.MultiplexedSocketProvider.MultiplexedSelectorProvider
hashCode() - Method in class com.oracle.common.internal.net.ssl.SSLSelectorProvider
hashCode() - Method in class com.oracle.common.io.Bandwidth
hashCode() - Method in class com.oracle.common.io.MemorySize
hashCode() - Method in interface com.oracle.common.net.exabus.EndPoint
hashCode() - Method in class com.oracle.common.net.exabus.util.UrlEndPoint
hashCode(InetAddress) - Method in class com.oracle.common.net.InetAddressHasher
Return a hash for the specified object.
hashCode() - Method in class com.oracle.common.net.InetSocketAddress32
Returns a hashcode for this socket address.
hashCode(SocketAddress) - Method in class com.oracle.common.net.InetSocketAddressHasher
Return a hash for the specified object.
hashCode() - Method in class com.oracle.common.util.Duration
Hasher<V> - Interface in com.oracle.common.base
A Hasher provides an external means for producing hash codes and comparing objects for equality.
HashSelectionService - Class in com.oracle.common.internal.net
The HashSelectionService partitions channel registrations over a number of child SelectionServices for the purposes of load balancing.
HashSelectionService(int, Factory<? extends SelectionService>) - Constructor for class com.oracle.common.internal.net.HashSelectionService
Construct a HashSelectionService which delegates to the provided SelectionServices.
HashSelectionService.ServiceFactory - Class in com.oracle.common.internal.net
Factory for producing HashSelectionServices.
HashSelectionService.ServiceFactory(int, Factory<? extends SelectionService>) - Constructor for class com.oracle.common.internal.net.HashSelectionService.ServiceFactory
Construct a Service Factory which will produce HashSelectionServices with a given configuration.
hasMoreElements() - Method in class com.oracle.common.collections.AbstractStableIterator
hasMoreElements() - Method in class com.oracle.common.collections.ConverterCollections.ConverterEnumerator
Tests if this enumeration contains more elements.
hasNext() - Method in class com.oracle.common.collections.AbstractStableIterator
hasNext() - Method in class com.oracle.common.collections.ConverterCollections.ConverterEntrySet.ConverterIterator
hasNext() - Method in class com.oracle.common.collections.ConverterCollections.ConverterEnumerator
Determine if this Iterator contains more elements.
hasNext() - Method in class com.oracle.common.collections.ConverterCollections.ConverterListIterator
hasPrevious() - Method in class com.oracle.common.collections.ConverterCollections.ConverterListIterator
headMap(TK) - Method in class com.oracle.common.collections.ConverterCollections.ConverterSortedMap
headSet(T) - Method in class com.oracle.common.collections.ConverterCollections.ConverterSortedSet
HIGHEST - Static variable in enum com.oracle.common.io.Bandwidth.Magnitude
The highest defined order of Bandwidth.Magnitude.
HIGHEST - Static variable in enum com.oracle.common.io.MemorySize.Magnitude
The highest defined order of MemorySize.Magnitude.
HIGHEST - Static variable in enum com.oracle.common.util.Duration.Magnitude
The highest defined order of Duration.Magnitude.
Holder<V> - Interface in com.oracle.common.base
A Holder is a reference like object, i.e.
IB_MEMORY_BUS_PROTOCOL - Static variable in class com.oracle.common.net.exabus.util.SimpleDepot
Protocol name for the InfiniBus memory bus.
IB_MESSAGE_BUS_PROTOCOL - Static variable in class com.oracle.common.net.exabus.util.SimpleDepot
Protocol name for the InfiniBus message bus.
IdentityHasher<V> - Class in com.oracle.common.base
IdentityHasher provides a Hasher implementation based upon an object's identity hashCode and reference equality.
IdentityHasher() - Constructor for class com.oracle.common.base.IdentityHasher
implCloseSelectableChannel() - Method in class com.oracle.common.internal.net.MultiplexedSocketProvider.MultiplexedServerSocketChannel
implCloseSelectableChannel() - Method in class com.oracle.common.internal.net.MultiplexedSocketProvider.MultiplexedSocketChannel
implCloseSelectableChannel() - Method in class com.oracle.common.internal.net.ssl.SSLSocketChannel
implCloseSelectableChannel() - Method in class com.oracle.common.internal.net.WrapperServerSocketChannel
implCloseSelectableChannel() - Method in class com.oracle.common.internal.net.WrapperSocketChannel
implCloseSelector() - Method in class com.oracle.common.internal.net.MultiplexedSocketProvider.MultiplexedSelector
implCloseSelector() - Method in class com.oracle.common.internal.net.WrapperSelector
implConfigureBlocking(boolean) - Method in class com.oracle.common.internal.net.MultiplexedSocketProvider.MultiplexedServerSocketChannel
implConfigureBlocking(boolean) - Method in class com.oracle.common.internal.net.ssl.SSLServerSocketChannel
implConfigureBlocking(boolean) - Method in class com.oracle.common.internal.net.ssl.SSLSocketChannel
implConfigureBlocking(boolean) - Method in class com.oracle.common.internal.net.WrapperServerSocketChannel
implConfigureBlocking(boolean) - Method in class com.oracle.common.internal.net.WrapperSocketChannel
indexOf(Object) - Method in class com.oracle.common.collections.ConverterCollections.ConverterList
InetAddressComparator - Class in com.oracle.common.net
Comparator implementation suitable for comparing InetAddresses.
InetAddressComparator() - Constructor for class com.oracle.common.net.InetAddressComparator
InetAddressHasher - Class in com.oracle.common.net
InetAddressHasher is a Hasher which supports both IPv4 and IPv6 InetAddresses.
InetAddressHasher() - Constructor for class com.oracle.common.net.InetAddressHasher
InetSocketAddress32 - Class in com.oracle.common.net
InetSocketAddress32 is equivalent to the standard InetSocketAddress but supports 32 bit port numbers.
InetSocketAddress32(int) - Constructor for class com.oracle.common.net.InetSocketAddress32
Creates a socket address where the IP address is the wildcard address and the port number a specified value.
InetSocketAddress32(InetAddress, int) - Constructor for class com.oracle.common.net.InetSocketAddress32
Creates a socket address from an IP address and a port number.
InetSocketAddress32(String, int) - Constructor for class com.oracle.common.net.InetSocketAddress32
Creates a socket address from a hostname and a port number.
InetSocketAddressComparator - Class in com.oracle.common.net
Comparator implementation suitable for comparing InetSocketAddress objects.
InetSocketAddressComparator() - Constructor for class com.oracle.common.net.InetSocketAddressComparator
InetSocketAddressHasher - Class in com.oracle.common.net
InetSocketAddressHasher is a Hasher which supports both IPv4 and IPv6 based InetSocketAddresses.
InetSocketAddressHasher() - Constructor for class com.oracle.common.net.InetSocketAddressHasher
InetSocketProvider - Class in com.oracle.common.net
InetSocketProvider is a SocketProvider which utilizes InetSocketAddresses.
InetSocketProvider() - Constructor for class com.oracle.common.net.InetSocketProvider
INFINI_BUS - Static variable in class com.oracle.common.net.exabus.util.SimpleDepot
Driver name for InifiBus.
InputStreaming - Interface in com.oracle.common.io
This is the interface represented by the Java InputStream class.
INSTANCE - Static variable in class com.oracle.common.base.IdentityHasher
A singleton instance of the IdentityHasher.
INSTANCE - Static variable in class com.oracle.common.base.NaturalHasher
A singleton instance of the NaturalHasher.
INSTANCE - Static variable in class com.oracle.common.net.InetAddressComparator
Reusable instance of the comparator.
INSTANCE - Static variable in class com.oracle.common.net.InetAddressHasher
Default instance of the InetAddressHasher.
INSTANCE - Static variable in class com.oracle.common.net.InetSocketAddressComparator
Reusable instance of the comparator.
INSTANCE - Static variable in class com.oracle.common.net.InetSocketAddressHasher
Default instance of the InetSocketAddressHasher.
INSTANCE - Static variable in class com.oracle.common.net.SdpSocketProvider
A default SdpSocketProvider instance.
INSTANCE - Static variable in class com.oracle.common.net.TcpSocketProvider
A default TcpSocketProvider instance.
INSTANCE - Static variable in class com.oracle.common.util.DaemonThreadFactory
A reusable DaemonThreadFactory instance.
instantiateCollection(Collection<F>, Converter<F, T>, Converter<T, F>) - Static method in class com.oracle.common.collections.ConverterCollections.ConverterCollection
Create a Converter Collection.
instantiateCollection(Collection<F>, Converter<F, T>, Converter<T, F>) - Static method in class com.oracle.common.collections.ConverterCollections.ConverterMap
Create a Converter Collection.
instantiateEntrySet(Collection<Map.Entry<FK, FV>>, Converter<FK, TK>, Converter<TK, FK>, Converter<FV, TV>, Converter<TV, FV>) - Static method in class com.oracle.common.collections.ConverterCollections.ConverterEntrySet
Create a Converter Entry Set.
instantiateEntrySet(Set<Map.Entry<FK, FV>>, Converter<FK, TK>, Converter<TK, FK>, Converter<FV, TV>, Converter<TV, FV>) - Method in class com.oracle.common.collections.ConverterCollections.ConverterMap
Create a Converter Entry Set.
instantiateIterator(Iterator<F>, Converter<F, T>) - Method in class com.oracle.common.collections.ConverterCollections.ConverterCollection
Create a Converter Iterator.
instantiateList(List<F>, Converter<F, T>, Converter<T, F>) - Static method in class com.oracle.common.collections.ConverterCollections.ConverterList
Create a Converter List.
instantiateListIterator(ListIterator<F>, Converter<F, T>, Converter<T, F>) - Static method in class com.oracle.common.collections.ConverterCollections.ConverterList
Create a Converter ListIterator.
instantiateMap(Map<FK, FV>, Converter<FK, TK>, Converter<TK, FK>, Converter<FV, TV>, Converter<TV, FV>) - Static method in class com.oracle.common.collections.ConverterCollections.ConverterMap
Create a Converter Map.
instantiateSet(Set<F>, Converter<F, T>, Converter<T, F>) - Static method in class com.oracle.common.collections.ConverterCollections.ConverterMap
Create a Converter Set.
instantiateSortedMap(SortedMap<FK, FV>, Converter<FK, TK>, Converter<TK, FK>, Converter<FV, TV>, Converter<TV, FV>) - Method in class com.oracle.common.collections.ConverterCollections.ConverterSortedMap
Create a Converter SortedMap.
instantiateSortedSet(SortedSet<F>, Converter<F, T>, Converter<T, F>) - Method in class com.oracle.common.collections.ConverterCollections.ConverterSortedSet
Create a Converter SortedSet.
interestData(int) - Method in class com.oracle.common.internal.net.ssl.SSLSocketChannel.SSLSelectionKey
Specify the operations of interest to the SSL data layer.
interestData() - Method in class com.oracle.common.internal.net.ssl.SSLSocketChannel.SSLSelectionKey
Return the interest operations for the SSL data layer
interestOps() - Method in class com.oracle.common.internal.net.ssl.SSLSocketChannel.SSLSelectionKey
interestOps(int) - Method in class com.oracle.common.internal.net.ssl.SSLSocketChannel.SSLSelectionKey
interestOps() - Method in class com.oracle.common.internal.net.WrapperSelector.WrapperSelectionKey
interestOps(int) - Method in class com.oracle.common.internal.net.WrapperSelector.WrapperSelectionKey
interestProtocol(int, int) - Method in class com.oracle.common.internal.net.ssl.SSLSocketChannel.SSLSelectionKey
The operations of interest to the SSL protocol layer.
interestProtocol() - Method in class com.oracle.common.internal.net.ssl.SSLSocketChannel.SSLSelectionKey
Get the interest operations for the SSL protocol layer
invalidate() - Method in class com.oracle.common.collections.ConverterCollections.ConverterCollection
Drop references to the underlying Collection and the Converters.
invoke(SelectableChannel, Runnable, long) - Method in class com.oracle.common.internal.net.HashSelectionService
Invoke the runnable by the SelectionService.
invoke(SelectableChannel, Runnable, long) - Method in class com.oracle.common.internal.net.MultiProviderSelectionService
Invoke the runnable by the SelectionService.
invoke(SelectableChannel, Runnable, long) - Method in class com.oracle.common.internal.net.ResumableSelectionService
Invoke the runnable by the SelectionService.
invoke(SelectableChannel, Runnable, long) - Method in class com.oracle.common.internal.net.RunnableSelectionService
Invoke the runnable by the SelectionService.
invoke(Runnable) - Method in class com.oracle.common.internal.net.socketbus.AbstractSocketBus.Connection
Schedule an invocation against this channel on the SelectionService.
invoke(SelectableChannel, Runnable, long) - Method in interface com.oracle.common.net.SelectionService
Invoke the runnable by the SelectionService.
isBound() - Method in class com.oracle.common.internal.net.WrapperServerSocket
isBound() - Method in class com.oracle.common.internal.net.WrapperSocket
isClientAuthenticationRequired() - Method in class com.oracle.common.net.SSLSocketProvider.DefaultDependencies
Return true iff produced server sockets will require client authentication.
isClientAuthenticationRequired() - Method in interface com.oracle.common.net.SSLSocketProvider.Dependencies
Return true iff produced server sockets will require client authentication.
isClosed() - Method in class com.oracle.common.internal.net.WrapperServerSocket
isClosed() - Method in class com.oracle.common.internal.net.WrapperSocket
isConnected() - Method in class com.oracle.common.internal.net.MultiplexedSocketProvider.MultiplexedSocketChannel
isConnected() - Method in class com.oracle.common.internal.net.WrapperSocket
isConnected() - Method in class com.oracle.common.internal.net.WrapperSocketChannel
isConnectionPending() - Method in class com.oracle.common.internal.net.MultiplexedSocketProvider.MultiplexedSocketChannel
isConnectionPending() - Method in class com.oracle.common.internal.net.WrapperSocketChannel
isEmpty() - Method in class com.oracle.common.collections.ConverterCollections.ConverterCollection
isEmpty() - Method in class com.oracle.common.collections.ConverterCollections.ConverterEntrySet
isEmpty() - Method in class com.oracle.common.collections.ConverterCollections.ConverterMap
isEmpty() - Method in class com.oracle.common.collections.UnmodifiableSetCollection
isFlushInProgress() - Method in class com.oracle.common.internal.net.socketbus.AbstractSocketBus.Connection
Return true if some thread is actively waiting to flush this connection.
isFlushRequired() - Method in class com.oracle.common.internal.net.socketbus.BufferedSocketBus.BufferedConnection
Return true there is application data pending a flush.
isIdle() - Method in class com.oracle.common.internal.net.RunnableSelectionService
Indicate if the service is idle (has no registered channels)).
isInputShutdown() - Method in class com.oracle.common.internal.net.MultiplexedSocketProvider.MultiplexedSocket
isInputShutdown() - Method in class com.oracle.common.internal.net.WrapperSocket
isOpen() - Method in class com.oracle.common.internal.net.socketbus.AbstractSocketBus.Connection
Return true iff the connection has not been released.
isOutputShutdown() - Method in class com.oracle.common.internal.net.WrapperSocket
isPending() - Method in class com.oracle.common.internal.net.MultiplexedSocketProvider.Listener.Switcher
Return true iff the channel has yet to be "accepted".
isPortExtended(int) - Static method in class com.oracle.common.internal.net.MultiplexedSocketProvider
Return true iff the specified port represents an extended port.
isReceiptFlushRequired() - Method in class com.oracle.common.internal.net.socketbus.BufferedSocketBus.BufferedConnection
Return true iff there are pending receipts that needs to be flushed but no application data to flush
issueLocalBacklog(Event) - Method in class com.oracle.common.internal.net.socketbus.SocketMessageBus.MessageConnection.ReadBatch
Put this connection in the local backlog state, issuing any requisite events.
isSuffix(String) - Method in enum com.oracle.common.io.Bandwidth.Magnitude
Determine if the passed suffix is compatible with this Bandwidth.Magnitude's suffix, ignoring case.
isSuffix(String) - Method in enum com.oracle.common.io.MemorySize.Magnitude
Determine if the passed suffix is compatible with this MemorySize.Magnitude's suffix, ignoring case.
isSuffix(String) - Method in enum com.oracle.common.util.Duration.Magnitude
Determine if the passed suffix is compatible with this Duration.Magnitude's suffix, ignoring case.
isSupported(EndPoint) - Method in class com.oracle.common.internal.net.socketbus.SocketBusDriver
Indicate if the specified EndPoint is supported by this driver.
isSupported(EndPoint) - Method in interface com.oracle.common.net.exabus.spi.Driver
Indicate if the specified EndPoint is supported by this driver.
isSupported(EndPoint) - Method in class com.oracle.common.net.exabus.util.MessageBusTest.EchoBus.EchoDriver
isUnderUtilized(ByteBuffer) - Method in class com.oracle.common.internal.io.AbstractBufferManager
Identify if the specified buffer is under utilized.
isUnresolved() - Method in class com.oracle.common.net.InetSocketAddress32
Checks whether the address has been resolved or not.
isValid() - Method in class com.oracle.common.internal.net.socketbus.AbstractSocketBus.Connection
Return if the connection is valid
isValid() - Method in class com.oracle.common.internal.net.WrapperSelector.WrapperSelectionKey
iterator() - Method in class com.oracle.common.collections.ConverterCollections.ConverterCollection
iterator() - Method in class com.oracle.common.collections.ConverterCollections.ConverterEntrySet
iterator() - Method in class com.oracle.common.collections.UnmodifiableSetCollection
keys() - Method in class com.oracle.common.internal.net.MultiplexedSocketProvider.MultiplexedSelector
keys() - Method in class com.oracle.common.internal.net.WrapperSelector
keySet() - Method in class com.oracle.common.collections.ConverterCollections.ConverterMap
last() - Method in class com.oracle.common.collections.ConverterCollections.ConverterSortedSet
lastIndexOf(Object) - Method in class com.oracle.common.collections.ConverterCollections.ConverterList
lastKey() - Method in class com.oracle.common.collections.ConverterCollections.ConverterSortedMap
listIterator() - Method in class com.oracle.common.collections.ConverterCollections.ConverterList
listIterator(int) - Method in class com.oracle.common.collections.ConverterCollections.ConverterList
LOGGER - Variable in class com.oracle.common.internal.io.CheckedBufferManager
The Logger to use.
LOGGER - Static variable in class com.oracle.common.internal.io.SegmentedBufferManager
The logger.
LOWEST - Static variable in enum com.oracle.common.io.Bandwidth.Magnitude
The lowest defined order of Bandwidth.Magnitude.
LOWEST - Static variable in enum com.oracle.common.io.MemorySize.Magnitude
The lowest defined order of MemorySize.Magnitude.
LOWEST - Static variable in enum com.oracle.common.util.Duration.Magnitude
The lowest defined order of Duration.Magnitude.
m_aBuffClear - Variable in class com.oracle.common.internal.net.ssl.SSLSocketChannel
An ByteBuffer array containing just the clear text buffer
m_aBuffer - Variable in class com.oracle.common.internal.net.socketbus.BufferedSocketBus.BufferedConnection.WriteBatch
The ByteBuffer array.
m_aBuffer - Variable in class com.oracle.common.internal.net.socketbus.SocketMessageBus.MessageConnection.ReadBatch
The ByteBuffer array.
m_aBuffer - Variable in class com.oracle.common.io.MultiBufferSequence
The ByteBuffer array.
m_aBufferRecycle - Variable in class com.oracle.common.internal.net.socketbus.BufferedSocketBus.BufferedConnection.WriteBatch
The optional ByteBuffer array to recycle in dispose.
m_aBuffSingleInbound - Variable in class com.oracle.common.internal.net.ssl.SSLSocketChannel
A reusable single element buffer array for reads, which also serves as the monitor to protect against multiple concurrent readers.
m_aBuffSingleOutbound - Variable in class com.oracle.common.internal.net.ssl.SSLSocketChannel
A reusable single element buffer array for writes, which also serves as the monitor to protect against multiple concurrent writers.
m_addressLocal - Variable in class com.oracle.common.internal.net.DemultiplexedSocketProvider.DemultiplexedSocket
Local address
m_addressRemote - Variable in class com.oracle.common.internal.net.DemultiplexedSocketProvider.DemultiplexedSocket
Peer address
m_addrLocal - Variable in class com.oracle.common.internal.net.MultiplexedSocketProvider.MultiplexedSocket
Local address
m_addrLocal - Variable in class com.oracle.common.internal.net.MultiplexedSocketProvider.MultiplexedSocketChannel
The socket's local address.
m_addrPeer - Variable in class com.oracle.common.internal.net.MultiplexedSocketProvider.MultiplexedSocket
Peer address
m_addrPeer - Variable in class com.oracle.common.internal.net.MultiplexedSocketProvider.MultiplexedSocketChannel
The peer's address.
m_aPosLimit - Variable in class com.oracle.common.io.MultiBufferSequence
An array of the original positions and limits of each buffer.
m_aProcessor - Variable in class com.oracle.common.net.exabus.util.MessageBusTest.DemultiplexingCollector
The array of processors to dispatch to.
m_asCipherSuitesEnabled - Variable in class com.oracle.common.net.SSLSocketProvider.DefaultDependencies
The enabled cipher suites or null for default.
m_aServices - Variable in class com.oracle.common.internal.net.HashSelectionService
An array of child SelectionServices.
m_aSet - Variable in class com.oracle.common.collections.UnmodifiableSetCollection
Wrapped sets
m_aTransmitter - Variable in class com.oracle.common.net.exabus.util.MessageBusTest.EventProcessor
The number of transmit threads to run.
m_buf - Variable in class com.oracle.common.internal.net.MultiplexedSocketProvider.Listener.Switcher
m_buf - Variable in class com.oracle.common.io.BufferSequenceInputStream
The ByteBuffer object from which data is read.
m_buffClearIn - Variable in class com.oracle.common.internal.net.ssl.SSLSocketChannel
Buffered "clear text" data ready to be delivered to the user of this channel.
m_buffEncIn - Variable in class com.oracle.common.internal.net.ssl.SSLSocketChannel
Buffered encrypted data from the delegate channel, waiting to be decrypted.
m_buffEncOut - Variable in class com.oracle.common.internal.net.ssl.SSLSocketChannel
Buffered encrypted data waiting to be written to the delegate channel.
m_buffer - Variable in class com.oracle.common.internal.net.socketbus.SharedBuffer
The buffer.
m_buffer - Variable in class com.oracle.common.io.BufferSequenceOutputStream
The current "unflushed" buffer.
m_buffer - Variable in class com.oracle.common.io.SingleBufferSequence
The ByteBuffer.
m_buffer0 - Variable in class com.oracle.common.internal.net.socketbus.MultiBufferMessageEvent
The SharedBuffer which manages the first accessable buffer in the array, i.e.
m_bufferManager - Variable in class com.oracle.common.internal.net.socketbus.SocketBusDriver.DefaultDependencies
The BufferManager.
m_bufferMsgHdr - Variable in class com.oracle.common.internal.net.socketbus.SocketMessageBus.MessageConnection
ByteBuffer to write Message headers
m_bufferN - Variable in class com.oracle.common.internal.net.socketbus.MultiBufferMessageEvent
The SharedBuffer which manages the last accessable buffer in the array, i.e.
m_bufferRecycleOutboundReceipts - Variable in class com.oracle.common.internal.net.socketbus.BufferedSocketBus.BufferedConnection
ByteBuffer to write Receipt messages
m_bufferSegment - Variable in class com.oracle.common.internal.net.socketbus.SharedBuffer.Segment
The local accessable portion of the shared buffer.
m_bufferShared - Variable in class com.oracle.common.internal.net.socketbus.SingleBufferMessageEvent
The SharedBuffer which manages buffer.
m_bufferShared - Variable in class com.oracle.common.internal.net.socketbus.SocketMessageBus.MessageConnection.ReadBatch
Shared buffer protecting remainder of buffer at m_ofReadable.
m_bufHeaderIn - Variable in class com.oracle.common.internal.net.MultiplexedSocketProvider.MultiplexedSocketChannel
The inbound protocol header, or more specifically bytes which were read looking for the header but need to be returned from socket read calls before any further socket data.
m_bufHeaderOut - Variable in class com.oracle.common.internal.net.MultiplexedSocketProvider.MultiplexedSocketChannel
The outbound protocol header.
m_bufseq - Variable in class com.oracle.common.io.BufferSequenceInputStream
The BufferSequence object from which data is read.
m_bus - Variable in class com.oracle.common.net.exabus.util.MessageBusTest.DemultiplexingCollector
The Bus associated with the EventProcessors.
m_bus - Variable in class com.oracle.common.net.exabus.util.MessageBusTest.EventProcessor
The MessageBus for this processor.
m_bus - Variable in class com.oracle.common.net.exabus.util.MessageBusTest.Transmitter
The associated MessageBus.
m_cb - Variable in class com.oracle.common.io.BufferSequenceInputStream
The number of bytes remaining in the stream.
m_cb - Variable in class com.oracle.common.io.BufferSequenceOutputStream
The sequence length.
m_cBacklogEventsLocal - Variable in class com.oracle.common.net.exabus.util.MessageBusTest.EventProcessor
The total number of local backlog events received.
m_cBacklogEventsRemote - Variable in class com.oracle.common.net.exabus.util.MessageBusTest.EventProcessor
The total number of remote backlog events received.
m_cBacklogLocal - Variable in class com.oracle.common.internal.net.socketbus.SocketMessageBus
The count of the number of connections in the local backlog state.
m_cBacklogMillisLocal - Variable in class com.oracle.common.net.exabus.util.MessageBusTest.EventProcessor
The total number of milliseconds for which the EventProcessor was locally backlogged.
m_cbAutoFlush - Variable in class com.oracle.common.internal.net.socketbus.SocketBusDriver.DefaultDependencies
Auto flush threshold
m_cbAutoFlushThreshold - Variable in class com.oracle.common.internal.net.socketbus.BufferedSocketBus.BufferedConnection
The auto-flush threshold.
m_cbBacklogExcessiveThreshold - Variable in class com.oracle.common.internal.net.socketbus.BufferedSocketBus.BufferedConnection
The excessive backlog threashold.
m_cbBatch - Variable in class com.oracle.common.internal.net.socketbus.BufferedSocketBus.BufferedConnection.WriteBatch
The total number of bytes remaining in the batch.
m_cbBuffer - Variable in class com.oracle.common.io.MultiBufferSequence
The number of bytes in the sequence.
m_cbEventQueue - Variable in class com.oracle.common.internal.net.socketbus.SocketMessageBus.MessageConnection
The approximate size of the data in the event queue.
m_cbForceAckThreshold - Variable in class com.oracle.common.internal.net.socketbus.BufferedSocketBus.BufferedConnection
The force ack threshold.
m_cbIn - Variable in class com.oracle.common.net.exabus.util.MessageBusTest.EventProcessor
The number of bytes read.
m_cbMark - Variable in class com.oracle.common.io.BufferSequenceInputStream
The number of bytes remaining in the stream after the mark.
m_cbOut - Variable in class com.oracle.common.net.exabus.util.MessageBusTest.EventProcessor
The number of bytes written.
m_cbOut - Variable in class com.oracle.common.net.exabus.util.MessageBusTest.Transmitter
The numbe of bytes written.
m_cbQueued - Variable in class com.oracle.common.internal.net.socketbus.BufferedSocketBus.BufferedConnection
The number of bytes in the write queue.
m_cbReadable - Variable in class com.oracle.common.internal.net.socketbus.SocketMessageBus.MessageConnection.ReadBatch
The number of readable bytes.
m_cbReadThreshold - Variable in class com.oracle.common.internal.net.socketbus.SocketMessageBus.MessageConnection
The limit on how much inbound data to buffer.
m_cbReceiptRequest - Variable in class com.oracle.common.internal.net.socketbus.SocketBusDriver.DefaultDependencies
Threshold after which to request receipts.
m_cbReceived - Variable in class com.oracle.common.net.exabus.util.MessageBusTest.DemultiplexingCollector
Array containing received message size totals.
m_cbRequired - Variable in class com.oracle.common.internal.net.socketbus.SocketMessageBus.MessageConnection.ReadBatch
The number of bytes required for the next header or message.
m_cbs - Variable in class com.oracle.common.net.exabus.util.MessageBusTest.Transmitter
The target data rate.
m_cbsIn - Variable in class com.oracle.common.net.exabus.util.MessageBusTest.EventProcessor
The target inbound data rate.
m_cBuffer - Variable in class com.oracle.common.internal.net.socketbus.BufferedSocketBus.BufferedConnection.WriteBatch
The number of buffers remaining.
m_cBuffer - Variable in class com.oracle.common.io.MultiBufferSequence
The number of ByteBuffers in the sequence.
m_cBufferRecycle - Variable in class com.oracle.common.internal.net.socketbus.BufferedSocketBus.BufferedConnection.WriteBatch
The number of buffers to recycle.
m_cBufferWritable - Variable in class com.oracle.common.internal.net.socketbus.SocketMessageBus.MessageConnection.ReadBatch
The number of unfilled buffers remaining, starting at m_ofWritable.
m_cbWritable - Variable in class com.oracle.common.internal.net.socketbus.SocketMessageBus.MessageConnection.ReadBatch
The number of writable bytes.
m_cBytesUnacked - Variable in class com.oracle.common.internal.net.socketbus.BufferedSocketBus.BufferedConnection
As estimate of the number of unacked bytes since the last received ack or sent forced flush.
m_cConnections - Variable in class com.oracle.common.net.exabus.util.MessageBusTest.EventProcessor
The number of open connections.
m_channel - Variable in class com.oracle.common.internal.net.DemultiplexedSocketProvider.DemultiplexedSocket
Associated Socket channel.
m_channel - Variable in class com.oracle.common.internal.net.MultiplexedSocketProvider.MultiplexedSocket
Associated Socket channel.
m_cJobsPending - Variable in class com.oracle.common.internal.net.ssl.SSLSocketChannel
The number of pending jobs scheduled on behalf of the engine.
m_cMaxReceiptDelayMillis - Variable in class com.oracle.common.internal.net.socketbus.SocketBusDriver.DefaultDependencies
Maximum receipt ack delay in millis
m_cMillisBacklog - Variable in class com.oracle.common.net.exabus.util.MessageBusTest.Transmitter
The number of milliseconds the transmitter was blocked waiting for peers.
m_cMillisIdentify - Variable in class com.oracle.common.internal.net.MultiplexedSocketProvider.DefaultDependencies
The accept timeout.
m_cMsgIn - Variable in class com.oracle.common.net.exabus.util.MessageBusTest.EventProcessor
The number of received messages.
m_cMsgOut - Variable in class com.oracle.common.net.exabus.util.MessageBusTest.EventProcessor
The number of sent messages.
m_cMsgOut - Variable in class com.oracle.common.net.exabus.util.MessageBusTest.Transmitter
The number of sent messages.
m_cNameSuffix - Variable in class com.oracle.common.util.DaemonThreadFactory
The thread name counter.
m_col - Variable in class com.oracle.common.collections.ConverterCollections.ConverterCollection
The underlying Collection.
m_collector - Variable in class com.oracle.common.net.exabus.util.MessageBusTest.EchoBus
m_connection - Variable in class com.oracle.common.internal.net.socketbus.AbstractSocketBus.HandshakeHandler
Non-null once we can associate the handshake with a local Connection.
m_conv - Variable in class com.oracle.common.collections.ConverterCollections.ConverterEnumerator
Converter to convert each item.
m_convDown - Variable in class com.oracle.common.collections.ConverterCollections.ConverterCollection
The Converter from this Collection to the underlying Collection.
m_convDown - Variable in class com.oracle.common.collections.ConverterCollections.ConverterListIterator
The Converter from this ListIterator to the underlying ListIterator.
m_convKeyDown - Variable in class com.oracle.common.collections.ConverterCollections.ConverterEntrySet
The Converter used to pass keys down to the Entry Set.
m_convKeyDown - Variable in class com.oracle.common.collections.ConverterCollections.ConverterMap
The Converter used to pass keys down to the Map.
m_convKeyUp - Variable in class com.oracle.common.collections.ConverterCollections.ConverterEntry
The Converter used to view the Entry's key.
m_convKeyUp - Variable in class com.oracle.common.collections.ConverterCollections.ConverterEntrySet
The Converter used to view keys stored in the Entry Set.
m_convKeyUp - Variable in class com.oracle.common.collections.ConverterCollections.ConverterMap
The Converter used to view keys stored in the Map.
m_convUp - Variable in class com.oracle.common.collections.ConverterCollections.ConverterCollection
The Converter from the underlying Collection to this Collection.
m_convUp - Variable in class com.oracle.common.collections.ConverterCollections.ConverterListIterator
The Converter from the underlying ListIterator to this ListIterator.
m_convValDown - Variable in class com.oracle.common.collections.ConverterCollections.ConverterEntry
The Converter used to store the Entry's value.
m_convValDown - Variable in class com.oracle.common.collections.ConverterCollections.ConverterEntrySet
The Converter used to pass values down to the Entry Set.
m_convValDown - Variable in class com.oracle.common.collections.ConverterCollections.ConverterMap
The Converter used to pass keys down to the Map.
m_convValUp - Variable in class com.oracle.common.collections.ConverterCollections.ConverterEntry
The Converter used to view the Entry's value.
m_convValUp - Variable in class com.oracle.common.collections.ConverterCollections.ConverterEntrySet
The Converter used to view values stored in the Entry Set.
m_convValUp - Variable in class com.oracle.common.collections.ConverterCollections.ConverterMap
The Converter used to view values stored in the Map.
m_cPendingResponses - Variable in class com.oracle.common.net.exabus.util.MessageBusTest.Transmitter
The number of pending responses.
m_cReceiptsIn - Variable in class com.oracle.common.net.exabus.util.MessageBusTest.EventProcessor
The total number of returned receipts.
m_cReceiptsNanos - Variable in class com.oracle.common.net.exabus.util.MessageBusTest.EventProcessor
The total RTT time for all received receipts.
m_cReceiptsReturn - Variable in class com.oracle.common.internal.net.socketbus.BufferedSocketBus.BufferedConnection
The number of receipts to return to the peer on our next send.
m_cReceiptsUnflushed - Variable in class com.oracle.common.internal.net.socketbus.BufferedSocketBus.BufferedConnection
The number of receipts associated with the unflushed WriteBatch.
m_cReceiptTimings - Variable in class com.oracle.common.net.exabus.util.MessageBusTest.EventProcessor
The total number of received timed receipts.
m_cReconnectDelayMillis - Variable in class com.oracle.common.internal.net.socketbus.SocketBusDriver.DefaultDependencies
Reconnect interval for the Connection in millis
m_cRefs - Variable in class com.oracle.common.internal.net.socketbus.SharedBuffer
The reference count.
m_cResponseIn - Variable in class com.oracle.common.net.exabus.util.MessageBusTest.EventProcessor
The total number of received responses.
m_cResponseNanos - Variable in class com.oracle.common.net.exabus.util.MessageBusTest.EventProcessor
The total RTT time for all receied responses.
m_cThreadsDirect - Variable in class com.oracle.common.internal.net.socketbus.SocketBusDriver.DefaultDependencies
The maximum number of concurrent writers on which to attempt direct writes.
m_ctx - Variable in class com.oracle.common.net.SSLSocketProvider.DefaultDependencies
The SSLContext used by this SocketProvider.
m_cWriters - Variable in class com.oracle.common.internal.net.socketbus.BufferedSocketBus.BufferedConnection.WriteBatch
An estimate of the number of threads which contributed to the batch.
m_cWritersWaiting - Variable in class com.oracle.common.internal.net.socketbus.SocketMessageBus.MessageConnection
The number of threads waiting to send.
m_delegate - Variable in class com.oracle.common.internal.io.CheckedBufferManager
The wrapped BufferManager.
m_delegate - Variable in class com.oracle.common.internal.net.DemultiplexedSocketProvider
Underlying MultiplexedSocketProvider
m_delegate - Variable in class com.oracle.common.internal.net.MultiplexedSocketProvider.MultiplexedSelectorProvider
The delegate SelectorProvider.
m_delegate - Variable in class com.oracle.common.internal.net.ssl.SSLSelectorProvider
The delegate SelectorProvider.
m_delegate - Variable in class com.oracle.common.internal.net.WrapperSelector
The wrapped Selector.
m_delegate - Variable in class com.oracle.common.internal.net.WrapperSelector.WrapperSelectionKey
The delegate SelectionKey.
m_delegate - Variable in class com.oracle.common.internal.net.WrapperServerSocket
The delegate socket.
m_delegate - Variable in class com.oracle.common.internal.net.WrapperServerSocketChannel
The delegate channel.
m_delegate - Variable in class com.oracle.common.internal.net.WrapperSocket
The delegate socket.
m_delegate - Variable in class com.oracle.common.internal.net.WrapperSocketChannel
The delegate SocketChannel.
m_delegate - Variable in class com.oracle.common.net.SSLSocketProvider.DefaultDependencies
The SocketProvider which produces the underlying clear-text sockets.
m_dependencies - Variable in class com.oracle.common.internal.net.MultiplexedSocketProvider
The provider's dependencies.
m_dependencies - Variable in class com.oracle.common.internal.net.socketbus.SocketBusDriver
The driver's dependencies.
m_dependencies - Variable in class com.oracle.common.net.exabus.util.SimpleDepot
The Depot's Dependencies.
m_dependencies - Variable in class com.oracle.common.net.SSLSocketProvider
The SSLSocketProvider's dependencies.
m_depot - Variable in class com.oracle.common.internal.net.socketbus.SocketBusDriver
The Depot managing this driver.
m_depot - Variable in class com.oracle.common.net.exabus.util.MessageBusTest.EchoBus.EchoDriver
m_disposer - Variable in class com.oracle.common.internal.net.socketbus.SharedBuffer
The associated Disposer
m_disposer - Variable in class com.oracle.common.internal.net.socketbus.SocketMessageBus.MessageConnection.ReadBatch
Disposer for shared buffers
m_driver - Variable in class com.oracle.common.internal.net.socketbus.AbstractSocketBus
The SocketDriver which produced this bus.
m_engine - Variable in class com.oracle.common.internal.net.ssl.SSLSocketChannel
The SSLEngine which provides SSL to this channel.
m_entry - Variable in class com.oracle.common.collections.ConverterCollections.AbstractConverterEntry
The underlying entry.
m_evt - Variable in class com.oracle.common.net.exabus.util.MessageBusTest.StampedEvent
m_executor - Variable in class com.oracle.common.net.SSLSocketProvider.DefaultDependencies
The SSL executor, or null for default.
m_factory - Variable in class com.oracle.common.internal.net.MultiProviderSelectionService
The factory to use when creating new SelectionServices.
m_factory - Variable in class com.oracle.common.internal.net.ResumableSelectionService
The ThreadFactory to use for producing the threads to run the service.
m_fBacklog - Variable in class com.oracle.common.internal.net.socketbus.BufferedSocketBus.BufferedConnection
True if in the backlog state, false otherwise.
m_fBacklogLocal - Variable in class com.oracle.common.internal.net.socketbus.SocketMessageBus.MessageConnection
True if we are locally backlogged.
m_fBlock - Variable in class com.oracle.common.net.exabus.util.MessageBusTest.Transmitter
True if the transmitter should block while awaiting a response.
m_fBlocking - Variable in class com.oracle.common.internal.net.ssl.SSLServerSocketChannel
A cached copy of the configured blocking mode.
m_fBlocking - Variable in class com.oracle.common.internal.net.ssl.SSLSocketChannel
A cached copy of the configured blocking mode.
m_fClientAuthRequired - Variable in class com.oracle.common.net.SSLSocketProvider.DefaultDependencies
True if client authentication is required.
m_fClosed - Variable in class com.oracle.common.internal.net.MultiplexedSocketProvider.MultiplexedServerSocketChannel
Flag indicating if the channel is closed.
m_fFlush - Variable in class com.oracle.common.net.exabus.util.MessageBusTest.DemultiplexingCollector
True if the collector requires a bus.flush to be performed.
m_fHandshaking - Variable in class com.oracle.common.internal.net.ssl.SSLSocketChannel
Flag indicating if the channel is currently handshaking.
m_fHeader - Variable in class com.oracle.common.internal.net.socketbus.SocketMessageBus.MessageConnection.ReadBatch
True if waiting for a message header, false if waiting for a message.
m_fSafe - Variable in class com.oracle.common.io.SingleBufferSequence
Indicates if the original buffer can be returned without duplication.
m_hasher - Variable in class com.oracle.common.internal.net.socketbus.SocketBusDriver.DefaultDependencies
The SocketAddress hasher.
m_headerIn - Variable in class com.oracle.common.internal.net.socketbus.AbstractSocketBus.HandshakeHandler
The in-bound protocol header.
m_headerOut - Variable in class com.oracle.common.internal.net.socketbus.AbstractSocketBus.HandshakeHandler
The out-bound protocol header.
m_hostnameVerifier - Variable in class com.oracle.common.net.SSLSocketProvider.DefaultDependencies
The HostnameVerifier used by this SocketProvider.
m_iter - Variable in class com.oracle.common.collections.ConverterCollections.ConverterEntrySet.ConverterIterator
The underlying Iterator.
m_iter - Variable in class com.oracle.common.collections.ConverterCollections.ConverterEnumerator
Iterator of Objects to convert.
m_iter - Variable in class com.oracle.common.collections.ConverterCollections.ConverterListIterator
The underlying ListIterator.
m_keyFirst - Variable in class com.oracle.common.internal.net.ssl.SSLSocketChannel
A linked list of registered SSLSelectionKeys, the linked list must be accessed while holding the read lock, i.e m_aBuffSingleInbound
m_keyHead - Variable in class com.oracle.common.internal.net.MultiplexedSocketProvider.MultiplexedServerSocketChannel
The head of the SelectionKey linked-list.
m_keyNext - Variable in class com.oracle.common.internal.net.ssl.SSLSocketChannel.SSLSelectionKey
A link to the next SSLSelectionKey registered against the associated channel.
m_keyStore - Variable in class com.oracle.common.internal.security.PeerX509TrustManager
The key store used by this TrustManager.
m_ldtBacklogLocalStart - Variable in class com.oracle.common.net.exabus.util.MessageBusTest.EventProcessor
The time at which the current local backlog condition started, or zero if there is none.
m_ldtBacklogStart - Variable in class com.oracle.common.net.exabus.util.MessageBusTest.Transmitter
The start time of the current backlog, or 0 if none is active
m_ldtNanos - Variable in class com.oracle.common.net.exabus.util.MessageBusTest.StampedEvent
m_listBuffers - Variable in class com.oracle.common.io.BufferSequenceOutputStream
The list of flushed buffers.
m_logger - Variable in class com.oracle.common.internal.net.MultiplexedSocketProvider.DefaultDependencies
The Logger.
m_logger - Variable in class com.oracle.common.internal.net.socketbus.SocketBusDriver.DefaultDependencies
The Logger.
m_logger - Variable in class com.oracle.common.net.exabus.util.SimpleDepot.DefaultDependencies
The Logger.
m_logger - Variable in class com.oracle.common.net.SSLSocketProvider.DefaultDependencies
The Logger to use.
m_lWritersBitSet - Variable in class com.oracle.common.internal.net.socketbus.BufferedSocketBus.BufferedConnection.WriteBatch
Bit set used to identify threads contributing to the batch
m_manager - Variable in class com.oracle.common.io.BufferSequenceOutputStream
The BufferManager to use in producing the sequence, or null if closed.
m_manager - Variable in class com.oracle.common.io.MultiBufferSequence
The BufferManager
m_manager - Variable in class com.oracle.common.io.SingleBufferSequence
The BufferManager
m_map - Variable in class com.oracle.common.collections.ConverterCollections.ConverterMap
The underlying Map.
m_mapBindings - Variable in class com.oracle.common.internal.net.MultiplexedSocketProvider.Listener
Map of port to servers.
m_mapDriver - Variable in class com.oracle.common.net.exabus.util.SimpleDepot.DefaultDependencies
The Drivers to use.
m_mapListener - Variable in class com.oracle.common.internal.net.MultiplexedSocketProvider
Map of Listener addresses to their corresponding Listener object
m_mapOptions - Variable in class com.oracle.common.net.SocketSettings
A map of the specified options.
m_mapServices - Variable in class com.oracle.common.internal.net.MultiProviderSelectionService
Map of SelectorProvider to SelectionService.
m_nBacklog - Variable in class com.oracle.common.internal.net.MultiplexedSocketProvider.DefaultDependencies
The backlog.
m_nFlushOn - Variable in class com.oracle.common.net.exabus.util.MessageBusTest.EventProcessor
The number of messages to send before flushing.
m_nFlushOn - Variable in class com.oracle.common.net.exabus.util.MessageBusTest.Transmitter
The number of messages to send before flushing.
m_nId - Variable in class com.oracle.common.net.exabus.util.MessageBusTest.Transmitter
The transmitter ID.
m_nLimit - Variable in class com.oracle.common.io.SingleBufferSequence
The buffer's original limit.
m_nOpsInterestApp - Variable in class com.oracle.common.internal.net.ssl.SSLSocketChannel.SSLSelectionKey
The interest set as specified by the application
m_nOpsInterestData - Variable in class com.oracle.common.internal.net.ssl.SSLSocketChannel.SSLSelectionKey
The interest set as specified by the SSL data layer.
m_nOpsInterestExclude - Variable in class com.oracle.common.internal.net.ssl.SSLSocketChannel.SSLSelectionKey
The interest operations to exclude.
m_nOpsInterestProtocol - Variable in class com.oracle.common.internal.net.ssl.SSLSocketChannel.SSLSelectionKey
The operations which are ready in the SSL protocol layer.
m_nOpsReadyData - Variable in class com.oracle.common.internal.net.ssl.SSLSocketChannel.SSLSelectionKey
The operations which are ready in the SSL data layer.
m_nOpsReadyProtocol - Variable in class com.oracle.common.internal.net.ssl.SSLSocketChannel.SSLSelectionKey
The interest set as specified by the SSL protocol layer.
m_nPortEphemeralHi - Variable in class com.oracle.common.internal.net.MultiplexedSocketProvider
The maximum base ephemeral port number which has at some point been allocated.
m_nPortEphemeralLow - Variable in class com.oracle.common.internal.net.MultiplexedSocketProvider
The minimum base ephemeral port number which has at some point been allocated.
m_nPosition - Variable in class com.oracle.common.io.SingleBufferSequence
The buffer's original position.
m_nSubport - Variable in class com.oracle.common.internal.net.DemultiplexedSocketProvider
Subport to be used by this DemultiplexedSocketProvider
m_of - Variable in class com.oracle.common.io.BufferSequenceInputStream
The offset of the next ByteBuffer to read from.
m_ofBuffer - Variable in class com.oracle.common.internal.net.socketbus.BufferedSocketBus.BufferedConnection.WriteBatch
The current offset into m_aBuffer.
m_ofBuffer - Variable in class com.oracle.common.io.MultiBufferSequence
The offset of the first buffer.
m_ofBufferRecycle - Variable in class com.oracle.common.internal.net.socketbus.BufferedSocketBus.BufferedConnection.WriteBatch
The current offset into m_aBufferRecycle.
m_ofMark - Variable in class com.oracle.common.io.BufferSequenceInputStream
The offset of the buffer associated with the mark.
m_ofReadable - Variable in class com.oracle.common.internal.net.socketbus.SocketMessageBus.MessageConnection.ReadBatch
The array offset of the first readable buffer.
m_ofSafe - Variable in class com.oracle.common.io.MultiBufferSequence
The relative offset of the first buffer in m_aBuffer which is safe to return without duplicating.
m_ofWritable - Variable in class com.oracle.common.internal.net.socketbus.SocketMessageBus.MessageConnection.ReadBatch
The offset of the first buffer to read into (i.e.
m_oKeyUp - Variable in class com.oracle.common.collections.ConverterCollections.AbstractConverterEntry
Cached converted key.
m_options - Variable in class com.oracle.common.internal.net.socketbus.SocketBusDriver.DefaultDependencies
The SocketOptions.
m_oValueUp - Variable in class com.oracle.common.collections.ConverterCollections.AbstractConverterEntry
Cached converted value.
m_phase - Variable in class com.oracle.common.internal.net.socketbus.AbstractSocketBus.HandshakeHandler
The handshake state.
m_pointSelf - Variable in class com.oracle.common.net.exabus.util.MessageBusTest.EchoBus
m_posMark - Variable in class com.oracle.common.io.BufferSequenceInputStream
The buffer position of the buffer associated with the mark.
m_provider - Variable in class com.oracle.common.internal.net.MultiplexedSocketProvider.DefaultDependencies
The SocketProvider to utilize.
m_provider - Variable in class com.oracle.common.internal.net.MultiplexedSocketProvider.MultiplexedServerSocketChannel
MultiplexedSocketProvider associated with this ServerSocketChannel
m_provider - Variable in class com.oracle.common.internal.net.socketbus.SocketBusDriver.DefaultDependencies
The SocketProvider to use when producing sockets.
m_provider - Variable in class com.oracle.common.internal.net.ssl.SSLServerSocket
The SSLSocketProvider that created this SSLSocket.
m_provider - Variable in class com.oracle.common.internal.net.ssl.SSLSocket
The SSLSocketProvider that created this SSLSocket.
m_providerSocket - Variable in class com.oracle.common.internal.net.ssl.SSLServerSocketChannel
The SSLSocketProvider associated with this socket.
m_providerSocket - Variable in class com.oracle.common.internal.net.ssl.SSLSocketChannel
The SSLSocketProvider associated with this socket.
m_queue - Variable in class com.oracle.common.internal.net.MultiplexedSocketProvider.MultiplexedServerSocketChannel
The queue of ready client channels.
m_queue - Variable in class com.oracle.common.net.exabus.util.MessageBusTest.EventProcessor
The event queue, or null for reentrant processing.
m_queueWrite - Variable in class com.oracle.common.internal.net.socketbus.BufferedSocketBus.BufferedConnection
Queue of WriteBatches which will be written by the service thread.
m_readBatch - Variable in class com.oracle.common.internal.net.socketbus.SocketMessageBus.MessageConnection
The read buffer data.
m_refBufferRecycledInbound - Variable in class com.oracle.common.internal.net.socketbus.SocketMessageBus.MessageConnection.ReadBatch
ByteBuffer recyclable by ReadBatch w/o releasing it to BufferManager
m_sDefaultMemBusEndPoint - Variable in class com.oracle.common.net.exabus.util.SimpleDepot.DefaultDependencies
The default MemoryBus EndPoint name.
m_sDefaultMsgBusEndPoint - Variable in class com.oracle.common.net.exabus.util.SimpleDepot.DefaultDependencies
The default MessageBus EndPoint name.
m_selector - Variable in class com.oracle.common.internal.net.WrapperSelector.WrapperSelectionKey
The associated WrapperSelector.
m_service - Variable in class com.oracle.common.internal.net.MultiplexedSocketProvider.DefaultDependencies
The SelectionService to utilize.
m_service - Variable in class com.oracle.common.internal.net.socketbus.SocketBusDriver.DefaultDependencies
The SelectionService the busses will use for IO processing.
m_set - Variable in class com.oracle.common.collections.ConverterCollections.ConverterEntrySet
The underlying Entry Set (or Collection of Map Entry objects).
m_set - Variable in class com.oracle.common.collections.ConverterCollections.ConverterMap
The Entry Set.
m_setAllocated - Variable in class com.oracle.common.internal.io.CheckedBufferManager
The set of buffers which this manager has handed out but which have yet to be returned.
m_setCancelled - Variable in class com.oracle.common.internal.net.MultiplexedSocketProvider.MultiplexedSelector
The cancelled key set.
m_setEphemeral - Variable in class com.oracle.common.internal.net.MultiplexedSocketProvider.Listener
The Set of allocated sub-ports in the ephemeral range.
m_setKeys - Variable in class com.oracle.common.internal.net.MultiplexedSocketProvider.MultiplexedSelector
The registered key set.
m_setKeys - Variable in class com.oracle.common.internal.net.WrapperSelector
The selector's keys
m_setKeysRO - Variable in class com.oracle.common.internal.net.MultiplexedSocketProvider.MultiplexedSelector
The exposed registered key set.
m_setPeer - Variable in class com.oracle.common.net.exabus.util.MessageBusTest.EventProcessor
Set of peer's to transmit to.
m_setPending - Variable in class com.oracle.common.internal.net.MultiplexedSocketProvider.MultiplexedSelector
The pending ready key set.
m_setReady - Variable in class com.oracle.common.internal.net.MultiplexedSocketProvider.MultiplexedSelector
The ready key set.
m_setReady - Variable in class com.oracle.common.net.exabus.util.MessageBusTest.EventProcessor
Subset of m_setPeer that ready to be transmitted to, i.e.
m_setReady - Variable in class com.oracle.common.net.exabus.util.MessageBusTest.Transmitter
The EndPoints to send to.
m_setSelectedKeys - Variable in class com.oracle.common.internal.net.WrapperSelector
The selector's selected keys
m_sNamePrefix - Variable in class com.oracle.common.util.DaemonThreadFactory
The prefix to use for un-named threads produced by the factory.
m_socket - Variable in class com.oracle.common.internal.net.MultiplexedSocketProvider.MultiplexedServerSocketChannel
The ServerSocket representation of this channel.
m_socket - Variable in class com.oracle.common.internal.net.WrapperServerSocketChannel
The associated ServerSocket.
m_socket - Variable in class com.oracle.common.internal.net.WrapperSocketChannel
The associated WrapperSocket.
m_sProtocolMemoryBus - Variable in class com.oracle.common.internal.net.socketbus.SocketBusDriver.DefaultDependencies
The message bus protocol prefix.
m_sProtocolMessageBus - Variable in class com.oracle.common.internal.net.socketbus.SocketBusDriver.DefaultDependencies
The message bus protocol prefix.
m_src - Variable in class com.oracle.common.internal.net.socketbus.MultiBufferMessageEvent
The MessageConnection associated with the event.
m_src - Variable in class com.oracle.common.internal.net.socketbus.SingleBufferMessageEvent
The MessageConnection associated with the event.
m_thread - Variable in class com.oracle.common.internal.net.ResumableSelectionService
The thread running the service.
m_value - Variable in class com.oracle.common.base.SimpleHolder
The held value.
m_value - Variable in class com.oracle.common.base.VolatileHolder
The held value.
m_writeBatchFirst - Variable in class com.oracle.common.internal.net.socketbus.BufferedSocketBus.BufferedConnection
The next writeBatch to be processed by the SelectionService thread.
m_writeBatchUnflushed - Variable in class com.oracle.common.internal.net.socketbus.BufferedSocketBus.BufferedConnection
The current unflushed WriteBatch, or null.
main(String[]) - Static method in class com.oracle.common.net.exabus.util.MessageBusTest
Run the MessageBusTest application.
makeConnection(UrlEndPoint) - Method in class com.oracle.common.internal.net.socketbus.AbstractSocketBus
Factory pattern method for instantiating Connection objects.
makeConnection(UrlEndPoint) - Method in class com.oracle.common.internal.net.socketbus.SocketMessageBus
Factory pattern method for instantiating Connection objects.
makeExceptionRecord(Level, Throwable, String, Object...) - Method in class com.oracle.common.internal.net.socketbus.AbstractSocketBus
Construct a log record with an exception.
makeKey(Selector) - Method in class com.oracle.common.internal.net.MultiplexedSocketProvider.MultiplexedServerSocketChannel
Register this channel with specified selector.
makeRecord(Level, String, Object...) - Method in class com.oracle.common.internal.net.socketbus.AbstractSocketBus
Construct a log record.
mark(int) - Method in class com.oracle.common.io.BufferSequenceInputStream
mark(int) - Method in interface com.oracle.common.io.InputStreaming
Marks the current read position in the InputStream in order to support the stream to be later "rewound" (using the InputStreaming.reset() method) to the current position.
markKeysReadable(boolean) - Method in class com.oracle.common.internal.net.ssl.SSLSocketChannel
Prepare the registered keys for selection.
markSupported() - Method in class com.oracle.common.io.BufferSequenceInputStream
markSupported() - Method in interface com.oracle.common.io.InputStreaming
Determine if this InputStream supports the InputStreaming.mark(int) and InputStreaming.reset() methods.
MemoryBus - Interface in com.oracle.common.net.exabus
A MemoryBus provides access to regions of remotely accessible memory.
MemorySize - Class in com.oracle.common.io
A MemorySize represents an amount of memory, with byte accuracy.
MemorySize(long) - Constructor for class com.oracle.common.io.MemorySize
Construct a MemorySize give a specified number of bytes.
MemorySize(MemorySize) - Constructor for class com.oracle.common.io.MemorySize
Constructs a MemorySize based on another MemorySize.
MemorySize(String) - Constructor for class com.oracle.common.io.MemorySize
Construct a MemorySize by parsing the specified String.
MemorySize(double, MemorySize.Magnitude) - Constructor for class com.oracle.common.io.MemorySize
Construct a MemorySize given a specified amount of a MemorySize.Magnitude.
MemorySize(int, MemorySize.Magnitude) - Constructor for class com.oracle.common.io.MemorySize
Construct a MemorySize given a specified amount of a MemorySize.Magnitude.
MemorySize(String, MemorySize.Magnitude) - Constructor for class com.oracle.common.io.MemorySize
Construct a MemorySize by parsing the specified String.
MemorySize.Magnitude - Enum in com.oracle.common.io
The MemorySize.Magnitude of the MemorySize.
MessageBus - Interface in com.oracle.common.net.exabus
A MessageBus is a Bus that provides a message-passing communication model.
MessageBusTest - Class in com.oracle.common.net.exabus.util
MessageBusTest is an application for testing the performance characteristics of MessageBus implementations and the network on which they operate.
MessageBusTest() - Constructor for class com.oracle.common.net.exabus.util.MessageBusTest
MessageBusTest.DemultiplexingCollector - Class in com.oracle.common.net.exabus.util
MessageBusTest.DemultiplexingCollector(Bus, MessageBusTest.EventProcessor[]) - Constructor for class com.oracle.common.net.exabus.util.MessageBusTest.DemultiplexingCollector
Construct a DemultiplexingCollector which dispatches to the specified queues.
MessageBusTest.EchoBus - Class in com.oracle.common.net.exabus.util
EchoBus is a simple MessageBus implementation which echos all messages back to itself.
MessageBusTest.EchoBus(EndPoint) - Constructor for class com.oracle.common.net.exabus.util.MessageBusTest.EchoBus
MessageBusTest.EchoBus.EchoDriver - Class in com.oracle.common.net.exabus.util
MessageBusTest.EchoBus.EchoDriver() - Constructor for class com.oracle.common.net.exabus.util.MessageBusTest.EchoBus.EchoDriver
MessageBusTest.EventProcessor - Class in com.oracle.common.net.exabus.util
EventProcessor is the basis for a thread which will handle bus event streams.
MessageBusTest.EventProcessor(MessageBus, Set<EndPoint>, Set<EndPoint>, MessageBusTest.Transmitter[], long, int) - Constructor for class com.oracle.common.net.exabus.util.MessageBusTest.EventProcessor
Construct an EventProcessor.
MessageBusTest.Receipt - Class in com.oracle.common.net.exabus.util
Receipt object used in the test.
MessageBusTest.Receipt(long, Disposable) - Constructor for class com.oracle.common.net.exabus.util.MessageBusTest.Receipt
MessageBusTest.SkipStream - Class in com.oracle.common.net.exabus.util
SkipStream in an OutputStream with the ability to skip a number of bytes.
MessageBusTest.SkipStream(BufferManager, int) - Constructor for class com.oracle.common.net.exabus.util.MessageBusTest.SkipStream
Construct a SkipStream
MessageBusTest.StampedEvent - Class in com.oracle.common.net.exabus.util
StampedEvent adds a nano-resolution timestamp to events at the time of construction.
MessageBusTest.StampedEvent(Event) - Constructor for class com.oracle.common.net.exabus.util.MessageBusTest.StampedEvent
MessageBusTest.Transmitter - Class in com.oracle.common.net.exabus.util
A Transmitter is reponsible for sending messages on a bus to a series of peers.
MessageBusTest.Transmitter(MessageBus, int, Set<EndPoint>, int, boolean) - Constructor for class com.oracle.common.net.exabus.util.MessageBusTest.Transmitter
Construct a Transmitter.
METHOD_OPEN_CLIENT - Static variable in class com.oracle.common.net.SdpSocketProvider
The method for openeing SDP Socket.
METHOD_OPEN_CLIENT_CHANNEL - Static variable in class com.oracle.common.net.SdpSocketProvider
The method for openeing SDP SocketChannels.
METHOD_OPEN_SERVER - Static variable in class com.oracle.common.net.SdpSocketProvider
The method for openeing SDP ServerSocket.
METHOD_OPEN_SERVER_CHANNEL - Static variable in class com.oracle.common.net.SdpSocketProvider
The method for openeing SDP ServerSocketChannels.
MSG_HEADER_SIZE - Static variable in class com.oracle.common.internal.net.socketbus.SocketMessageBus
The size of the message header.
MSG_HEADER_SIZE - Static variable in class com.oracle.common.net.exabus.util.MessageBusTest
The message header size used in the test.
MSG_RECEIPT - Static variable in class com.oracle.common.internal.net.socketbus.BufferedSocketBus
Internal message type for exchanging receipts.
MSG_RECEIPT_SIZE - Static variable in class com.oracle.common.internal.net.socketbus.BufferedSocketBus
Receipt message size
MSG_SIGNAL - Static variable in class com.oracle.common.internal.net.socketbus.BufferedSocketBus
Internal message type indicating that a signal event should be raised.
MultiBufferMessageEvent - Class in com.oracle.common.internal.net.socketbus
MultiBufferMessageEvent is an implementation of a Bus Event for Messages over a series of Buffers where the first and last buffer in the series come from SharedBuffers.
MultiBufferMessageEvent(SocketMessageBus.MessageConnection, BufferManager, ByteBuffer[], int, int, long, SharedBuffer, SharedBuffer) - Constructor for class com.oracle.common.internal.net.socketbus.MultiBufferMessageEvent
Construct a MultiBufferMessageEvent.
MultiBufferSequence - Class in com.oracle.common.io
MultiBufferSequence is a thread-safe BufferSequence implementation based on an array of ByteBuffers.
MultiBufferSequence(BufferManager, ByteBuffer[]) - Constructor for class com.oracle.common.io.MultiBufferSequence
Construct a MultiBufferSequence from an array of ByteBuffers.
MultiBufferSequence(BufferManager, ByteBuffer[], int, int) - Constructor for class com.oracle.common.io.MultiBufferSequence
Construct a MultiBufferSequence from an array of ByteBuffers.
MultiBufferSequence(BufferManager, ByteBuffer[], int, int, long) - Constructor for class com.oracle.common.io.MultiBufferSequence
Construct a MultiBufferSequence from an array of ByteBuffers.
MULTIPLEXED - Static variable in class com.oracle.common.net.SdpSocketProvider
A default Multiplexed SdpSocketProvider.
MULTIPLEXED - Static variable in class com.oracle.common.net.TcpSocketProvider
A default Multiplexed TcpSocketProvider.
MultiplexedSocketProvider - Class in com.oracle.common.internal.net
MultiplexedSocketProvider produces a family of sockets which utilize extended port values to allow for multiplexing of sockets.
MultiplexedSocketProvider(MultiplexedSocketProvider.Dependencies) - Constructor for class com.oracle.common.internal.net.MultiplexedSocketProvider
Construct a MultiplexedSocketProvider.
MultiplexedSocketProvider.DefaultDependencies - Class in com.oracle.common.internal.net
DefaultDependencies provides a default implementation of the Dependencies interface.
MultiplexedSocketProvider.DefaultDependencies() - Constructor for class com.oracle.common.internal.net.MultiplexedSocketProvider.DefaultDependencies
Produce a DefaultDependencies object initialized with all defaults.
MultiplexedSocketProvider.DefaultDependencies(MultiplexedSocketProvider.Dependencies) - Constructor for class com.oracle.common.internal.net.MultiplexedSocketProvider.DefaultDependencies
Produce a copy based on the supplied Dependencies.
MultiplexedSocketProvider.Dependencies - Interface in com.oracle.common.internal.net
Dependencies describes the MultiplexedSocketProvider's dependencies.
MultiplexedSocketProvider.ListenChannel - Class in com.oracle.common.internal.net
Helper wrapper for the real ServerSocketChannel to allow it to be managed by the multiplexed SelectionService.
MultiplexedSocketProvider.ListenChannel(ServerSocketChannel) - Constructor for class com.oracle.common.internal.net.MultiplexedSocketProvider.ListenChannel
MultiplexedSocketProvider.Listener - Class in com.oracle.common.internal.net
Listener is a SelectionHandler which waits on the real ServerSocketChannel for new connections.
MultiplexedSocketProvider.Listener(ServerSocketChannel) - Constructor for class com.oracle.common.internal.net.MultiplexedSocketProvider.Listener
MultiplexedSocketProvider.Listener.Switcher - Class in com.oracle.common.internal.net
Switcher handles the initial protocol header from new connections.
MultiplexedSocketProvider.Listener.Switcher(SocketChannel) - Constructor for class com.oracle.common.internal.net.MultiplexedSocketProvider.Listener.Switcher
MultiplexedSocketProvider.MultiplexedChannel - Interface in com.oracle.common.internal.net
Common interface implemented by all channels serviced by this provider.
MultiplexedSocketProvider.MultiplexedSelector - Class in com.oracle.common.internal.net
MultiplexedSelector is a Selector implementation for use with Sockets produced by this provider.
MultiplexedSocketProvider.MultiplexedSelector(Selector, SelectorProvider) - Constructor for class com.oracle.common.internal.net.MultiplexedSocketProvider.MultiplexedSelector
Construct a MultiplexedSelector.
MultiplexedSocketProvider.MultiplexedSelectorProvider - Class in com.oracle.common.internal.net
MultiplexedSelectorProvider provides a SelectorProvider interface to this SocketProvider.
MultiplexedSocketProvider.MultiplexedSelectorProvider(SelectorProvider) - Constructor for class com.oracle.common.internal.net.MultiplexedSocketProvider.MultiplexedSelectorProvider
MultiplexedSocketProvider.MultiplexedSelectorProvider(SocketProvider) - Constructor for class com.oracle.common.internal.net.MultiplexedSocketProvider.MultiplexedSelectorProvider
MultiplexedSocketProvider.MultiplexedServerSocketChannel - Class in com.oracle.common.internal.net
MultiplexedServerSocketChannel is an implementation of a ServerSocketChannel which shares an underlying ServerSocketChannel with a number of other MultiplexedServerSocketChannels.
MultiplexedSocketProvider.MultiplexedServerSocketChannel(MultiplexedSocketProvider) - Constructor for class com.oracle.common.internal.net.MultiplexedSocketProvider.MultiplexedServerSocketChannel
MultiplexedSocketProvider.MultiplexedSocket - Class in com.oracle.common.internal.net
MultiplexedSocket is an implementation of a Socket that works with multiplexed socket addresses represented by InetSocketAddress32.
MultiplexedSocketProvider.MultiplexedSocket(Socket, MultiplexedSocketProvider.MultiplexedSocketChannel) - Constructor for class com.oracle.common.internal.net.MultiplexedSocketProvider.MultiplexedSocket
Construct a MultiplexedSocket
MultiplexedSocketProvider.MultiplexedSocketChannel - Class in com.oracle.common.internal.net
MultiplexedSocketChannel
MultiplexedSocketProvider.MultiplexedSocketChannel(SocketChannel, SocketAddress, ByteBuffer) - Constructor for class com.oracle.common.internal.net.MultiplexedSocketProvider.MultiplexedSocketChannel
Create a MultiplexedSocketChannel for an incoming SocketChannel
MultiplexedSocketProvider.MultiplexedSocketChannel.SocketSelectionKey - Class in com.oracle.common.internal.net
SelectionKey which is aware of the state of the channel's inbound buffer.
MultiplexedSocketProvider.MultiplexedSocketChannel.SocketSelectionKey(WrapperSelector, SelectionKey, Object) - Constructor for class com.oracle.common.internal.net.MultiplexedSocketProvider.MultiplexedSocketChannel.SocketSelectionKey
MultiplexedSocketProvider.WellKnownSubPorts - Enum in com.oracle.common.internal.net
WellKnownSubports are sub-ports that are reserved for use by components.
MultiProviderSelectionService - Class in com.oracle.common.internal.net
The MultiProviderSelectionService supports registration of channels from multiple SelectorProviders.
MultiProviderSelectionService(Factory<? extends SelectionService>) - Constructor for class com.oracle.common.internal.net.MultiProviderSelectionService
Construct a MultiProviderSelectionService.
NAME - Static variable in class com.oracle.common.internal.security.SecurityProvider
The name of this provider.
NaturalAssociator - Class in com.oracle.common.base
NaturalAssociator provides an Associator implementation for objects that implement the Associated interface.
NaturalAssociator() - Constructor for class com.oracle.common.base.NaturalAssociator
NaturalHasher<V> - Class in com.oracle.common.base
NaturalHasher provides a Hasher implementation based upon an object's internal hashCode and equals implementation.
NaturalHasher() - Constructor for class com.oracle.common.base.NaturalHasher
newThread(Runnable) - Method in class com.oracle.common.util.DaemonThreadFactory
next() - Method in class com.oracle.common.collections.AbstractStableIterator
next() - Method in class com.oracle.common.collections.ChainedIterator
next() - Method in class com.oracle.common.collections.ConverterCollections.ConverterEntrySet.ConverterIterator
next() - Method in class com.oracle.common.collections.ConverterCollections.ConverterEnumerator
Returns the next element of this Iterator.
next() - Method in class com.oracle.common.collections.ConverterCollections.ConverterListIterator
next() - Method in enum com.oracle.common.io.Bandwidth.Magnitude
Obtain the next order of Bandwidth.Magnitude (above this one).
next() - Method in enum com.oracle.common.io.MemorySize.Magnitude
Obtain the next order of MemorySize.Magnitude (above this one).
next() - Method in enum com.oracle.common.util.Duration.Magnitude
Obtain the next order of Duration.Magnitude (above this one).
nextElement() - Method in class com.oracle.common.collections.AbstractStableIterator
nextElement() - Method in class com.oracle.common.collections.ConverterCollections.ConverterEnumerator
Get the next element in the enumeration.
nextIndex() - Method in class com.oracle.common.collections.ConverterCollections.ConverterListIterator
onAbandon() - Method in class com.oracle.common.internal.net.socketbus.AbstractSocketBus.HandshakeHandler
Handle extra data supplied to an abandoned connection.
onAccept() - Method in class com.oracle.common.internal.net.socketbus.AbstractSocketBus.HandshakeHandler
Evaluate the "accept" byte.
onClose() - Method in class com.oracle.common.internal.net.socketbus.AbstractSocketBus
Called as part of the closing the bus.
onControlMessage(Event, Event) - Method in class com.oracle.common.internal.net.socketbus.SocketMessageBus.MessageConnection.ReadBatch
Handle a control event.
onEndOfStream() - Method in class com.oracle.common.internal.net.ssl.SSLSocketChannel
Called to indicate that the inbound stream will emit no further data.
onEvent(Event) - Method in class com.oracle.common.net.exabus.util.MessageBusTest.EventProcessor
Process an event
onException(Throwable) - Method in class com.oracle.common.internal.net.MultiplexedSocketProvider.Listener
onException(Throwable) - Method in class com.oracle.common.internal.net.socketbus.AbstractSocketBus.AcceptHandler
Called in the event that SafeSelectionHandler.onReadySafe(int) resulted in an exception.
onException(Throwable) - Method in class com.oracle.common.internal.net.socketbus.AbstractSocketBus.Connection
Called in the event that AbstractSocketBus.Connection.onReadySafe(int) resulted in an exception.
onException(Throwable) - Method in class com.oracle.common.internal.net.socketbus.AbstractSocketBus.HandshakeHandler
Called in the event that SafeSelectionHandler.onReadySafe(int) resulted in an exception.
onException(Throwable) - Method in class com.oracle.common.net.SafeSelectionHandler
Called in the event that SafeSelectionHandler.onReadySafe(int) resulted in an exception.
onIdentify() - Method in class com.oracle.common.internal.net.socketbus.AbstractSocketBus.HandshakeHandler
Evaluate the peer's protocol identification.
onIntroduce() - Method in class com.oracle.common.internal.net.socketbus.AbstractSocketBus.HandshakeHandler
Evaluate the introduction.
onLastEvent(Event) - Method in class com.oracle.common.internal.net.socketbus.SocketMessageBus.MessageConnection.ReadBatch
onLastEvent is called when the last event is is ready to be emitted (see onReady).
onMessage(Event) - Method in class com.oracle.common.net.exabus.util.MessageBusTest.EventProcessor
Handle an inbound message.
onMessageDispose(BufferSequence) - Method in class com.oracle.common.internal.net.socketbus.SocketMessageBus.MessageConnection
Called as part of disposing a MessageEvent.
onOpen() - Method in class com.oracle.common.internal.net.socketbus.AbstractSocketBus
Called once a bus has been opened.
onOpen() - Method in class com.oracle.common.internal.net.socketbus.BufferedSocketBus
Called once a bus has been opened.
onReady(int) - Method in class com.oracle.common.internal.net.socketbus.AbstractSocketBus.Connection
Called when the channel has been selected.
onReady() - Method in class com.oracle.common.internal.net.socketbus.SocketMessageBus.MessageConnection.ReadBatch
Process the next message(s) from the already read data.
onReady(int) - Method in class com.oracle.common.net.SafeSelectionHandler
Called when the channel has been selected.
onReady(int) - Method in interface com.oracle.common.net.SelectionService.Handler
Called when the channel has been selected.
onReadySafe(int) - Method in class com.oracle.common.internal.net.MultiplexedSocketProvider.Listener
onReadySafe(int) - Method in class com.oracle.common.internal.net.MultiplexedSocketProvider.Listener.Switcher
onReadySafe(int) - Method in class com.oracle.common.internal.net.socketbus.AbstractSocketBus.AcceptHandler
Called when the channel has been selected.
onReadySafe(int) - Method in class com.oracle.common.internal.net.socketbus.AbstractSocketBus.Connection
Called when the channel has been selected.
onReadySafe(int) - Method in class com.oracle.common.internal.net.socketbus.AbstractSocketBus.HandshakeHandler
Called when the channel has been selected.
onReadySafe(int) - Method in class com.oracle.common.internal.net.socketbus.BufferedSocketBus.BufferedConnection
Called when the channel has been selected.
onReadySafe(int) - Method in class com.oracle.common.net.SafeSelectionHandler
Called when the channel has been selected.
onReleased() - Method in class com.oracle.common.internal.net.socketbus.AbstractSocketBus.Connection
Called once a connection has been released.
onReleased() - Method in class com.oracle.common.internal.net.socketbus.BufferedSocketBus.BufferedConnection
Called once a connection has been released.
onReleased() - Method in class com.oracle.common.internal.net.socketbus.SocketMessageBus.MessageConnection
Called once a connection has been released.
onSocketConnectException(IOException) - Method in class com.oracle.common.internal.net.socketbus.AbstractSocketBus.Connection
Called when a socket connect fails do to a SocketException.
OP_ACCEPT - Static variable in interface com.oracle.common.net.SelectionService.Handler
Operation-set bit for socket-accept operations.
OP_CONNECT - Static variable in interface com.oracle.common.net.SelectionService.Handler
Operation-set bit for socket-connect operations.
OP_EAGER - Static variable in interface com.oracle.common.net.SelectionService.Handler
Operation-set bit indicating that it is likely that at least one of the other bits in the set are likely to be satisfied soon.
OP_READ - Static variable in interface com.oracle.common.net.SelectionService.Handler
Operation-set bit for read operations.
OP_WRITE - Static variable in interface com.oracle.common.net.SelectionService.Handler
Operation-set bit for write operations.
open(InetSocketAddress32, MultiplexedSocketProvider.MultiplexedServerSocketChannel) - Method in class com.oracle.common.internal.net.MultiplexedSocketProvider
Start listening for connections on the specified address.
open() - Method in class com.oracle.common.internal.net.socketbus.AbstractSocketBus
Open the bus, allowing it to begin exchanging data.
open() - Static method in class com.oracle.common.internal.net.WrapperSelector
Unsupported.
open() - Static method in class com.oracle.common.internal.net.WrapperServerSocketChannel
Unsupported.
open() - Static method in class com.oracle.common.internal.net.WrapperSocketChannel
Unsupported.
open() - Method in interface com.oracle.common.net.exabus.Bus
Open the bus, allowing it to begin exchanging data.
open() - Method in class com.oracle.common.net.exabus.util.MessageBusTest.EchoBus
openDatagramChannel() - Method in class com.oracle.common.internal.net.MultiplexedSocketProvider.MultiplexedSelectorProvider
openDatagramChannel() - Method in class com.oracle.common.internal.net.ssl.SSLSelectorProvider
openPipe() - Method in class com.oracle.common.internal.net.MultiplexedSocketProvider.MultiplexedSelectorProvider
openPipe() - Method in class com.oracle.common.internal.net.ssl.SSLSelectorProvider
openSelector() - Method in class com.oracle.common.internal.net.MultiplexedSocketProvider.MultiplexedSelectorProvider
openSelector() - Method in class com.oracle.common.internal.net.ssl.SSLSelectorProvider
openServerSocket() - Method in class com.oracle.common.internal.net.DemultiplexedSocketProvider
Create an ServerSocket.
openServerSocket() - Method in class com.oracle.common.internal.net.MultiplexedSocketProvider
Create an ServerSocket.
openServerSocket() - Method in class com.oracle.common.net.SdpSocketProvider
openServerSocket() - Method in interface com.oracle.common.net.SocketProvider
Create an ServerSocket.
openServerSocket() - Method in class com.oracle.common.net.SSLSocketProvider
Create an ServerSocket.
openServerSocket() - Method in class com.oracle.common.net.TcpSocketProvider
openServerSocketChannel() - Method in class com.oracle.common.internal.net.DemultiplexedSocketProvider
Create an ServerSocketChannel.
openServerSocketChannel() - Method in class com.oracle.common.internal.net.MultiplexedSocketProvider.MultiplexedSelectorProvider
openServerSocketChannel() - Method in class com.oracle.common.internal.net.MultiplexedSocketProvider
Create an ServerSocketChannel.
openServerSocketChannel() - Method in class com.oracle.common.internal.net.ssl.SSLSelectorProvider
openServerSocketChannel() - Method in class com.oracle.common.net.SdpSocketProvider
openServerSocketChannel() - Method in interface com.oracle.common.net.SocketProvider
Create an ServerSocketChannel.
openServerSocketChannel() - Method in class com.oracle.common.net.SSLSocketProvider
Create an ServerSocketChannel.
openServerSocketChannel() - Method in class com.oracle.common.net.TcpSocketProvider
openSocket() - Method in class com.oracle.common.internal.net.DemultiplexedSocketProvider
Create a Socket.
openSocket() - Method in class com.oracle.common.internal.net.MultiplexedSocketProvider
Create a Socket.
openSocket() - Method in class com.oracle.common.net.SdpSocketProvider
openSocket() - Method in interface com.oracle.common.net.SocketProvider
Create a Socket.
openSocket() - Method in class com.oracle.common.net.SSLSocketProvider
Create a Socket.
openSocket() - Method in class com.oracle.common.net.TcpSocketProvider
openSocketChannel() - Method in class com.oracle.common.internal.net.DemultiplexedSocketProvider
Create a SocketChanel.
openSocketChannel() - Method in class com.oracle.common.internal.net.MultiplexedSocketProvider.MultiplexedSelectorProvider
openSocketChannel() - Method in class com.oracle.common.internal.net.MultiplexedSocketProvider
Create a SocketChanel.
openSocketChannel() - Method in class com.oracle.common.internal.net.ssl.SSLSelectorProvider
openSocketChannel() - Method in class com.oracle.common.net.SdpSocketProvider
openSocketChannel() - Method in interface com.oracle.common.net.SocketProvider
Create a SocketChanel.
openSocketChannel() - Method in class com.oracle.common.net.SSLSocketProvider
Create a SocketChanel.
openSocketChannel() - Method in class com.oracle.common.net.TcpSocketProvider
openSSLEngine() - Method in class com.oracle.common.internal.net.ssl.SSLSocketChannel
Create and return a new SSLEngine.
optimisticFlush() - Method in class com.oracle.common.internal.net.socketbus.AbstractSocketBus.Connection
Perform an optimistic flush, i.e.
parseArgs(String[]) - Static method in class com.oracle.common.net.exabus.util.MessageBusTest
Parse command line argments into key value pairs.
parseDependencies(String, Properties) - Static method in class com.oracle.common.net.exabus.util.MessageBusTest
Parse the supplied properties object into a SimpleDepot.Dependencies object.
parseEndPoints(Depot, String) - Static method in class com.oracle.common.net.exabus.util.MessageBusTest
Parse a string containing a space seperated list of EndPoint names.
PeerX509TrustManager - Class in com.oracle.common.internal.security
X509TrustManager implementation that requires the peer's certificate to be present in a configured key store.
PeerX509TrustManager(KeyStore) - Constructor for class com.oracle.common.internal.security.PeerX509TrustManager
Create a new PeerTrustManager that requires the peer's certificate to be present in the given key store.
PeerX509TrustManagerFactory - Class in com.oracle.common.internal.security
A factory for PeerX509TrustManager instances.
PeerX509TrustManagerFactory() - Constructor for class com.oracle.common.internal.security.PeerX509TrustManagerFactory
potentialStreamClosedException(NullPointerException) - Method in class com.oracle.common.io.BufferSequenceInputStream
Check if an NPE is caused by the stream being closed.
Predicate<T> - Interface in com.oracle.common.base
Predicate represents a boolean test of an object.
previous() - Method in class com.oracle.common.collections.ConverterCollections.ConverterListIterator
previous() - Method in enum com.oracle.common.io.Bandwidth.Magnitude
Obtain the previous order of Bandwidth.Magnitude (above this one).
previous() - Method in enum com.oracle.common.io.MemorySize.Magnitude
Obtain the previous order of MemorySize.Magnitude (above this one).
previous() - Method in enum com.oracle.common.util.Duration.Magnitude
Obtain the previous order of Duration.Magnitude (above this one).
previousIndex() - Method in class com.oracle.common.collections.ConverterCollections.ConverterListIterator
printHelp(PrintStream) - Static method in class com.oracle.common.net.exabus.util.MessageBusTest
process() - Method in class com.oracle.common.internal.net.RunnableSelectionService
Perform service processing.
processPendingKeys() - Method in class com.oracle.common.internal.net.MultiplexedSocketProvider.MultiplexedSelector
Update Selector ready set with ready keys added to the pending set from the underlying Selector.
processReads(boolean) - Method in class com.oracle.common.internal.net.socketbus.BufferedSocketBus.BufferedConnection
Handle any incoming data.
processReads(boolean) - Method in class com.oracle.common.internal.net.socketbus.SocketMessageBus.MessageConnection
Handle any incoming data.
processRegistrations() - Method in class com.oracle.common.internal.net.RunnableSelectionService
Process any pending registrations.
processRunnables() - Method in class com.oracle.common.internal.net.RunnableSelectionService
Execute Runnable in the SelectionService thread
processWrites(boolean) - Method in class com.oracle.common.internal.net.socketbus.BufferedSocketBus.BufferedConnection
Write the contents of the WriteQueue to the channel.
PROTOCOL_DELIMITER - Static variable in class com.oracle.common.net.exabus.util.UrlEndPoint
The protocol delimiter
PROTOCOL_ID - Static variable in class com.oracle.common.internal.net.MultiplexedSocketProvider
The protocol identifier.
put(TK, TV) - Method in class com.oracle.common.collections.ConverterCollections.ConverterMap
putAll(Map<? extends TK, ? extends TV>) - Method in class com.oracle.common.collections.ConverterCollections.ConverterMap
read(ByteBuffer) - Method in class com.oracle.common.internal.net.MultiplexedSocketProvider.MultiplexedSocketChannel
read(ByteBuffer[], int, int) - Method in class com.oracle.common.internal.net.MultiplexedSocketProvider.MultiplexedSocketChannel
read(ByteBuffer[], int, int) - Method in class com.oracle.common.internal.net.socketbus.AbstractSocketBus.Connection
read(ByteBuffer[]) - Method in class com.oracle.common.internal.net.socketbus.AbstractSocketBus.Connection
read(ByteBuffer) - Method in class com.oracle.common.internal.net.socketbus.AbstractSocketBus.Connection
read() - Method in class com.oracle.common.internal.net.socketbus.SocketMessageBus.MessageConnection.ReadBatch
Process reads.
read(ByteBuffer) - Method in class com.oracle.common.internal.net.ssl.SSLSocketChannel
read(ByteBuffer[], int, int) - Method in class com.oracle.common.internal.net.ssl.SSLSocketChannel
read(ByteBuffer) - Method in class com.oracle.common.internal.net.WrapperSocketChannel
read(ByteBuffer[], int, int) - Method in class com.oracle.common.internal.net.WrapperSocketChannel
read() - Method in class com.oracle.common.io.BufferSequenceInputStream
read(byte[], int, int) - Method in class com.oracle.common.io.BufferSequenceInputStream
read() - Method in interface com.oracle.common.io.InputStreaming
Read the next byte of data from the InputStream.
read(byte[]) - Method in interface com.oracle.common.io.InputStreaming
Read some number of bytes from the input stream and store them into the passed array ab.
read(byte[], int, int) - Method in interface com.oracle.common.io.InputStreaming
Read up to cb bytes from the input stream and store them into the passed array ab starting at offset of.
read(EndPoint, long, BufferSequence, Object) - Method in interface com.oracle.common.net.exabus.MemoryBus
Request a read from the peer's memory into the supplied BufferSequence.
READ_AHEAD_SIZE - Static variable in class com.oracle.common.internal.net.socketbus.SocketMessageBus
The amount to attempt to read ahead by when reading from the socket.
readBoolean() - Method in class com.oracle.common.io.BufferSequenceInputStream
readByte() - Method in class com.oracle.common.io.BufferSequenceInputStream
readChar() - Method in class com.oracle.common.io.BufferSequenceInputStream
readDouble() - Method in class com.oracle.common.io.BufferSequenceInputStream
readEncrypted() - Method in class com.oracle.common.internal.net.ssl.SSLSocketChannel
Attempt to read from the network into the inbound encrypted buffer.
readFloat() - Method in class com.oracle.common.io.BufferSequenceInputStream
readFully(byte[]) - Method in class com.oracle.common.io.BufferSequenceInputStream
readFully(byte[], int, int) - Method in class com.oracle.common.io.BufferSequenceInputStream
readHeader(ByteBuffer[], int, int) - Method in class com.oracle.common.internal.net.MultiplexedSocketProvider.MultiplexedSocketChannel
Transfer as many bytes as possible from the inbound header buffer to the supplied buffer
readInt() - Method in class com.oracle.common.io.BufferSequenceInputStream
readInternal(ByteBuffer[], int, int) - Method in class com.oracle.common.internal.net.ssl.SSLSocketChannel
Attempt to read into the supplied buffers as per the general contract of ScatteringChannel.read.
readLine() - Method in class com.oracle.common.io.BufferSequenceInputStream
Deprecated. 
readLong() - Method in class com.oracle.common.io.BufferSequenceInputStream
readShort() - Method in class com.oracle.common.io.BufferSequenceInputStream
readUnsignedByte() - Method in class com.oracle.common.io.BufferSequenceInputStream
readUnsignedShort() - Method in class com.oracle.common.io.BufferSequenceInputStream
readUTF() - Method in class com.oracle.common.io.BufferSequenceInputStream
readyOps() - Method in class com.oracle.common.internal.net.MultiplexedSocketProvider.ListenChannel
readyOps() - Method in interface com.oracle.common.internal.net.MultiplexedSocketProvider.MultiplexedChannel
Return the operations that can be satisfied by already buffered data.
readyOps() - Method in class com.oracle.common.internal.net.MultiplexedSocketProvider.MultiplexedServerSocketChannel
readyOps() - Method in class com.oracle.common.internal.net.MultiplexedSocketProvider.MultiplexedSocketChannel
readyOps() - Method in class com.oracle.common.internal.net.MultiplexedSocketProvider.MultiplexedSocketChannel.SocketSelectionKey
readyOps() - Method in class com.oracle.common.internal.net.ssl.SSLSocketChannel.SSLSelectionKey
readyOps() - Method in class com.oracle.common.internal.net.WrapperSelector.WrapperSelectionKey
register(SelectableChannel, SelectionService.Handler) - Method in class com.oracle.common.internal.net.HashSelectionService
Register a channel with the service.
register(int, MultiplexedSocketProvider.MultiplexedServerSocketChannel) - Method in class com.oracle.common.internal.net.MultiplexedSocketProvider.Listener
Register an acceptor queue with a sub-port on this listener
register(AbstractSelectableChannel, int, Object) - Method in class com.oracle.common.internal.net.MultiplexedSocketProvider.MultiplexedSelector
register(SelectableChannel, SelectionService.Handler) - Method in class com.oracle.common.internal.net.MultiProviderSelectionService
Register a channel with the service.
register(SelectableChannel, SelectionService.Handler) - Method in class com.oracle.common.internal.net.ResumableSelectionService
Register a channel with the service.
register(SelectableChannel, SelectionService.Handler) - Method in class com.oracle.common.internal.net.RunnableSelectionService
Register a channel with the service.
register(AbstractSelectableChannel, int, Object) - Method in class com.oracle.common.internal.net.WrapperSelector
register(SelectableChannel, SelectionService.Handler) - Method in interface com.oracle.common.net.SelectionService
Register a channel with the service.
registerDriver(Driver) - Method in class com.oracle.common.net.exabus.util.SimpleDepot
Register a Driver with the Depot.
registerInternal(WrapperSelector, int, Object) - Method in class com.oracle.common.internal.net.MultiplexedSocketProvider.MultiplexedSocketChannel
registerInternal(WrapperSelector, int, Object) - Method in class com.oracle.common.internal.net.ssl.SSLSocketChannel
Register with the specified selector.
registerInternal(WrapperSelector, int, Object) - Method in interface com.oracle.common.internal.net.WrapperSelector.WrapperSelectableChannel
Register with the specified selector.
registerInternal(WrapperSelector, int, Object) - Method in class com.oracle.common.internal.net.WrapperServerSocketChannel
Register with the specified selector.
registerInternal(WrapperSelector, int, Object) - Method in class com.oracle.common.internal.net.WrapperSocketChannel
Register with the specified selector.
release(ByteBuffer) - Method in class com.oracle.common.internal.io.AbstractBufferManager
Release a formerly acquired ByteBuffer.
release(ByteBuffer) - Method in class com.oracle.common.internal.io.CheckedBufferManager
Release a formerly acquired ByteBuffer.
release(ByteBuffer) - Method in interface com.oracle.common.internal.io.SegmentedBufferManager.BufferAllocator
Release a ByteBuffer back to the allocator.
release(ByteBuffer) - Method in class com.oracle.common.internal.io.SegmentedBufferManager
release(ByteBuffer) - Method in class com.oracle.common.internal.io.WrapperBufferManager
release(EndPoint) - Method in class com.oracle.common.internal.net.socketbus.AbstractSocketBus
Release an EndPoint from this bus.
release(ByteBuffer) - Method in interface com.oracle.common.io.BufferManager
Release a formerly acquired ByteBuffer.
release(EndPoint) - Method in interface com.oracle.common.net.exabus.Bus
Release an EndPoint from this bus.
release(EndPoint) - Method in class com.oracle.common.net.exabus.util.MessageBusTest.EchoBus
remove() - Method in class com.oracle.common.collections.AbstractStableIterator
remove(Object) - Method in class com.oracle.common.collections.AbstractStableIterator
Remove the specified item.
remove(Object) - Method in class com.oracle.common.collections.ChainedIterator
Remove the specified item.
remove(Object) - Method in class com.oracle.common.collections.ConverterCollections.ConverterCollection
remove() - Method in class com.oracle.common.collections.ConverterCollections.ConverterEntrySet.ConverterIterator
remove(Object) - Method in class com.oracle.common.collections.ConverterCollections.ConverterEntrySet
remove() - Method in class com.oracle.common.collections.ConverterCollections.ConverterEnumerator
Remove the last-returned element that was returned by the Iterator.
remove(int) - Method in class com.oracle.common.collections.ConverterCollections.ConverterList
remove() - Method in class com.oracle.common.collections.ConverterCollections.ConverterListIterator
remove(Object) - Method in class com.oracle.common.collections.ConverterCollections.ConverterMap
remove(Object) - Method in class com.oracle.common.collections.UnmodifiableSetCollection
removeAll(Collection<?>) - Method in class com.oracle.common.collections.ConverterCollections.ConverterCollection
removeAll(Collection<?>) - Method in class com.oracle.common.collections.ConverterCollections.ConverterEntrySet
removeAll(Collection<?>) - Method in class com.oracle.common.collections.UnmodifiableSetCollection
removeFlushable(AbstractSocketBus.Connection) - Method in class com.oracle.common.internal.net.socketbus.AbstractSocketBus
Remove a Connection from the flushable set.
removeReceipt() - Method in class com.oracle.common.internal.net.socketbus.AbstractSocketBus.Connection
Remove the next receipt from the queue and return it as a RECEIPT event.
reset() - Method in class com.oracle.common.internal.net.socketbus.BufferedSocketBus.BufferedConnection.WriteBatch
Reset the batch, recycling any recyclable data
reset() - Method in class com.oracle.common.io.BufferSequenceInputStream
reset() - Method in interface com.oracle.common.io.InputStreaming
Rewind this stream to the position at the time the InputStreaming.mark(int) method was last called on this InputStream.
resolveAddress(String) - Method in class com.oracle.common.internal.net.MultiplexedSocketProvider
Resolve the specified address.
resolveAddress(String) - Method in class com.oracle.common.net.InetSocketProvider
Resolve the specified address.
resolveAddress(String) - Method in class com.oracle.common.net.SdpSocketProvider
resolveAddress(String) - Method in interface com.oracle.common.net.SocketProvider
Resolve the specified address.
resolveAddress(String) - Method in class com.oracle.common.net.SSLSocketProvider
Resolve the specified address.
resolveBindPoint(String, ServerSocket) - Method in class com.oracle.common.internal.net.socketbus.SocketBusDriver
Resolve the EndPoint which the specified service socket is bound to.
resolveEndPoint(String) - Method in class com.oracle.common.internal.net.socketbus.SocketBusDriver
Resolve the EndPoint for the specified canonical name.
resolveEndPoint(String) - Method in interface com.oracle.common.net.exabus.Depot
Resolve the EndPoint for the specified canonical name.
resolveEndPoint(String) - Method in interface com.oracle.common.net.exabus.spi.Driver
Resolve the EndPoint for the specified canonical name.
resolveEndPoint(String) - Method in class com.oracle.common.net.exabus.util.MessageBusTest.EchoBus.EchoDriver
resolveEndPoint(String) - Method in class com.oracle.common.net.exabus.util.SimpleDepot
Resolve the EndPoint for the specified canonical name.
resolveSocketEndPoint(String) - Method in class com.oracle.common.internal.net.socketbus.SocketBusDriver
Resolve the supplied canonical name into a SocketEndPoint.
ResumableSelectionService - Class in com.oracle.common.internal.net
The ResumableSelectionService will automatically allocate and release threads to handle the SelectionService.
ResumableSelectionService(ThreadFactory) - Constructor for class com.oracle.common.internal.net.ResumableSelectionService
Construct a RestartableSelectionService.
ResumableSelectionService.ServiceFactory - Class in com.oracle.common.internal.net
Factory for producing ResumableSelectionServices.
ResumableSelectionService.ServiceFactory(ThreadFactory, long) - Constructor for class com.oracle.common.internal.net.ResumableSelectionService.ServiceFactory
Construct a Service Factory which will produce ResumableSelectionServices with a given configuration.
retainAll(Collection<?>) - Method in class com.oracle.common.collections.ConverterCollections.ConverterCollection
retainAll(Collection<?>) - Method in class com.oracle.common.collections.ConverterCollections.ConverterEntrySet
retainAll(Collection<?>) - Method in class com.oracle.common.collections.UnmodifiableSetCollection
returnReceipts(int) - Method in class com.oracle.common.internal.net.socketbus.AbstractSocketBus.Connection
Return a series of receipts as events.
run() - Method in class com.oracle.common.internal.net.MultiplexedSocketProvider.Listener.Switcher
Run the accept timeout task
run() - Method in class com.oracle.common.internal.net.ResumableSelectionService
run() - Method in class com.oracle.common.internal.net.RunnableSelectionService
run() - Method in class com.oracle.common.net.exabus.util.MessageBusTest.EventProcessor
run() - Method in class com.oracle.common.net.exabus.util.MessageBusTest.Transmitter
RunnableSelectionService - Class in com.oracle.common.internal.net
RunnableSelectionService is a single-threaded SelectionService implementation.
RunnableSelectionService() - Constructor for class com.oracle.common.internal.net.RunnableSelectionService
runProtocol() - Method in class com.oracle.common.internal.net.ssl.SSLSocketChannel
Run the next stage of the SSL handshake protocol if any.
s_aBuffEmpty - Static variable in class com.oracle.common.internal.net.ssl.SSLSocketChannel
A shared empty byte buffer.
s_cbMsgMax - Static variable in class com.oracle.common.net.exabus.util.MessageBusTest
The maximum message size
s_cbMsgMin - Static variable in class com.oracle.common.net.exabus.util.MessageBusTest
The minimum message size.
s_cErrors - Static variable in class com.oracle.common.net.exabus.util.MessageBusTest
Count of the number of errors encountered during the test.
s_cMillisIdentifyDefault - Static variable in class com.oracle.common.internal.net.MultiplexedSocketProvider.DefaultDependencies
The default accept timeout.
s_fFlowControl - Static variable in class com.oracle.common.net.exabus.util.MessageBusTest
Switch govering if flow control events should be respected.
s_fReceipts - Static variable in class com.oracle.common.net.exabus.util.MessageBusTest
True if receipts should be used.
s_fVerbose - Static variable in class com.oracle.common.net.exabus.util.MessageBusTest
Flag for verbose logging.
s_manager - Static variable in class com.oracle.common.net.exabus.util.MessageBusTest
The BufferManager to use in the test.
s_nBacklogDefault - Static variable in class com.oracle.common.internal.net.MultiplexedSocketProvider.DefaultDependencies
The default backlog value.
s_nLatencyFreq - Static variable in class com.oracle.common.net.exabus.util.MessageBusTest
The frequency (in messages), at which latency will be sampled.
s_rand - Static variable in class com.oracle.common.net.exabus.util.MessageBusTest
Shared randomizer.
safeAdjust(boolean) - Method in class com.oracle.common.internal.net.socketbus.SharedBuffer
Perform a safe increment or decrement of the reference counter.
SafeSelectionHandler<C extends java.nio.channels.SelectableChannel> - Class in com.oracle.common.net
SafeChannelHandler is an abstract SelectorService.Handler implementation with additional error handling support.
SafeSelectionHandler(C) - Constructor for class com.oracle.common.net.SafeSelectionHandler
Construct a SafeChannel for the specified channel.
scheduleDisconnect(Throwable) - Method in class com.oracle.common.internal.net.socketbus.AbstractSocketBus.Connection
Schedule a disconnect.
scheduleShutdown(Throwable, boolean) - Method in class com.oracle.common.internal.net.socketbus.AbstractSocketBus.Connection
Register a Runnable with the SelectionService to perform the disconnect logic and optionally release it.
scheduleTask(Runnable, long) - Static method in class com.oracle.common.internal.net.RunnableSelectionService
Schedule a task for future execution.
scheduleTask(Runnable, long) - Method in class com.oracle.common.internal.net.socketbus.AbstractSocketBus
Schedule a task for future execution.
SDP_MEMORY_BUS_PROTOCOL - Static variable in class com.oracle.common.net.exabus.util.SimpleDepot
Protocol name for the SDP memory bus.
SDP_MESSAGE_BUS_PROTOCOL - Static variable in class com.oracle.common.net.exabus.util.SimpleDepot
Protocol name for the SDP message bus.
SDP_SECURE_MEMORY_BUS_PROTOCOL - Static variable in class com.oracle.common.net.exabus.util.SimpleDepot
Protocol name for the SSL protected SDP memory bus.
SDP_SECURE_MESSAGE_BUS_PROTOCOL - Static variable in class com.oracle.common.net.exabus.util.SimpleDepot
Protocol name for the SSL protected SDP message bus.
SDP_SECURE_SOCKET_BUS - Static variable in class com.oracle.common.net.exabus.util.SimpleDepot
Driver name for Secure SDP Socket Bus.
SDP_SOCKET_BUS - Static variable in class com.oracle.common.net.exabus.util.SimpleDepot
Driver name for SDP Socket Bus.
SdpSocketProvider - Class in com.oracle.common.net
SdpSocketProvider produces SDP based sockets.
SdpSocketProvider() - Constructor for class com.oracle.common.net.SdpSocketProvider
SecurityProvider - Class in com.oracle.common.internal.security
Security Provider implementation that returns custom security services.
SegmentedBufferManager - Class in com.oracle.common.internal.io
/** The SegmentedBufferManager provides pooling of ByteBuffers.
SegmentedBufferManager(SegmentedBufferManager.BufferAllocator, long) - Constructor for class com.oracle.common.internal.io.SegmentedBufferManager
Default constructor.
SegmentedBufferManager(String, SegmentedBufferManager.BufferAllocator, int, int, int) - Constructor for class com.oracle.common.internal.io.SegmentedBufferManager
Create a SegmentedBufferManager.
SegmentedBufferManager.BufferAllocator - Interface in com.oracle.common.internal.io
A BufferAllocator is provides a mean for allocating ByteBuffers.
select(long) - Method in class com.oracle.common.internal.net.MultiplexedSocketProvider.MultiplexedSelector
select() - Method in class com.oracle.common.internal.net.MultiplexedSocketProvider.MultiplexedSelector
select() - Method in class com.oracle.common.internal.net.WrapperSelector
select(long) - Method in class com.oracle.common.internal.net.WrapperSelector
selectedKeys() - Method in class com.oracle.common.internal.net.MultiplexedSocketProvider.MultiplexedSelector
selectedKeys() - Method in class com.oracle.common.internal.net.WrapperSelector
SelectionService - Interface in com.oracle.common.net
The SelectionService interface describes a service for selecting on channels.
SelectionService.Handler - Interface in com.oracle.common.net
Handler provides a pluggable callback which is invoked when the registered channel needs servicing.
SelectionServices - Class in com.oracle.common.net
The SelectionServices class provides helper methods related to SelectionServices.
SelectionServices() - Constructor for class com.oracle.common.net.SelectionServices
selectNow() - Method in class com.oracle.common.internal.net.MultiplexedSocketProvider.MultiplexedSelector
selectNow() - Method in class com.oracle.common.internal.net.WrapperSelector
selector() - Method in class com.oracle.common.internal.net.WrapperSelector.WrapperSelectionKey
send(BufferSequence, Object) - Method in class com.oracle.common.internal.net.socketbus.SocketMessageBus.MessageConnection
Schedule a send of the specified BufferSequence.
send(EndPoint, BufferSequence, Object) - Method in class com.oracle.common.internal.net.socketbus.SocketMessageBus
Send a message to an EndPoint.
send(EndPoint, BufferSequence, Object) - Method in interface com.oracle.common.net.exabus.MessageBus
Send a message to an EndPoint.
send(EndPoint, BufferSequence, Object) - Method in class com.oracle.common.net.exabus.util.MessageBusTest.EchoBus
sendUrgentData(int) - Method in class com.oracle.common.internal.net.WrapperSocket
SERVER_CHANNEL_CLOSED_MARKER - Static variable in class com.oracle.common.internal.net.MultiplexedSocketProvider.MultiplexedServerSocketChannel
Special SocketChannel that is added to the client channel queue to indicate that this ServerSocketChannel is closed.
set(V) - Method in interface com.oracle.common.base.Holder
Specify the held object.
set(V) - Method in class com.oracle.common.base.SimpleHolder
Specify the held object.
set(V) - Method in class com.oracle.common.base.VolatileHolder
Specify the held object.
set(int, T) - Method in class com.oracle.common.collections.ConverterCollections.ConverterList
set(T) - Method in class com.oracle.common.collections.ConverterCollections.ConverterListIterator
set(ByteBuffer) - Method in class com.oracle.common.internal.net.socketbus.SharedBuffer.Segment
Specify the held object.
set(ByteBuffer) - Method in class com.oracle.common.internal.net.socketbus.SharedBuffer
Specify the held object.
set(int, Object) - Method in class com.oracle.common.net.SocketSettings
Set the specified option.
setAutoFlushThreshold(long) - Method in class com.oracle.common.internal.net.socketbus.SocketBusDriver.DefaultDependencies
Set threshold for auto flush
setBacklog(int) - Method in class com.oracle.common.internal.net.MultiplexedSocketProvider.DefaultDependencies
Specify the backlog to use when binding the underlying ServerSocket.
setBufferManager(BufferManager) - Method in class com.oracle.common.internal.net.socketbus.SocketBusDriver.DefaultDependencies
Specify the BufferManager to be used by this driver.
setCapacity(long) - Method in interface com.oracle.common.net.exabus.MemoryBus
Specify the local capacity of this MemoryBus.
setClientAuthenticationRequired(boolean) - Method in class com.oracle.common.net.SSLSocketProvider.DefaultDependencies
Specify if client authentication is required.
setDataReadyOps(int) - Method in class com.oracle.common.internal.net.ssl.SSLSocketChannel.SSLSelectionKey
Set SelectionKey ops which apply to the SSLSelectableChannel but not necessarily to the delegate channel.
setDefaultMemoryBusEndPoint(String) - Method in class com.oracle.common.net.exabus.util.SimpleDepot.DefaultDependencies
Specify the default MemoryBus EndPoint name.
setDefaultMemoryBusEndPoint(String) - Method in interface com.oracle.common.net.exabus.util.SimpleDepot.Dependencies
Specify the default MemoryBus EndPoint name.
setDefaultMessageBusEndPoint(String) - Method in class com.oracle.common.net.exabus.util.SimpleDepot.DefaultDependencies
Specify the default MessageBus EndPoint name.
setDefaultMessageBusEndPoint(String) - Method in interface com.oracle.common.net.exabus.util.SimpleDepot.Dependencies
Specify the default MessageBus EndPoint name.
setDelegate(SocketProvider) - Method in class com.oracle.common.net.SSLSocketProvider.DefaultDependencies
Specify the SocketProvider to delegate to.
setDelegateProvider(SocketProvider) - Method in class com.oracle.common.internal.net.MultiplexedSocketProvider.DefaultDependencies
Specify the SocketProvider to which the MultiplexedSocketProvider will delegate to.
setDepot(Depot) - Method in class com.oracle.common.internal.net.socketbus.SocketBusDriver
Set the depot associated with this driver.
setDepot(Depot) - Method in interface com.oracle.common.net.exabus.spi.Driver
Set the depot associated with this driver.
setDepot(Depot) - Method in class com.oracle.common.net.exabus.util.MessageBusTest.EchoBus.EchoDriver
setDirectWriteThreadThreshold(int) - Method in class com.oracle.common.internal.net.socketbus.SocketBusDriver.DefaultDependencies
Specify the direct write threshold.
setDrivers(Map<String, Driver>) - Method in class com.oracle.common.net.exabus.util.SimpleDepot.DefaultDependencies
Specify the set of Drivers to use in this Depot, keyed by a descriptive name.
setDrivers(Map<String, Driver>) - Method in interface com.oracle.common.net.exabus.util.SimpleDepot.Dependencies
Specify the set of Drivers to use in this Depot, keyed by a descriptive name.
setEnabledCipherSuites(String[]) - Method in class com.oracle.common.net.SSLSocketProvider.DefaultDependencies
Specify the enabled cipher suites.
setEventCollector(Collector<Event>) - Method in class com.oracle.common.internal.net.socketbus.AbstractSocketBus
Register a collector which will receive events for this Bus.
setEventCollector(Collector<Event>) - Method in interface com.oracle.common.net.exabus.Bus
Register a collector which will receive events for this Bus.
setEventCollector(Collector<Event>) - Method in class com.oracle.common.net.exabus.util.MessageBusTest.EchoBus
setExecutor(Executor) - Method in class com.oracle.common.net.SSLSocketProvider.DefaultDependencies
Specify the Executor to use.
setHostnameVerifier(HostnameVerifier) - Method in class com.oracle.common.net.SSLSocketProvider.DefaultDependencies
Specify the HostnameVerifier.
setIdentificationTimeoutMillis(long) - Method in class com.oracle.common.internal.net.MultiplexedSocketProvider.DefaultDependencies
Specify the identification timeout in milliseconds.
setIdleTimeout(long) - Method in class com.oracle.common.internal.net.RunnableSelectionService
Set the duration the RunnableSelectionService.run() method should block with no registered keys before returning.
setKeepAlive(boolean) - Method in class com.oracle.common.internal.net.WrapperSocket
setLogger(Logger) - Method in class com.oracle.common.internal.net.MultiplexedSocketProvider.DefaultDependencies
Specify the Logger to use.
setLogger(Logger) - Method in class com.oracle.common.internal.net.socketbus.SocketBusDriver.DefaultDependencies
Specify the Logger to use.
setLogger(Logger) - Method in class com.oracle.common.net.exabus.util.SimpleDepot.DefaultDependencies
Specify the Logger to use.
setLogger(Logger) - Method in class com.oracle.common.net.SSLSocketProvider.DefaultDependencies
Specify the Logger to utilize.
setMaximumReceiptDelayMillis(long) - Method in class com.oracle.common.internal.net.socketbus.SocketBusDriver.DefaultDependencies
Set maximum receipt ack delay
setMemoryBusProtocol(String) - Method in class com.oracle.common.internal.net.socketbus.SocketBusDriver.DefaultDependencies
Specify the memory bus protcol name
setMessageBusProtocol(String) - Method in class com.oracle.common.internal.net.socketbus.SocketBusDriver.DefaultDependencies
Specify the message bus protcol name
setNext(T) - Method in class com.oracle.common.collections.AbstractStableIterator
Specify the next object to provide from the Iterator.
setOOBInline(boolean) - Method in class com.oracle.common.internal.net.WrapperSocket
setOption(int, Object) - Method in class com.oracle.common.net.SocketSettings
setOptions(SocketOptions) - Method in class com.oracle.common.net.SocketSettings
Set any options indicated by the supplied SocketOptions into this SocketOptions.
setPerformancePreferences(int, int, int) - Method in class com.oracle.common.internal.net.WrapperServerSocket
setPerformancePreferences(int, int, int) - Method in class com.oracle.common.internal.net.WrapperSocket
setProtocolReadyOps(int) - Method in class com.oracle.common.internal.net.ssl.SSLSocketChannel.SSLSelectionKey
Specify the SelectionKey operations which are ready on the SSLSelectableChannel protocol but not necessarily to the delegate channel.
setReceiptRequestThreshold(long) - Method in class com.oracle.common.internal.net.socketbus.SocketBusDriver.DefaultDependencies
Set threshold for receipt requests
setReceiveBufferSize(int) - Method in class com.oracle.common.internal.net.WrapperServerSocket
setReceiveBufferSize(int) - Method in class com.oracle.common.internal.net.WrapperSocket
setReuseAddress(boolean) - Method in class com.oracle.common.internal.net.WrapperServerSocket
setReuseAddress(boolean) - Method in class com.oracle.common.internal.net.WrapperSocket
setSelectionService(SelectionService) - Method in class com.oracle.common.internal.net.MultiplexedSocketProvider.DefaultDependencies
Specify the SelectionService to use for IO processing.
setSelectionService(SelectionService) - Method in class com.oracle.common.internal.net.socketbus.SocketBusDriver.DefaultDependencies
Specify the SelectionService to be used by this driver.
setSendBufferSize(int) - Method in class com.oracle.common.internal.net.WrapperSocket
setSocketAddressHahser(Hasher<? super SocketAddress>) - Method in class com.oracle.common.internal.net.socketbus.SocketBusDriver.DefaultDependencies
Specify the SocketAddress Hasher to be used in comparing addresses.
setSocketOptions(SocketOptions) - Method in class com.oracle.common.internal.net.socketbus.SocketBusDriver.DefaultDependencies
Specify the SocketOptions to use.
setSocketProvider(SocketProvider) - Method in class com.oracle.common.internal.net.socketbus.SocketBusDriver.DefaultDependencies
Specify the SocketProvider to use.
setSocketReconnectDelayMillis(long) - Method in class com.oracle.common.internal.net.socketbus.SocketBusDriver.DefaultDependencies
Set reconnect interval for the Connection
setSoLinger(boolean, int) - Method in class com.oracle.common.internal.net.WrapperSocket
setSoTimeout(int) - Method in class com.oracle.common.internal.net.WrapperServerSocket
setSoTimeout(int) - Method in class com.oracle.common.internal.net.WrapperSocket
setSSLContext(SSLContext) - Method in class com.oracle.common.net.SSLSocketProvider.DefaultDependencies
Specify the SSLContex to utilize.
setTcpNoDelay(boolean) - Method in class com.oracle.common.internal.net.WrapperSocket
setTrafficClass(int) - Method in class com.oracle.common.internal.net.WrapperSocket
setTransmitRate(long) - Method in class com.oracle.common.net.exabus.util.MessageBusTest.Transmitter
Reset the transmit rate.
setValue(TV) - Method in class com.oracle.common.collections.ConverterCollections.AbstractConverterEntry
SharedBuffer - Class in com.oracle.common.internal.net.socketbus
SharedBuffer holds a ByteBuffer, and releases it back to its BufferManager when its reference count reaches zero.
SharedBuffer(ByteBuffer, SharedBuffer.Disposer) - Constructor for class com.oracle.common.internal.net.socketbus.SharedBuffer
Construct a SharedBuffer from a ByteBuffer and its associated BufferManager.
SharedBuffer.Disposer - Interface in com.oracle.common.internal.net.socketbus
Disposer used by the SharedBuffer to dispose ByteBuffer
SharedBuffer.Segment - Class in com.oracle.common.internal.net.socketbus
Segment represents a segment of a SharedBuffer.
SharedBuffer.Segment() - Constructor for class com.oracle.common.internal.net.socketbus.SharedBuffer.Segment
Construct a holder for a shared buffer, around its current position to limit.
SharedBuffer.Segment(int, int) - Constructor for class com.oracle.common.internal.net.socketbus.SharedBuffer.Segment
Construct a holder for a shared buffer.
shutdown() - Method in class com.oracle.common.internal.net.HashSelectionService
Shutdown the SelectionService.
shutdown() - Method in class com.oracle.common.internal.net.MultiProviderSelectionService
Shutdown the SelectionService.
shutdown() - Method in class com.oracle.common.internal.net.RunnableSelectionService
Shutdown the SelectionService.
shutdown() - Method in interface com.oracle.common.net.SelectionService
Shutdown the SelectionService.
shutdownInput() - Method in class com.oracle.common.internal.net.MultiplexedSocketProvider.MultiplexedSocket
shutdownInput() - Method in class com.oracle.common.internal.net.WrapperSocket
shutdownOutput() - Method in class com.oracle.common.internal.net.WrapperSocket
signal(Object) - Method in class com.oracle.common.internal.net.socketbus.AbstractSocketBus.Connection
Signal the connection.
signal(EndPoint, Object) - Method in class com.oracle.common.internal.net.socketbus.AbstractSocketBus
signal(Object) - Method in class com.oracle.common.internal.net.socketbus.BufferedSocketBus.BufferedConnection
Schedule a signal.
signal(EndPoint, Object) - Method in interface com.oracle.common.net.exabus.MemoryBus
Signal a peer.
SimpleDepot - Class in com.oracle.common.net.exabus.util
SimpleDepot is a Depot of well-known bus drivers.
SimpleDepot() - Constructor for class com.oracle.common.net.exabus.util.SimpleDepot
Construct the Depot with default dependencies.
SimpleDepot(SimpleDepot.Dependencies) - Constructor for class com.oracle.common.net.exabus.util.SimpleDepot
Construct the Depot from the specified dependencies.
SimpleDepot.DefaultDependencies - Class in com.oracle.common.net.exabus.util
DefaultDepenencies provides a default implmentation of the Depot's depencies.
SimpleDepot.DefaultDependencies() - Constructor for class com.oracle.common.net.exabus.util.SimpleDepot.DefaultDependencies
Construct a DefaultDependencies object.
SimpleDepot.DefaultDependencies(SimpleDepot.Dependencies) - Constructor for class com.oracle.common.net.exabus.util.SimpleDepot.DefaultDependencies
Construct a DefaultDependencies object copying the values from the specified dependencies object.
SimpleDepot.Dependencies - Interface in com.oracle.common.net.exabus.util
Dependencies specifies all dependency requirements of the SimpleDepot.
SimpleEvent - Class in com.oracle.common.net.exabus.util
SimpleEvent(Event.Type, EndPoint) - Constructor for class com.oracle.common.net.exabus.util.SimpleEvent
Construct a SimpleEvent.
SimpleEvent(Event.Type, EndPoint, Object) - Constructor for class com.oracle.common.net.exabus.util.SimpleEvent
Construct a SimpleEvent.
SimpleHolder<V> - Class in com.oracle.common.base
SimpleHolder is a basic implementation of the Holder interface.
SimpleHolder() - Constructor for class com.oracle.common.base.SimpleHolder
Construct a SimpleHolder with no value.
SimpleHolder(V) - Constructor for class com.oracle.common.base.SimpleHolder
Construct a SimpleHolder with an initial value.
SingleBufferMessageEvent - Class in com.oracle.common.internal.net.socketbus
SingleBufferMessageEvent is an implementation of a Bus Event for Messages over a single SharedBuffer.
SingleBufferMessageEvent(SocketMessageBus.MessageConnection, SharedBuffer) - Constructor for class com.oracle.common.internal.net.socketbus.SingleBufferMessageEvent
Construct a SingleBufferSequence around a single ByteBuffer.
SingleBufferSequence - Class in com.oracle.common.io
SingleBufferSequence is a thread-safe BufferSequence implementation which wraps a single ByteBuffer.
SingleBufferSequence(BufferManager, ByteBuffer) - Constructor for class com.oracle.common.io.SingleBufferSequence
Construct a SingleBufferSequence around a single ByteBuffer.
size() - Method in class com.oracle.common.collections.ConverterCollections.ConverterCollection
size() - Method in class com.oracle.common.collections.ConverterCollections.ConverterEntrySet
size() - Method in class com.oracle.common.collections.ConverterCollections.ConverterMap
size() - Method in class com.oracle.common.collections.UnmodifiableSetCollection
skip(long) - Method in class com.oracle.common.io.BufferSequenceInputStream
skip(long) - Method in interface com.oracle.common.io.InputStreaming
Skips over up to the specified number of bytes of data from this InputStream.
skip(long) - Method in class com.oracle.common.net.exabus.util.MessageBusTest.SkipStream
Skip over the specified number of output bytes.
skipBytes(int) - Method in class com.oracle.common.io.BufferSequenceInputStream
socket() - Method in class com.oracle.common.internal.net.MultiplexedSocketProvider.MultiplexedServerSocketChannel
socket() - Method in class com.oracle.common.internal.net.WrapperServerSocketChannel
socket() - Method in class com.oracle.common.internal.net.WrapperSocketChannel
SocketBusDriver - Class in com.oracle.common.internal.net.socketbus
SocketDriver is a base implementation for socket based busses.
SocketBusDriver(SocketBusDriver.Dependencies) - Constructor for class com.oracle.common.internal.net.socketbus.SocketBusDriver
Construct a SocketDriver.
SocketBusDriver.DefaultDependencies - Class in com.oracle.common.internal.net.socketbus
SimpleDependencies provides a basic Dependencies implementation as well as default values where applicable.
SocketBusDriver.DefaultDependencies() - Constructor for class com.oracle.common.internal.net.socketbus.SocketBusDriver.DefaultDependencies
Construct a DefaultDependencies object.
SocketBusDriver.DefaultDependencies(SocketBusDriver.Dependencies) - Constructor for class com.oracle.common.internal.net.socketbus.SocketBusDriver.DefaultDependencies
Construct a DefaultDependencies object copying the values from the specified dependencies object
SocketBusDriver.Dependencies - Interface in com.oracle.common.internal.net.socketbus
Dependencies provides an interface by which the SocketBusDriver can be provided with its external dependencies.
SocketMessageBus - Class in com.oracle.common.internal.net.socketbus
SocketMessageBus is a reliable MessageBus implementation based upon sockets.
SocketMessageBus(SocketBusDriver, UrlEndPoint) - Constructor for class com.oracle.common.internal.net.socketbus.SocketMessageBus
Construct a SocketMessageBus.
SocketMessageBus.MessageConnection - Class in com.oracle.common.internal.net.socketbus
MessageConnection implements a reliable message connection,
SocketMessageBus.MessageConnection(UrlEndPoint) - Constructor for class com.oracle.common.internal.net.socketbus.SocketMessageBus.MessageConnection
Create a MessageConnection for the specified peer.
SocketMessageBus.MessageConnection.ReadBatch - Class in com.oracle.common.internal.net.socketbus
ReadBatch handles the reading and processing of the inbound byte stream.
SocketMessageBus.MessageConnection.ReadBatch() - Constructor for class com.oracle.common.internal.net.socketbus.SocketMessageBus.MessageConnection.ReadBatch
SocketMessageBus.MessageConnection.ReadBatch.SharedBufferDisposer - Class in com.oracle.common.internal.net.socketbus
SharedBufferDisposer disposes the shared buffer by first trying to add it to the reusable buffer reference in ReadBatch.
SocketMessageBus.MessageConnection.ReadBatch.SharedBufferDisposer() - Constructor for class com.oracle.common.internal.net.socketbus.SocketMessageBus.MessageConnection.ReadBatch.SharedBufferDisposer
SocketMessageBus.MessageConnection.ReadBatch.TaskEvent - Class in com.oracle.common.internal.net.socketbus
TaskEvent is a wrapper around a normal event, but utilizes the mandatory dispose() call to run a number of tasks on behalf of the bus, hopefully from the application rather then the bus thread.
SocketMessageBus.MessageConnection.ReadBatch.TaskEvent(Event, Runnable...) - Constructor for class com.oracle.common.internal.net.socketbus.SocketMessageBus.MessageConnection.ReadBatch.TaskEvent
SocketProvider - Interface in com.oracle.common.net
SocketProivder defines an interface for creating sockets.
Sockets - Class in com.oracle.common.net
Sockets provides static helper methods related to sockets.
Sockets() - Constructor for class com.oracle.common.net.Sockets
SocketSettings - Class in com.oracle.common.net
SocketSettings provides a means to configure the various aspects of Sockets.
SocketSettings() - Constructor for class com.oracle.common.net.SocketSettings
Construct an empty SocketOptions configuration.
SocketSettings(SocketOptions) - Constructor for class com.oracle.common.net.SocketSettings
Construct a SocketOptions configuration based upon the supplied options.
SSLSelectorProvider - Class in com.oracle.common.internal.net.ssl
SSLSelectorProvider is a provider of Selectors for SSL based channels.
SSLSelectorProvider(SelectorProvider) - Constructor for class com.oracle.common.internal.net.ssl.SSLSelectorProvider
SSLServerSocket - Class in com.oracle.common.internal.net.ssl
Wrapper server socket implementation that performs hostname verfication during connect.
SSLServerSocket(ServerSocket, SSLSocketProvider) - Constructor for class com.oracle.common.internal.net.ssl.SSLServerSocket
Create a new SSLServerSocket that delegates all operations to the given server socket.
SSLServerSocketChannel - Class in com.oracle.common.internal.net.ssl
SSLServerSocketChannel is a ServerSocketChannel which accepts SSL clients and returns SSLSocketChannels.
SSLServerSocketChannel(ServerSocketChannel, SSLSocketProvider) - Constructor for class com.oracle.common.internal.net.ssl.SSLServerSocketChannel
Construct an SSLServerSocketChannel which wraps an un-secured ServerSocketChannel.
SSLSocket - Class in com.oracle.common.internal.net.ssl
Wrapper socket implementation that performs hostname verification during connect.
SSLSocket(Socket, SSLSocketProvider) - Constructor for class com.oracle.common.internal.net.ssl.SSLSocket
Create a new SSLSocket that delegates all operations to the given socket.
SSLSocketChannel - Class in com.oracle.common.internal.net.ssl
SSLSocketChannel layers SSL security onto an existing un-secured Socket.
SSLSocketChannel(SocketChannel, SSLSocketProvider) - Constructor for class com.oracle.common.internal.net.ssl.SSLSocketChannel
Construct an SSLSocketChannel which layers SSL protection onto the provided channel.
SSLSocketChannel.SSLSelectionKey - Class in com.oracle.common.internal.net.ssl
An SSL aware SelectionKey.
SSLSocketChannel.SSLSelectionKey(WrapperSelector, SelectionKey, Object) - Constructor for class com.oracle.common.internal.net.ssl.SSLSocketChannel.SSLSelectionKey
SSLSocketProvider - Class in com.oracle.common.net
SocketProvider that produces instances of socket and channel implementations which utilize SSL.
SSLSocketProvider() - Constructor for class com.oracle.common.net.SSLSocketProvider
Construct an SSLSocketProvider.
SSLSocketProvider(SSLSocketProvider.Dependencies) - Constructor for class com.oracle.common.net.SSLSocketProvider
Construct an SSLSocketProvider.
SSLSocketProvider.DefaultDependencies - Class in com.oracle.common.net
DefaultDependenceis is a basic implementation of the Dependencies interface provding "setter" methods for each property.
SSLSocketProvider.DefaultDependencies() - Constructor for class com.oracle.common.net.SSLSocketProvider.DefaultDependencies
Construct a DefaultDependencies object.
SSLSocketProvider.DefaultDependencies(SSLSocketProvider.Dependencies) - Constructor for class com.oracle.common.net.SSLSocketProvider.DefaultDependencies
Construct a DefaultDependencies object copying the values from the specified dependencies object
SSLSocketProvider.Dependencies - Interface in com.oracle.common.net
Dependencies specifies all dependency requirements of the SSLSocketProvider.
start() - Method in class com.oracle.common.net.exabus.util.MessageBusTest.EventProcessor
subList(int, int) - Method in class com.oracle.common.collections.ConverterCollections.ConverterList
subMap(TK, TK) - Method in class com.oracle.common.collections.ConverterCollections.ConverterSortedMap
subSet(T, T) - Method in class com.oracle.common.collections.ConverterCollections.ConverterSortedSet
SUFFIXES - Variable in enum com.oracle.common.util.Duration.Magnitude
The suffixes that for the Duration.Magnitude.
tailMap(TK) - Method in class com.oracle.common.collections.ConverterCollections.ConverterSortedMap
tailSet(T) - Method in class com.oracle.common.collections.ConverterCollections.ConverterSortedSet
TCP_MEMORY_BUS_PROTOCOL - Static variable in class com.oracle.common.net.exabus.util.SimpleDepot
Protocol name for the TCP memory bus.
TCP_MESSAGE_BUS_PROTOCOL - Static variable in class com.oracle.common.net.exabus.util.SimpleDepot
Protocol name for the TCP message bus.
TCP_SECURE_MEMORY_BUS_PROTOCOL - Static variable in class com.oracle.common.net.exabus.util.SimpleDepot
Protocol name for the SSL protected TCP memory bus.
TCP_SECURE_MESSAGE_BUS_PROTOCOL - Static variable in class com.oracle.common.net.exabus.util.SimpleDepot
Protocol name for the SSL protected TCP message bus.
TCP_SECURE_SOCKET_BUS - Static variable in class com.oracle.common.net.exabus.util.SimpleDepot
Driver name for Secure TCP Socket Bus.
TCP_SOCKET_BUS - Static variable in class com.oracle.common.net.exabus.util.SimpleDepot
Driver name for TCP Socket Bus.
TcpSocketProvider - Class in com.oracle.common.net
TcpSocketProvider produces standard TCP sockets.
TcpSocketProvider() - Constructor for class com.oracle.common.net.TcpSocketProvider
ThreadLocalRandom - Class in com.oracle.common.util
This is an implementation of a highly concurrent Random.
ThreadLocalRandom() - Constructor for class com.oracle.common.util.ThreadLocalRandom
toArray() - Method in class com.oracle.common.collections.ConverterCollections.ConverterCollection
toArray(E[]) - Method in class com.oracle.common.collections.ConverterCollections.ConverterCollection
toArray() - Method in class com.oracle.common.collections.ConverterCollections.ConverterEntrySet
toArray(T[]) - Method in class com.oracle.common.collections.ConverterCollections.ConverterEntrySet
toArray() - Method in class com.oracle.common.collections.UnmodifiableSetCollection
toArray(T[]) - Method in class com.oracle.common.collections.UnmodifiableSetCollection
toBits(long) - Method in enum com.oracle.common.io.Bandwidth.Rate
Convert the specified number of units of this Bandwidth.Rate into a bits Bandwidth.Rate.
toBufferSequence() - Method in class com.oracle.common.io.BufferSequenceOutputStream
Close the stream and return its contents as a BufferSequence.
toString() - Method in class com.oracle.common.collections.ConverterCollections.AbstractConverterEntry
toString() - Method in class com.oracle.common.collections.ConverterCollections.ConverterCollection
Return a String description for this collection.
toString() - Method in class com.oracle.common.collections.ConverterCollections.ConverterEntrySet
toString() - Method in class com.oracle.common.collections.ConverterCollections.ConverterMap
toString() - Method in class com.oracle.common.internal.io.WrapperBufferManager
toString() - Method in class com.oracle.common.internal.net.DemultiplexedSocketProvider
toString() - Method in class com.oracle.common.internal.net.MultiplexedSocketProvider.MultiplexedSelector
toString() - Method in class com.oracle.common.internal.net.RunnableSelectionService
toString() - Method in class com.oracle.common.internal.net.socketbus.AbstractSocketBus.Connection
toString() - Method in class com.oracle.common.internal.net.socketbus.AbstractSocketBus
toString() - Method in class com.oracle.common.internal.net.socketbus.MultiBufferMessageEvent
toString() - Method in class com.oracle.common.internal.net.socketbus.SingleBufferMessageEvent
toString() - Method in class com.oracle.common.internal.net.socketbus.SocketMessageBus.MessageConnection.ReadBatch.TaskEvent
toString() - Method in class com.oracle.common.internal.net.ssl.SSLServerSocket
toString() - Method in class com.oracle.common.internal.net.ssl.SSLSocket
toString() - Method in class com.oracle.common.internal.net.ssl.SSLSocketChannel.SSLSelectionKey
toString() - Method in class com.oracle.common.internal.net.ssl.SSLSocketChannel
toString() - Method in class com.oracle.common.internal.net.WrapperSelector.WrapperSelectionKey
toString() - Method in class com.oracle.common.internal.net.WrapperServerSocket
toString() - Method in class com.oracle.common.internal.net.WrapperSocket
toString(boolean) - Method in class com.oracle.common.io.Bandwidth
Obtains a String representation of the Bandwidth (in {@link Rate#BITS).
toString() - Method in class com.oracle.common.io.Bandwidth
toString(ByteBuffer) - Static method in class com.oracle.common.io.Buffers
Return a String containing the remaining contents of the specified ByteBuffer.
toString(boolean) - Method in class com.oracle.common.io.MemorySize
Obtains a String representation of the MemorySize using the most appropriate MemorySize.Magnitude to simplify the representation.
toString() - Method in class com.oracle.common.io.MemorySize
toString() - Method in class com.oracle.common.net.exabus.util.SimpleEvent
toString() - Method in class com.oracle.common.net.exabus.util.UrlEndPoint
toString() - Method in class com.oracle.common.net.InetSocketAddress32
Constructs a string representation of this InetSocketAddress32.
toString() - Method in class com.oracle.common.net.SocketSettings
toString() - Method in class com.oracle.common.net.SSLSocketProvider.DefaultDependencies
toString() - Method in class com.oracle.common.net.SSLSocketProvider
toString(boolean) - Method in class com.oracle.common.util.Duration
Obtains a String representation of the Duration using the most appropriate Duration.Magnitude to simplify the representation.
toString() - Method in class com.oracle.common.util.Duration
truncate(ByteBuffer) - Method in class com.oracle.common.internal.io.AbstractBufferManager
Truncate a formerly allocated buffer, returning a buffer whose size more closely matches the amount of space used (as indicated by Buffer.remaining()) in the specified buffer.
truncate(ByteBuffer) - Method in class com.oracle.common.internal.io.CheckedBufferManager
Truncate a formerly allocated buffer, returning a buffer whose size more closely matches the amount of space used (as indicated by Buffer.remaining()) in the specified buffer.
truncate(ByteBuffer) - Method in class com.oracle.common.internal.io.SegmentedBufferManager
truncate(ByteBuffer) - Method in class com.oracle.common.internal.io.WrapperBufferManager
Truncate a formerly allocated buffer, returning a buffer whose size more closely matches the amount of space used (as indicated by Buffer.remaining()) in the specified buffer.
truncate(ByteBuffer) - Method in interface com.oracle.common.io.BufferManager
Truncate a formerly allocated buffer, returning a buffer whose size more closely matches the amount of space used (as indicated by Buffer.remaining()) in the specified buffer.
UnmodifiableSetCollection<E> - Class in com.oracle.common.collections
UnmodifiableSetCollection is a wrapper set that provides a read-only view of the underlying Sets.
UnmodifiableSetCollection(Set<E>...) - Constructor for class com.oracle.common.collections.UnmodifiableSetCollection
Construct a UnmodifiableSetCollection
UrlEndPoint - Class in com.oracle.common.net.exabus.util
UrlEndPoint is an EndPoint formmated using URL like syntax.
UrlEndPoint(String, SocketProvider, Hasher<? super SocketAddress>) - Constructor for class com.oracle.common.net.exabus.util.UrlEndPoint
Construct a SocketEndPoint.
validate() - Method in class com.oracle.common.internal.net.MultiplexedSocketProvider.DefaultDependencies
Validate the dependencies object.
validate() - Method in class com.oracle.common.internal.net.socketbus.SocketBusDriver.DefaultDependencies
Validate the supplied dependencies.
validate() - Method in class com.oracle.common.net.exabus.util.SimpleDepot.DefaultDependencies
Validate the supplied dependencies.
validate() - Method in class com.oracle.common.net.SSLSocketProvider.DefaultDependencies
Validate the dependencies.
validateAssociated(Associated) - Method in class com.oracle.common.base.NaturalAssociator
Check if given Associated object generates a circular association.
validatePeer() - Method in class com.oracle.common.internal.net.ssl.SSLSocketChannel
Vaidate that the connected peer acceptible.
valueOf(String) - Static method in enum com.oracle.common.internal.net.MultiplexedSocketProvider.WellKnownSubPorts
Returns the enum constant of this type with the specified name.
valueOf(String) - Static method in enum com.oracle.common.internal.net.socketbus.AbstractSocketBus.BusState
Returns the enum constant of this type with the specified name.
valueOf(String) - Static method in enum com.oracle.common.internal.net.socketbus.AbstractSocketBus.ConnectionState
Returns the enum constant of this type with the specified name.
valueOf(String) - Static method in enum com.oracle.common.internal.net.socketbus.AbstractSocketBus.HandshakePhase
Returns the enum constant of this type with the specified name.
valueOf(String) - Static method in enum com.oracle.common.io.Bandwidth.Magnitude
Returns the enum constant of this type with the specified name.
valueOf(String) - Static method in enum com.oracle.common.io.Bandwidth.Rate
Returns the enum constant of this type with the specified name.
valueOf(String) - Static method in enum com.oracle.common.io.MemorySize.Magnitude
Returns the enum constant of this type with the specified name.
valueOf(String) - Static method in enum com.oracle.common.net.exabus.Event.Type
Returns the enum constant of this type with the specified name.
valueOf(String) - Static method in enum com.oracle.common.util.Duration.Magnitude
Returns the enum constant of this type with the specified name.
values() - Method in class com.oracle.common.collections.ConverterCollections.ConverterMap
values() - Static method in enum com.oracle.common.internal.net.MultiplexedSocketProvider.WellKnownSubPorts
Returns an array containing the constants of this enum type, in the order they are declared.
values() - Static method in enum com.oracle.common.internal.net.socketbus.AbstractSocketBus.BusState
Returns an array containing the constants of this enum type, in the order they are declared.
values() - Static method in enum com.oracle.common.internal.net.socketbus.AbstractSocketBus.ConnectionState
Returns an array containing the constants of this enum type, in the order they are declared.
values() - Static method in enum com.oracle.common.internal.net.socketbus.AbstractSocketBus.HandshakePhase
Returns an array containing the constants of this enum type, in the order they are declared.
values() - Static method in enum com.oracle.common.io.Bandwidth.Magnitude
Returns an array containing the constants of this enum type, in the order they are declared.
values() - Static method in enum com.oracle.common.io.Bandwidth.Rate
Returns an array containing the constants of this enum type, in the order they are declared.
values() - Static method in enum com.oracle.common.io.MemorySize.Magnitude
Returns an array containing the constants of this enum type, in the order they are declared.
values() - Static method in enum com.oracle.common.net.exabus.Event.Type
Returns an array containing the constants of this enum type, in the order they are declared.
values() - Static method in enum com.oracle.common.util.Duration.Magnitude
Returns an array containing the constants of this enum type, in the order they are declared.
verifyEndPoint(EndPoint) - Method in class com.oracle.common.internal.net.socketbus.AbstractSocketBus
Verify that the supplied EndPoint is a InetSocketEndPoint.
verifySDP() - Static method in class com.oracle.common.net.SdpSocketProvider
Verify that an SDP socket implementation is available.
verifyState(AbstractSocketBus.BusState) - Method in class com.oracle.common.internal.net.socketbus.AbstractSocketBus
Verify that the bus is in a given state.
VolatileHolder<V> - Class in com.oracle.common.base
VolatileHolder is a basic implementation of the Holder interface where the held object is referenced from a volatile reference.
VolatileHolder() - Constructor for class com.oracle.common.base.VolatileHolder
Construct a VolatileHolder with no value.
VolatileHolder(V) - Constructor for class com.oracle.common.base.VolatileHolder
Construct a VolatileHolder with an initial value.
wakeup() - Method in class com.oracle.common.internal.net.socketbus.AbstractSocketBus.Connection
Force the SelectionService to process this channel.
wakeup() - Method in class com.oracle.common.internal.net.WrapperSelector
warnBufferSize(Object, String, int, int) - Static method in class com.oracle.common.net.Sockets
Issue a warning regarding an undersized socket buffer.
warnReuseAddr(boolean) - Static method in class com.oracle.common.net.Sockets
Issue a warning regarding overrideing SO_REUSEADDR
WELL_KNOWN_SUB_PORT_END - Static variable in class com.oracle.common.internal.net.MultiplexedSocketProvider
The end of the well-known sub-port range.
wrapEntry(Map.Entry<FK, FV>) - Method in class com.oracle.common.collections.ConverterCollections.ConverterEntrySet
Wrap an Entry from the Entry Set to make a Converter Entry.
wrapIterator(Iterator<Map.Entry<FK, FV>>) - Method in class com.oracle.common.collections.ConverterCollections.ConverterEntrySet
Wrap an Iterator from the Entry Set to make a Converter Iterator.
WrapperBufferManager - Class in com.oracle.common.internal.io
WrapperBufferManager is a BufferManager wrapper.
WrapperBufferManager(BufferManager) - Constructor for class com.oracle.common.internal.io.WrapperBufferManager
Create a new WrapperBufferManager.
WrapperSelector - Class in com.oracle.common.internal.net
WrapperSelector is a Selector implementation which delegates all calls to a delegate Selector.
WrapperSelector(Selector, SelectorProvider) - Constructor for class com.oracle.common.internal.net.WrapperSelector
Construct a WrapperSelector
WrapperSelector.KeySet - Class in com.oracle.common.internal.net
A layered set implementation used for key sets.
WrapperSelector.KeySet(Set) - Constructor for class com.oracle.common.internal.net.WrapperSelector.KeySet
WrapperSelector.WrapperSelectableChannel - Interface in com.oracle.common.internal.net
An interface to be implemented by all channels which will be selectable using this Selector.
WrapperSelector.WrapperSelectionKey - Class in com.oracle.common.internal.net
WraperSelectionKey which delegates to a real SelectionKey.
WrapperSelector.WrapperSelectionKey(WrapperSelector, SelectionKey, Object) - Constructor for class com.oracle.common.internal.net.WrapperSelector.WrapperSelectionKey
WrapperServerSocket - Class in com.oracle.common.internal.net
Wrapper server socket which delegates all operations to a delegate socket.
WrapperServerSocket(ServerSocket) - Constructor for class com.oracle.common.internal.net.WrapperServerSocket
Create a new ServerSocket that delegates all operations to the given server socket.
WrapperServerSocketChannel - Class in com.oracle.common.internal.net
Wrapper ServerSocketChannel implementation that delegates all operations to a delegate ServerSocketChannel.
WrapperServerSocketChannel(ServerSocketChannel, SelectorProvider) - Constructor for class com.oracle.common.internal.net.WrapperServerSocketChannel
WrapperSocket - Class in com.oracle.common.internal.net
Wrapper socket implementation that delegates all operations to a delegate socket.
WrapperSocket(Socket) - Constructor for class com.oracle.common.internal.net.WrapperSocket
Create a new Socket that delegates all operations to the given socket.
WrapperSocketChannel - Class in com.oracle.common.internal.net
Wrapper SocketChannel implementation that delegates all operations to a delegate SocketChannel.
WrapperSocketChannel(SocketChannel, SelectorProvider) - Constructor for class com.oracle.common.internal.net.WrapperSocketChannel
wrapSocket(Socket) - Method in class com.oracle.common.internal.net.DemultiplexedSocketProvider.DemultiplexedSocketChannel
wrapSocket(Socket) - Method in class com.oracle.common.internal.net.MultiplexedSocketProvider.MultiplexedSocketChannel
Produce a wrapper around the specified socket.
wrapSocket(Socket, boolean) - Method in class com.oracle.common.internal.net.ssl.SSLSocket
Wrap the supplied plain Socket as an SSLSocket.
wrapSocket(Socket) - Method in class com.oracle.common.internal.net.ssl.SSLSocketChannel
Produce a wrapper around the specified socket.
wrapSocket(ServerSocket) - Method in class com.oracle.common.internal.net.WrapperServerSocketChannel
Produce a wrapper around the specified socket.
wrapSocket(Socket) - Method in class com.oracle.common.internal.net.WrapperSocketChannel
Produce a wrapper around the specified socket.
write(ByteBuffer) - Method in class com.oracle.common.internal.net.MultiplexedSocketProvider.MultiplexedSocketChannel
write(ByteBuffer[], int, int) - Method in class com.oracle.common.internal.net.MultiplexedSocketProvider.MultiplexedSocketChannel
write(ByteBuffer[], int, int) - Method in class com.oracle.common.internal.net.socketbus.AbstractSocketBus.Connection
write(ByteBuffer[]) - Method in class com.oracle.common.internal.net.socketbus.AbstractSocketBus.Connection
write(ByteBuffer) - Method in class com.oracle.common.internal.net.socketbus.AbstractSocketBus.Connection
write() - Method in class com.oracle.common.internal.net.socketbus.BufferedSocketBus.BufferedConnection.WriteBatch
Attempt to write the batch to the connection.
write(ByteBuffer) - Method in class com.oracle.common.internal.net.ssl.SSLSocketChannel
write(ByteBuffer[], int, int) - Method in class com.oracle.common.internal.net.ssl.SSLSocketChannel
write(ByteBuffer) - Method in class com.oracle.common.internal.net.WrapperSocketChannel
write(ByteBuffer[], int, int) - Method in class com.oracle.common.internal.net.WrapperSocketChannel
write(int) - Method in class com.oracle.common.io.BufferSequenceOutputStream
write(byte[], int, int) - Method in class com.oracle.common.io.BufferSequenceOutputStream
write(EndPoint, long, BufferSequence, Object) - Method in interface com.oracle.common.net.exabus.MemoryBus
Request a write into the peer's memory from the specified BufferSequence.
writeBoolean(boolean) - Method in class com.oracle.common.io.BufferSequenceOutputStream
writeByte(int) - Method in class com.oracle.common.io.BufferSequenceOutputStream
writeBytes(String) - Method in class com.oracle.common.io.BufferSequenceOutputStream
writeChar(int) - Method in class com.oracle.common.io.BufferSequenceOutputStream
writeChars(String) - Method in class com.oracle.common.io.BufferSequenceOutputStream
writeDouble(double) - Method in class com.oracle.common.io.BufferSequenceOutputStream
writeEncrypted() - Method in class com.oracle.common.internal.net.ssl.SSLSocketChannel
Attempt to write the contents the outbound buffer to the network.
writeFloat(float) - Method in class com.oracle.common.io.BufferSequenceOutputStream
writeInt(int) - Method in class com.oracle.common.io.BufferSequenceOutputStream
writeInternal(ByteBuffer[], int, int) - Method in class com.oracle.common.internal.net.ssl.SSLSocketChannel
Attempt to read into the supplied buffers as per the general contract of GatheringChannel.write.
writeLong(long) - Method in class com.oracle.common.io.BufferSequenceOutputStream
writeShort(int) - Method in class com.oracle.common.io.BufferSequenceOutputStream
writeUTF(String) - Method in class com.oracle.common.io.BufferSequenceOutputStream
【図１】
0005956565.tif 000002
【図２】
0005956565.tif 000003
【図３】
0005956565.tif 000004
【図４】
0005956565.tif 000005
【図５】
0005956565.tif 000006